(57)【特許請求の範囲】
【請求項１】
端末装置であって、
共通ＲＲＣメッセージによって設定される第１のＵＬ−ＤＬ設定をセットする上位層処理部と、
上りリンク制御チャネルリソースを決定する際に、サブフレームにおける１つの拡張物理下りリンク制御チャネルセット内における拡張制御チャネル要素の数を０とセットするか否かを決定する制御部と、を備え、
前記制御部は、
物理下りリンク制御チャネルで送信される下りリンク制御情報によって示される第２のＵＬ−ＤＬ設定がセットされていない場合、前記サブフレームが、前記第１のＵＬ−ＤＬ設定において、所定のスペシャルサブフレームであるか否かに基づいて、前記拡張制御チャネル要素の数を０とセットするか否かを決定し、
前記第２のＵＬ−ＤＬ設定がセットされた場合、前記サブフレームが、前記第２のＵＬ−ＤＬ設定において前記所定のスペシャルサブフレームである場合に、前記拡張制御チャネル要素の数を０とセットし、
前記所定のスペシャルサブフレームは、下りリンク送信を行う領域とガードピリオドと上りリンク送信を行う領域の順で３つの領域を含むサブフレームである端末装置。
【請求項２】
前記所定のスペシャルサブフレームは、前記下りリンク送信を行う領域が所定数以下のＯＦＤＭシンボルから構成される請求項１に記載の端末装置。
【請求項３】
前記所定のスペシャルサブフレームは、ノーマルサイクリックプレフィックスにおけるスペシャルサブフレーム設定０または５のスペシャルサブフレーム、または拡張サイクリックプレフィックスにおけるスペシャルサブフレーム設定０または４または７のスペシャルサブフレームである請求項１に記載の端末装置。
【請求項４】
前記制御部は、前記サブフレームが、前記第１のＵＬ−ＤＬ設定において前記所定のスペシャルサブフレームである場合、前記上りリンク制御チャネルリソースを決定する際に、前記サブフレームにおける前記１つの拡張物理下りリンク制御チャネルセット内における前記拡張制御チャネル要素の数を０にセットする請求項１に記載の端末装置。
【請求項５】
基地局装置であって、
共通ＲＲＣメッセージによって第１のＵＬ−ＤＬ設定を設定する上位層処理部と、
上りリンク制御チャネルリソースを決定する際に、サブフレームにおける１つの拡張物理下りリンク制御チャネルセット内における拡張制御チャネル要素の数を０とセットするか否かを決定する制御部と、を備え、
前記制御部は、
物理下りリンク制御チャネルで送信される下りリンク制御情報によって示される第２のＵＬ−ＤＬ設定が設定されていない場合、前記サブフレームが、前記第１のＵＬ−ＤＬ設定において、所定のスペシャルサブフレームであるか否かに基づいて、前記拡張制御チャネル要素の数を０とセットするか否かを決定し、
前記第２のＵＬ−ＤＬ設定が設定された場合、前記サブフレームが、前記第２のＵＬ−ＤＬ設定において前記所定のスペシャルサブフレームである場合に、前記拡張制御チャネル要素の数を０とセットし、
前記所定のスペシャルサブフレームは、下りリンク送信を行う領域とガードピリオドと上りリンク送信を行う領域の順で３つの領域を含むサブフレームである基地局装置。
【請求項６】
前記所定のスペシャルサブフレームは、前記下りリンク送信を行う領域が所定数以下のＯＦＤＭシンボルから構成される請求項５に記載の基地局装置。
【請求項７】
前記所定のスペシャルサブフレームは、ノーマルサイクリックプレフィックスにおけるスペシャルサブフレーム設定０または５のスペシャルサブフレーム、または拡張サイクリックプレフィックスにおけるスペシャルサブフレーム設定０または４または７のスペシャルサブフレームである請求項５に記載の基地局装置。
【請求項８】
前記制御部は、前記サブフレームが、前記第１のＵＬ−ＤＬ設定において前記所定のスペシャルサブフレームである場合、前記上りリンク制御チャネルリソースを決定する際に、前記サブフレームにおける前記１つの拡張物理下りリンク制御チャネルセット内における前記拡張制御チャネル要素の数を０にセットする請求項５に記載の基地局装置。
【請求項９】
端末装置における通信方法であって、
共通ＲＲＣメッセージによって設定される第１のＵＬ−ＤＬ設定をセットし、
物理下りリンク制御チャネルで送信される下りリンク制御情報によって示される第２のＵＬ−ＤＬ設定がセットされていない場合、サブフレームが、前記第１のＵＬ−ＤＬ設定において、所定のスペシャルサブフレームであるか否かに基づいて、上りリンク制御チャネルリソースを決定する際に、前記サブフレームにおける１つの拡張物理下りリンク制御チャネルセット内における拡張制御チャネル要素の数を０とセットするか否かを決定し、
前記第２のＵＬ−ＤＬ設定がセットされた場合、前記サブフレームが、前記第２のＵＬ−ＤＬ設定において、前記所定のスペシャルサブフレームである場合に、前記拡張制御チャネル要素の数を０とセットし、
前記所定のスペシャルサブフレームは、下りリンク送信を行う領域とガードピリオドと上りリンク送信を行う領域の順で３つの領域を含むサブフレームである通信方法。
【請求項１０】
基地局装置における通信方法であって、
共通ＲＲＣメッセージによって第１のＵＬ−ＤＬ設定を設定し、
物理下りリンク制御チャネルで送信される下りリンク制御情報によって示される第２のＵＬ−ＤＬ設定が設定されていない場合、サブフレームが、前記第１のＵＬ−ＤＬ設定において、所定のスペシャルサブフレームであるか否かに基づいて、上りリンク制御チャネルリソースを決定する際に、前記サブフレームにおける１つの拡張物理下りリンク制御チャネルセット内における拡張制御チャネル要素の数を０とセットするか否かを決定し、
前記第２のＵＬ−ＤＬ設定が設定された場合、前記サブフレームが、前記第２のＵＬ−ＤＬ設定において、前記所定のスペシャルサブフレームである場合に、前記拡張制御チャネル要素の数を０とセットし、
前記所定のスペシャルサブフレームは、下りリンク送信を行う領域とガードピリオドと上りリンク送信を行う領域の順で３つの領域を含むサブフレームである通信方法。
【発明の詳細な説明】
【技術分野】
【０００１】
本発明は、端末装置、基地局装置、および、通信方法に関する。
本願は、２０１４年１月３０日に、日本に出願された特願２０１４−０１５２９５号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ここで、ＴＤＤにおいて、上りリンク信号と下りリンク信号は、時分割多重される。【０００４】
３ＧＰＰにおいて、トラフィックアダプテーション技術と干渉軽減技術（DL-UL Interference Management and Traffic Adaptation）をＴＤ−ＬＴＥに適用することが検討されている。トラフィックアダプテーション技術は、上りリンクのトラフィックと下りリンクのトラフィックに応じて、上りリンクリソースと下りリンクリソースの比率を変更する技術である。ここで、トラフィックアダプテーション技術をダイナミックＴＤＤとも称する。【０００５】
非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、端末装置は、基地局装置によって、フレキシブルサブフレームにおいて上りリンク信号の送信を指示されない限り、フレキシブルサブフレームを下りリンクサブフレームとみなす。【０００６】
非特許文献１には、新たに導入するＵＬ−ＤＬ設定（uplink-downlink configuration）（ＵＬ／ＤＬ設定とも称される）に基づいてＰＤＳＣＨ（Physical Downlink Shared Channel）に対するＨＡＲＱ（Hybrid Automatic Repeat reQuest）タイミングを決定し、従来のＵＬ−ＤＬ設定に基づいてＰＵＳＣＨ（Physical Uplink Shared Channel）に対するＨＡＲＱタイミングを決定することが記載されている。【０００７】
また、非特許文献２には、（ａ）ＵＬ／ＤＬ参照設定を導入すること、（ｂ）いくつかのサブフレームはスケジューラからのダイナミック・グラント／アサインメントによって上りリンク、または下りリンクの何れかのためにスケジュールされ得ることが記載されている。
【先行技術文献】
【非特許文献】
【０００８】
【非特許文献１】"On standardization impact of TDD UL-DL adaptation", R1-122016, Ericsson, ST-Ericsson, 3GPP TSG-RAN WG1 Meeting #69, Prague, Czech Republic,21st - 25th May 2012.
【非特許文献２】"Signalling support for dynamic TDD", R1-130558, Ericsson, ST-Ericsson, 3GPP TSG-RAN WG1 Meeting #72, St Julian’s, Malta, 28th January - 1st February 2013.
【発明の概要】
【発明が解決しようとする課題】
【０００９】
しかしながら、上述のような無線通信システムにおいて、基地局装置と端末装置が、下りリンク物理チャネル、または、上りリンク物理チャネルを用いて、通信を行う際の具体的な手順について記載されていなかった。【００１０】
例えば、物理下りリンク共用チャネル（Physical Downlink Shared Channel: PDSCH）を用いて通信を行う際の具体的な手順について記載されていなかった。また、例えば、エンハンスド物理下りリンク制御チャネル（Enhanced Physical Downlink Control Channel: EPDCCH）を用いて通信を行う際の具体的な手順について記載されていなかった。また、例えば、物理上りリンク制御チャネル（Physical Uplink Control Channel: PUCCH）を用いて通信を行う際の具体的な手順について記載されていなかった。【００１１】
本発明のいくつかの態様は上記の点に鑑みてなされたものであり、その目的は、無線リソースを効率的に使用した通信を可能とすることができる端末装置、基地局装置、集積回路、および、通信方法を提供することを目的とする。
【課題を解決するための手段】
【００１２】
（１）上記の目的を達成するために、本発明のいくつかの態様は、以下のような手段を講じた。すなわち、本発明の一様態における端末装置は、端末装置であって、共通ＲＲＣメッセージによって設定される第１のＵＬ−ＤＬ設定をセットする上位層処理部と、サブフレームが、第１のＵＬ−ＤＬ設定において、所定のスペシャルサブフレームであるか否かに基づいて、上りリンク制御チャネルリソースのインデクスを決定する際に、サブフレームにおける１つの拡張物理下りリンク制御チャネルセット内における拡張制御チャネル要素の数を０とセットするか否かを決定する制御部と、を備え、物理下りリンク制御チャネルで送信される下りリンク制御情報によって示される第２のＵＬ−ＤＬ設定がセットされた場合、制御部は、サブフレームが、第２のＵＬ−ＤＬ設定において所定のスペシャルサブフレームである場合に、上りリンク制御チャネルリソースのインデクスを決定する際に、サブフレームにおける１つの拡張物理下りリンク制御チャネルセット内における拡張制御チャネル要素の数を０とセットし、所定のスペシャルサブフレームは、下りリンク送信を行う領域（ＤｗＰＴＳ）とガードピリオド（ＧＰ）と上りリンク送信を行う領域（ＵｐＰＴＳ）の順で３つの領域を含むサブフレームであることを特徴としている。【００１３】
（２）また、本発明の一様態における端末装置は上記の端末装置であって、所定のスペシャルサブフレームは、ＤｗＰＴＳが所定数以下のＯＦＤＭシンボルから構成されることを特徴としている。【００１４】
（３）また、本発明の一様態における端末装置は上記の端末装置であって、所定のスペシャルサブフレームは、ノーマルサイクリックプレフィックスにおけるスペシャルサブフレーム設定０または５のスペシャルサブフレーム、または拡張サイクリックプレフィックスにおけるスペシャルサブフレーム設定０または４または７のスペシャルサブフレームであることを特徴としている。【００１５】
（４）また、本発明の一様態における端末装置は上記の端末装置であって、制御部は、サブフレームが、第１のＵＬ−ＤＬ設定において、所定のスペシャルサブフレームである場合、上りリンク制御チャネルリソースのインデクスを決定する際に、サブフレームにおける１つの拡張物理下りリンク制御チャネルセット内における拡張制御チャネル要素の数を０にセットし、上位層処理部がＵＬ−ＤＬ設定をセットした場合、制御部は、サブフレームが、第２のＵＬ−ＤＬ設定において所定のスペシャルサブフレームである場合、上りリンク制御チャネルリソースのインデクスを決定する際に、サブフレームにおける１つの拡張物理下りリンク制御チャネルセット内における拡張制御チャネル要素の数を０にセットすることを特徴としている。【００１６】
（５）また、本発明の一様態における基地局装置は、基地局装置であって、共通ＲＲＣメッセージによって第１のＵＬ−ＤＬ設定を設定する上位層処理部と、サブフレームが、第１のＵＬ−ＤＬ設定において、所定のスペシャルサブフレームであるか否かに基づいて、上りリンク制御チャネルリソースのインデクスを決定する際に、サブフレームにおける１つの拡張物理下りリンク制御チャネルセット内における拡張制御チャネル要素の数を０とセットするか否かを決定する制御部と、を備え、物理下りリンク制御チャネルで送信される下りリンク制御情報によって示される第２のＵＬ−ＤＬ設定が設定された場合、制御部は、サブフレームが、第２のＵＬ−ＤＬ設定において所定のスペシャルサブフレームである場合に、上りリンク制御チャネルリソースのインデクスを決定する際に、サブフレームにおける１つの拡張物理下りリンク制御チャネルセット内における拡張制御チャネル要素の数を０とセットし、所定のスペシャルサブフレームは、下りリンク送信を行う領域（ＤｗＰＴＳ）とガードピリオド（ＧＰ）と上りリンク送信を行う領域（ＵｐＰＴＳ）の順で３つの領域を含むサブフレームであることを特徴としている。【００１７】
（６）また、本発明の一様態における基地局装置は上記の基地局装置であって、所定のスペシャルサブフレームは、ＤｗＰＴＳが所定数以下のＯＦＤＭシンボルから構成されることを特徴としている。【００１８】
（７）また、本発明の一様態における基地局装置は上記の基地局装置であって、所定のスペシャルサブフレームは、ノーマルサイクリックプレフィックスにおけるスペシャルサブフレーム設定０または５のスペシャルサブフレーム、または拡張サイクリックプレフィックスにおけるスペシャルサブフレーム設定０または４または７のスペシャルサブフレームであることを特徴としている。【００１９】
（８）また、本発明の一様態における基地局装置は上記の基地局装置であって、制御部は、サブフレームが、第１のＵＬ−ＤＬ設定において所定のスペシャルサブフレームである場合、上りリンク制御チャネルリソースのインデクスを決定する際に、サブフレームにおける１つの拡張物理下りリンク制御チャネルセット内における拡張制御チャネル要素の数を０にセットし、上位層処理部がＵＬ−ＤＬ設定を設定した場合、制御部は、サブフレームが、第２のＵＬ−ＤＬ設定において所定のスペシャルサブフレームである場合、上りリンク制御チャネルリソースのインデクスを決定する際に、サブフレームにおける１つの拡張物理下りリンク制御チャネルセット内における拡張制御チャネル要素の数を０にセットすることを特徴としている。【００２０】
（９）また、本発明の一様態における通信方法は、端末装置における通信方法であって、共通ＲＲＣメッセージによって設定される第１のＵＬ−ＤＬ設定をセットし、サブフレームが、第１のＵＬ−ＤＬ設定において、所定のスペシャルサブフレームであるか否かに基づいて、上りリンク制御チャネルリソースのインデクスを決定する際に、サブフレームにおける１つの拡張物理下りリンク制御チャネルセット内における拡張制御チャネル要素の数を０とセットするか否かを決定し、物理下りリンク制御チャネルで送信される下りリンク制御情報によって示される第２のＵＬ−ＤＬ設定がセットされた場合、サブフレームが、第２のＵＬ−ＤＬ設定において、所定のスペシャルサブフレームであるか否かに基づいて、上りリンク制御チャネルリソースのインデクスを決定する際に、サブフレームにおける１つの拡張物理下りリンク制御チャネルセット内における拡張制御チャネル要素の数を０とセットし、所定のスペシャルサブフレームは、下りリンク送信を行う領域（ＤｗＰＴＳ）とガードピリオド（ＧＰ）と上りリンク送信を行う領域（ＵｐＰＴＳ）の順で３つの領域を含むサブフレームであることを特徴としている。【００２１】
（１０）また、本発明の一様態における通信方法は、基地局装置における通信方法であって、共通ＲＲＣメッセージによって第１のＵＬ−ＤＬ設定を設定し、サブフレームが、第１のＵＬ−ＤＬ設定において、所定のスペシャルサブフレームであるか否かに基づいて、上りリンク制御チャネルリソースのインデクスを決定する際に、サブフレームにおける１つの拡張物理下りリンク制御チャネルセット内における拡張制御チャネル要素の数を０とセットするか否かを決定し、物理下りリンク制御チャネルで送信される下りリンク制御情報によって示される第２のＵＬ−ＤＬ設定が設定された場合、サブフレームが、第２のＵＬ−ＤＬ設定において所定のスペシャルサブフレームである場合に、上りリンク制御チャネルリソースのインデクスを決定する際に、サブフレームにおける１つの拡張物理下りリンク制御チャネルセット内における拡張制御チャネル要素の数を０とセットし、所定のスペシャルサブフレームは、下りリンク送信を行う領域（ＤｗＰＴＳ）とガードピリオド（ＧＰ）と上りリンク送信を行う領域（ＵｐＰＴＳ）の順で３つの領域を含むサブフレームであることを特徴としている。
【発明の効果】
【００２２】
この発明のいくつかの態様によれば、無線リソースを効率的に使用した通信を可能とすることができる。
【図面の簡単な説明】
【００２３】
【図１】本実施形態における無線通信システムの概念図である。
【図２】無線フレームの構成を示す図である。
【図３】スロットの構成を示す図である。
【図４】下りリンクサブフレームにおける信号の配置の例を示す図である。
【図５】上りリンクサブフレームにおける信号の配置の例を示す図である。
【図６】スペシャルサブフレームにおける信号の配置の例を示す図である。
【図７】上りリンク−下りリンク設定の例を示す表である。
【図８】第１のＵＬ参照ＵＬ−ＤＬ設定および第１のＤＬ参照ＵＬ−ＤＬ設定のセッティング方法を示すフロー図である。
【図９】第２のＵＬ参照ＵＬ−ＤＬ設定のセッティング方法を示すフロー図である。
【図１０】他のサービングセル（プライマリセル）に対する第１のＵＬ参照ＵＬ−ＤＬ設定、および、サービングセル（セカンダリセル）に対する第１のＵＬ参照ＵＬ−ＤＬ設定によって形成されるペア、および、セカンダリセルに対する第２のＵＬ参照ＵＬ−ＤＬ設定の対応を示す図である。
【図１１】第２のＤＬ参照ＵＬ−ＤＬ設定のセッティング方法を示すフロー図である。
【図１２】プライマリセルに対する第１のＤＬ参照ＵＬ−ＤＬ設定、および、セカンダリセルに対する第１のＤＬ参照ＵＬ−ＤＬ設定によって形成されるペア、および、セカンダリセルに対する第２のＤＬ参照ＵＬ−ＤＬ設定の対応を示す図である。
【図１３】ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。
【図１４】ＰＵＳＣＨが配置されるサブフレームｎと前記ＰＵＳＣＨが対応するＰＨＩＣＨが配置されるサブフレームｎ＋ｋとの対応を示す図である。
【図１５】ＰＤＳＣＨが配置されるサブフレームｎ−ｋと前記ＰＤＳＣＨが対応するＨＡＲＱ−ＡＣＫが送信されるサブフレームｎとの対応を示す図である。
【図１６】スペシャルサブフレームの設定を示す図である。
【図１７】本実施形態における通信方法を説明するための図である。
【図１８】本実施形態における通信方法を説明するための別の図である。
【図１９】本実施形態における通信方法を説明するための別の図である。
【図２０】本実施形態における通信方法を説明するための別の図である。
【図２１】本実施形態におけるＰＤＣＣＨフォーマットとＥＰＤＣＣＨあたりのＥＣＣＥの数（アグリゲーションレベル）の対応表を示す図である。
【図２２】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図２３】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図２４】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図２５】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図２６】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図２７】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図２８】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図２９】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図３０】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図３１】本実施形態におけるＥＰＤＣＣＨ−ＰＲＢセットに含まれるＰＲＢ数とアグリゲーションレベルとモニタされるＥＰＤＣＣＨ候補の数との対応表を示す図である。
【図３２】本実施形態におけるＨＡＲＱ−ＡＣＫリソースオフセットフィールドの値とＨＡＲＱ−ＡＣＫリソースオフセット値の関係を示す図である。
【図３３】本実施形態におけるＨＡＲＱ−ＡＣＫリソースオフセットフィールドの値とＨＡＲＱ−ＡＣＫリソースオフセット値の関係を示す図である。
【図３４】端末装置１の構成を示す概略ブロック図である。
【図３５】基地局装置３の構成を示す概略ブロック図である。
【発明を実施するための形態】
【００２４】
以下、本発明の実施形態について説明する。
【００２５】
本実施形態では、端末装置は、複数のセルが設定されてもよい。端末装置が複数のセルを介して通信する技術を、セルアグリゲーション、またはキャリアアグリゲーションと称する。ここで、端末装置に対して設定される複数のセルのそれぞれにおいて、本実施形態が適用されてもよい。また、端末装置に対して設定される複数のセルの一部において、本発明が適用されてもよい。ここで、端末装置に対して設定されるセルを、サービングセルとも称する。
【００２６】
また、設定される複数のセルは、１つのプライマリセルと１つまたは複数のセカンダリセルとを含む。プライマリセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリセルと指示されたセルであってもよい。ここで、ＲＲＣコネクションが確立された時点、または、後に、セカンダリセルが設定されてもよい。
【００２７】
また、本実施形態における無線通信システムでは、少なくともＴＤＤ（Time Division Duplex）方式が適用される。例えば、セルアグリゲーションの場合には、複数のセルの全てに対してＴＤＤ方式が適用されてもよい。また、セルアグリゲーションの場合には、ＴＤＤ方式が適用されるセルとＦＤＤ（Frequency Division Duplex）方式が適用されるセルが集約されてもよい。すなわち、セルアグリゲーションの場合には、一部のセルに対して本実施形態が適用されてもよい。
【００２８】
図１は、本実施形態における無線通信システムの概念図である。図１に示すように、本実施形態における無線通信システムは、端末装置１Ａ〜１Ｃ、および基地局装置３を具備する。以下、端末装置１Ａ〜１Ｃを、端末装置１とも記載する。
【００２９】
本実施形態における物理チャネルおよび物理信号について説明する。
【００３０】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３１】
ＰＵＣＣＨは、上りリンク制御情報（Uplink Control Information: UCI）を送信するために用いられる。上りリンク制御情報は、下りリンクのチャネル状態情報（Channel State Information: CSI）、ＰＵＳＣＨリソースの要求を示すスケジューリング要求（Scheduling Request: SR）を含む。また、上りリンク制御情報は、下りリンクデータ（Downlink Transport block, Downlink-Shared Channel: DL-SCH）に対するＡＣＫ（acknowledgement）／ＮＡＣＫ（negative-acknowledgement）を含む。ここで、ＡＣＫ／ＮＡＣＫを、ＨＡＲＱ−ＡＣＫ、ＨＡＲＱフィードバック、または、応答情報とも称する。
【００３２】
ＰＵＳＣＨは、上りリンクデータ（Uplink Transport block, Uplink-Shared Channel: UL-SCH）を送信するために用いられる。すなわち、ＵＬ−ＳＣＨでの上りリンクデータの送信は、ＰＵＳＣＨを経由して行なわれる。すなわち、トランスポートチャネルであるＵＬ−ＳＣＨは、物理チャネルであるＰＵＳＣＨにマップされる。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００３３】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００３４】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられる。
【００３５】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３６】
本実施形態において、以下の２つのタイプの上りリンク参照信号が用いられる。
・ＤＭＲＳ（Demodulation Reference Signal）
・ＳＲＳ（Sounding Reference Signal）
【００３７】
ＤＭＲＳは、ＰＵＳＣＨまたはＰＵＣＣＨの送信に関連する。ＤＭＲＳは、ＰＵＳＣＨまたはＰＵＣＣＨと時間多重される。例えば、基地局装置３は、ＰＵＳＣＨまたはＰＵＣＣＨの伝搬路補正を行なうためにＤＭＲＳを使用する。
【００３８】
ＳＲＳは、ＰＵＳＣＨまたはＰＵＣＣＨの送信に関連しない。基地局装置３は、上りリンクのチャネル状態を測定するためにＳＲＳを使用する。端末装置１は、上位層によって設定された第１のリソースにおいて第１のＳＲＳを送信する。さらに、端末装置１は、ＰＤＣＣＨを介してＳＲＳの送信を要求することを示す情報を受信した場合に、上位層によって設定された第２のリソースにおいて第２のＳＲＳを１回のみ送信する。ここで、第１のＳＲＳを、ピリオディックＳＲＳまたはタイプ０トリガードＳＲＳとも称する。また、第２のＳＲＳを、アピリオディックＳＲＳまたはタイプ１トリガードＳＲＳとも称する。
【００３９】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４０】
ＰＢＣＨは、端末装置１で共通に用いられるマスターインフォメーションブロック（Master Information Block: MIB, Broadcast Channel: BCH）を報知するために用いられる。例えば、ＭＩＢは、４０ｍｓ間隔で送信される。また、ＭＩＢは、１０ｍｓ周期で繰り返し送信される。また、ＭＩＢには、ＳＦＮ（System Frame Number）を示す情報が含まれる。ここで、ＳＦＮは、無線フレームの番号を示す。また、ＭＩＢはシステム情報である。
【００４１】
ＰＣＦＩＣＨは、ＰＤＣＣＨの送信に用いられる領域（ＯＦＤＭシンボル）を指示する情報を送信するために用いられる。
【００４２】
ＰＨＩＣＨは、基地局装置３が受信した上りリンクデータに対するＡＣＫ（acknowledgement）／ＮＡＣＫ（negative-acknowledgement）を示すＨＡＲＱインディケータ（ＨＡＲＱフィードバック、応答情報）を送信するために用いられる。
【００４３】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。下りリンク制御情報を、ＤＣＩフォーマットと称してもよい。
【００４４】
例えば、下りリンクに対するＤＣＩフォーマットとして、１つのセルにおける１つのＰＤＳＣＨ（１つの下りリンクトランスポートブロックの送信）のスケジューリングのために使用されるＤＣＩフォーマット１Ａが定義される。例えば、下りリンクに対するＤＣＩフォーマットとして、ＤＣＩフォーマット１Ａ、ＤＣＩフォーマット１Ｂ、ＤＣＩフォーマット１Ｄ、ＤＣＩフォーマット１、ＤＣＩフォーマット２Ａ、ＤＣＩフォーマット２Ｂ、ＤＣＩフォーマット２Ｃ、ＤＣＩフォーマット２Ｄが定義される。
【００４５】
例えば、下りリンクに対するＤＣＩフォーマットには、ＰＤＳＣＨのスケジューリングに関する情報が含まれる。例えば、下りリンクに対するＤＣＩフォーマットには、リソースブロック割り当てに関する情報、ＭＣＳ（Modulation and Coding Scheme）に関する情報、ＰＵＣＣＨに対するＴＰＣコマンドに関する情報、下りリンク割り当てインデックス（Downlink Assignment Index: DAI）などの下りリンク制御情報が含まれる。ここで、下りリンクに対するＤＣＩフォーマットを、下りリンクグラント（または、下りリンクアサインメント）とも称する。
【００４６】
また、例えば、上りリンクに対するＤＣＩフォーマットとして、１つのセルにおける１つのＰＵＳＣＨ（１つの上りリンクトランスポートブロックの送信）のスケジューリングのために使用されるＤＣＩフォーマット０が定義される。
【００４７】
例えば、上りリンクに対するＤＣＩフォーマットには、ＰＵＳＣＨのスケジューリングに関する情報やが含まれる。例えば、上りリンクに対するＤＣＩフォーマットには、リソースブロック割り当てに関する情報、ＭＣＳに関する情報、ＰＵＳＣＨに対するＴＰＣコマンドに関する情報などの下りリンク制御情報が含まれる。ここで、上りリンクに対するＤＣＩフォーマットを、上りリンクグラント（または、上りリンクアサインメント）とも称する。
【００４８】
端末装置１は、下りリンクアサインメントを用いてＰＤＳＣＨのリソースがスケジュールされた場合、スケジュールされたＰＤＳＣＨで下りリンクデータを受信する。また、端末装置１は、上りリンクグラントを用いてＰＵＳＣＨのリソースがスケジュールされた場合、スケジュールされたＰＵＳＣＨで上りリンクデータおよび／または上りリンク制御情報を送信する。
【００４９】
また、端末装置１は、ＰＤＣＣＨ候補（PDCCH candidates）および／またはＥＰＤＣＣＨ候補（EPDCCH candidates）のセットをモニタする。以下の説明において、ＰＤＣＣＨは、ＰＤＣＣＨおよび／またはＥＰＤＤＣＨを示していてもよい。ＰＤＣＣＨ候補とは、基地局装置３によって、ＰＤＣＣＨがマップおよび送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００５０】
ここで、端末装置１が、モニタするＰＤＣＣＨ候補のセットは、サーチスペースとも称される。サーチスペースには、コモンサーチスペース（CSS: Common Search Space）およびユーザ装置スペシフィックサーチスペース（USS: UE-specific Search Space）が含まれる。ＣＳＳは、複数の端末装置１が共通してＰＤＣＣＨ／ＥＰＤＣＣＨをモニタする領域である。また、ＵＳＳは、少なくともＣ−ＲＮＴＩに基づいて定義される領域である。端末装置１は、ＣＳＳおよび／またはＵＳＳにおいて、ＰＤＣＣＨをモニタし、自装置宛てのＰＤＣＣＨを検出する。
【００５１】
基地局装置３は、端末装置１がＥＰＤＣＣＨをモニタするサブフレーム（ＥＰＤＣＣＨをモニタすべきサブフレームでもよい）を、端末装置１に対して設定してもよい。ここで、端末装置１がＥＰＤＣＣＨをモニタするサブフレームは、端末装置１がＥＰＤＤＣＨのＵＳＳをモニタするサブフレーム（ＥＰＤＤＣＨのＵＳＳをモニタすべきサブフレームでもよい）を含んでもよい。また、端末装置１がＥＰＤＣＣＨをモニタするサブフレームは、予め規定されたルールに基づいたサブフレームを除く、端末装置１がＥＰＤＤＣＨのＵＳＳをモニタするサブフレームを含んでもよい。
【００５２】
例えば、基地局装置は、ＲＲＣメッセージに、端末装置１がＥＰＤＣＣＨをモニタするサブフレームを示す情報（パラメータでもよい、subframePatternConfig）を含めて送信してもよい。また、端末装置１がＥＰＤＣＣＨをモニタするサブフレームは、各セルに対して設定されてもよい。
【００５３】
また、下りリンク制御情報の送信（ＰＤＣＣＨでの送信）には、基地局装置３が端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００５４】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも呼称される）。すなわち、端末装置１は、ＲＮＴＩによってスクランブルされたＣＲＣを伴うＰＤＣＣＨを検出する。また、端末装置１は、ＲＮＴＩによってスクランブルされたＣＲＣパリティビットが付加されたＤＣＩフォーマットを伴うＰＤＣＣＨを検出する。
【００５５】
ここで、ＲＮＴＩには、Ｃ−ＲＮＴＩ(Cell-Radio Network Temporary Identifier)が含まれる。Ｃ−ＲＮＴＩは、ＲＲＣ接続およびスケジューリングの識別に対して使用される、端末装置１に対するユニークな（一意的な）識別子である。Ｃ−ＲＮＴＩは、動的（dynamically）にスケジュールされるユニキャスト送信のために利用される。
【００５６】
また、ＲＮＴＩには、ＳＰＳ  Ｃ−ＲＮＴＩ(Semi-Persistent Scheduling C-RNTI)が含まれる。ＳＰＳ  Ｃ−ＲＮＴＩは、セミパーシステントスケジューリングに対して使用される、端末装置１に対するユニークな（一意的な）識別子である。ＳＰＳ  Ｃ−ＲＮＴＩは、半持続的（semi-persistently）にスケジュールされるユニキャスト送信のために利用される。
【００５７】
ここで、半持続的にスケジュールされる送信とは、周期的（periodically）にスケジュールされる送信の意味が含まれる。例えば、ＳＰＳ  Ｃ−ＲＮＴＩは、半持続的にスケジュールされる送信の活性化（activation）、再活性化（reactivation）および／または再送信（retransmission）のために利用される。また、ＳＰＳ  Ｃ−ＲＮＴＩは、半持続的にスケジュールされた送信のリリース（release）および／または非活性化（deactivation）のために利用される。ここで、半持続的なスケジューリングは、プライマリセルのみにおいて行われてもよい。
【００５８】
例えば、基地局装置３は、下りリンクに対するＤＣＩフォーマット（例えば、ＤＣＩフォーマット１、または、ＤＣＩフォーマット１Ａ）を用いて、半永続的なＰＤＳＣＨのリソース（物理リソースブロック）を割り当てることができ、且つ、半永続的なＰＤＳＣＨでの送信の活性化を端末装置１に対して指示してもよい。また、基地局装置３は、下りリンクに対するＤＣＩフォーマットを用いて、半永続的なＰＤＳＣＨのリソースのリリース（非活性化）を端末装置１に対して指示してもよい。
【００５９】
ここで、半永続的なＰＤＳＣＨのリソースのリリースは、ＳＰＳ  Ｃ−ＲＮＴＩによってスクランブルされたＣＲＣパリティビットが付加されたＤＣＩフォーマットに含まれる下りリンク制御情報のフィールドを、ある特定の値にセットすることによって指示されてもよい。例えば、ＤＣＩフォーマット１Ａに含まれる、ＨＡＲＱプロセス番号のフィールドが“００００”にセットされ、ＭＣＳのフィールドが“１１１１１”にセットされ、リダンダンシーバージョンのフィールドが“００”にセットされ、リソースブロック割り当てのフィールドが“全て１”にセットされることによって、半永続的なＰＤＳＣＨのリソースのリリースが指示されてもよい。
【００６０】
ここで、半永続的なＰＤＳＣＨのリソースのリリースを指示するＤＣＩフォーマットは、下りリンクのＳＰＳリリースを指示するＰＤＣＣＨ（a PDCCH indicating downlink SPS release）、または、下りリンクのＳＰＳリリースを指示するＥＰＤＣＣＨ（a EPDCCH indicating downlink SPS release）とも称される。以下、下りリンクのＳＰＳリリースを指示するＰＤＣＣＨ、または、下りリンクのＳＰＳリリースを指示するＥＰＤＣＣＨを総称して、下りリンクのＳＰＳリリースを指示するＰＤＣＣＨ／ＥＰＤＣＣＨ（a PDCCH/EPDCCH indicating downlink SPS release）とも記載する。
【００６１】
ＰＤＳＣＨは、下りリンクデータを送信するために用いられる。以下、ＰＤＳＣＨでの下りリンクデータの送信を、ＰＤＳＣＨでの送信とも記載する。また、ＰＤＳＣＨでの下りリンクデータの受信を、ＰＤＳＣＨでの受信とも記載する。
【００６２】
また、ＰＤＳＣＨは、システムインフォメーションブロックタイプ１メッセージを送信するために用いられる。また、システムインフォメーションブロックタイプ１メッセージは、セルスペシフィック（セル固有）な情報である。また、システムインフォメーションブロックタイプ１メッセージは、ＲＲＣメッセージ（共通ＲＲＣメッセージ、端末共通のＲＲＣメッセージ）である。
【００６３】
また、ＰＤＳＣＨは、システムインフォメーションメッセージを送信するために用いられる。システムインフォメーションメッセージは、システムインフォメーションブロックタイプ１以外のシステムインフォメーションブロックＸを含んでもよい。また、システムインフォメーションメッセージは、セルスペシフィック（セル固有）な情報である。また、システムインフォメーションメッセージは、ＲＲＣメッセージである。
【００６４】
また、ＰＤＳＣＨは、ＲＲＣメッセージを送信するために用いられる。ここで、基地局装置３から送信されるＲＲＣメッセージは、セル内における複数の端末装置１に対して共通であってもよい。また、基地局装置３から送信されるＲＲＣメッセージは、ある端末装置１に対して専用のメッセージ（dedicated signalingとも称する）であってもよい。すなわち、ユーザ装置スペシフィック（ユーザ装置固有）な情報は、ある端末装置１に対して専用のメッセージを使用して送信される。また、ＰＤＳＣＨは、ＭＡＣ  ＣＥを送信するために用いられる。
【００６５】
ここで、ＲＲＣメッセージおよび／またはＭＡＣ  ＣＥを、上位層の信号（higher layer signaling）とも称する。
【００６６】
ＰＭＣＨは、マルチキャストデータ（Multicast Channel: MCH）を送信するために用いられる。
【００６７】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００６８】
同期信号は、端末装置１が下りリンクの周波数領域および時間領域の同期をとるために用いられる。例えば、ＴＤＤ方式において、同期信号は無線フレーム内のサブフレーム０、１、５、６に配置される。また、ＦＤＤ方式において、同期信号は無線フレーム内のサブフレーム０と５に配置される。
【００６９】
下りリンク参照信号は、端末装置１が下りリンク物理チャネルの伝搬路補正を行なうために用いられる。また、下りリンク参照信号は、端末装置１が下りリンクのチャネル状態情報を算出するために用いられてもよい。
【００７０】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００７１】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００７２】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００７３】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。例えば、ＣＲＳは、アンテナポートｉ（ｉ＝０、１、２、３）の１つ、または、いくつかで（on one or several of antenna ports 0 to 3）送信される。
【００７４】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００７５】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。
【００７６】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００７７】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００７８】
ＰＲＳは、端末装置が、自装置の地理的な位置を測定するために用いられる。
【００７９】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００８０】
また、ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００８１】
以下、無線フレーム（radio frame）の構成について説明する。
【００８２】
図２は、本実施形態における無線フレームの概略構成を示す図である。図２において、横軸は時間軸を示している。例えば、それぞれの無線フレームの長さは、Ｔｆ＝３０７２００・Ｔｓ＝１０ｍｓである。ここで、Ｔｆは、無線フレーム期間（Radio frame duration）と呼称される。また、Ｔｓは、基準時間単位（Basic time unit）と呼称される。また、それぞれの無線フレームは２つのハーフフレームから構成され、それぞれのハーフフレームの長さは１５３６００・Ｔｓ＝５ｍｓである。また、それぞれのハーフフレームは５つのサブフレームから構成され、それぞれのサブフレームの長さは３０７２０・Ｔｓ＝１ｍｓである。
【００８３】
また、それぞれのサブフレームは２つの連続するスロットによって定義され、それぞれのスロットの長さは、Ｔｓｌｏｔ＝１５３６０・Ｔｓ＝０．５ｍｓ長である。また、無線フレーム内のｉ番目のサブフレームは、（２×ｉ）番目のスロットと（２×ｉ＋１）番目のスロットとから構成される。すなわち、１０ｍｓ間隔のそれぞれにおいて、１０個のサブフレームが利用できる。ここで、サブフレームを、ＴＴＩ（Transmission Time Interval）とも称する。
【００８４】
本実施形態において、以下の３つのタイプのサブフレームが定義される。
・下りリンクサブフレーム（第１のサブフレーム）
・上りリンクサブフレーム（第２のサブフレーム）
・スペシャルサブフレーム（第３のサブフレーム）
【００８５】
下りリンクサブフレームは、下りリンク送信のためにリザーブされるサブフレームである。また、上りリンクサブフレームは上りリンク送信のためにリザーブされるサブフレームである。また、スペシャルサブフレームは３つのフィールドから構成される。該３つのフィールドは、ＤｗＰＴＳ（Downlink Pilot Time Slot）、ＧＰ（Guard Period）、および、ＵｐＰＴＳ（Uplink Pilot Time Slot）である。
【００８６】
例えば、サブフレーム０、サブフレーム５、および、ＤｗＰＴＳは、常に下りリンク送信のためにリザーブされてもよい。また、ＵｐＰＴＳ、および、スペシャルサブフレームの後のサブフレームは、常に上りリンク送信のためにリザーブされてもよい。ここで、単一の無線フレームは、少なくとも下りリンクサブフレーム、上りリンクサブフレーム、およびスペシャルサブフレームから構成される。
【００８７】
また、無線フレームにおいて、５ｍｓと１０ｍｓの下りリンク−上りリンク・スイッチポイント周期（downlink-to-uplink switch-point periodicity）がサポートされる。下りリンク‐上りリンク・スイッチポイント周期が５ｍｓの場合には、無線フレーム内の両方のハーフフレームに、スペシャルサブフレームが含まれる。また、下りリンク‐上りリンク・スイッチポイント周期が１０ｍｓの場合には、無線フレーム内の最初のハーフフレームのみに、スペシャルサブフレームが含まれる。
【００８８】
以下、スロットの構成について説明する。
【００８９】
図３は、本実施形態におけるスロットの構成を示す図である。図３において、横軸は時間軸を、縦軸は周波数軸を示している。また、スロットのそれぞれにおいて送信される物理信号または物理チャネルは、リソースグリッドによって表現される。下りリンクにおいて、リソースグリッドは、複数のサブキャリアと複数のＯＦＤＭシンボルによって定義される。上りリンクにおいて、リソースグリッドは、複数のサブキャリアと複数のＳＣ−ＦＤＭＡシンボルによって定義される。
【００９０】
また、１つのスロットを構成するサブキャリアの数は、セルの帯域幅に依存する。例えば、１つのスロットを構成するＯＦＤＭシンボルまたはＳＣ−ＦＤＭＡシンボルの数は７である。ここで、リソースグリッド内のエレメントのそれぞれをリソースエレメントと称する。また、リソースエレメントは、サブキャリアの番号とＯＦＤＭシンボルまたはＳＣ−ＦＤＭＡシンボルの番号とを用いて識別される。
【００９１】
リソースブロックは、ある物理チャネル（ＰＤＳＣＨ、ＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。
【００９２】
例えば、１つの物理リソースブロックは、時間領域において７個の連続するＯＦＤＭシンボルまたはＳＣ−ＦＤＭＡシンボルと、周波数領域において１２個の連続するサブキャリアとから定義される。すなわち、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００９３】
以下、サブフレームのそれぞれにおいて送信される物理チャネルおよび物理信号について説明する。
【００９４】
図４は、本実施形態における下りリンクサブフレームにおける物理チャネルおよび物理信号の配置の一例を示す図である。図４において、横軸は時間軸を、縦軸は周波数軸を示している。図４に示すように、基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および、下りリンク物理信号（同期信号、下りリンク参照信号）を送信してもよい。ここで、説明の簡略化のため、図４において下りリンク参照信号は図示しない。
【００９５】
ここで、ＰＤＣＣＨの領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨの領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００９６】
図５は、本実施形態における上りリンクサブフレームにおける物理チャネルおよび物理信号の配置の一例を示す図である。図５において、横軸は時間軸を、縦軸は周波数軸を示している。端末装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。
【００９７】
ここで、ＰＵＣＣＨの領域において、複数のＰＵＣＣＨが周波数、時間、および符合多重されてもよい。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００９８】
また、ＳＲＳは、上りリンクサブフレーム内の最後のＳＣ−ＦＤＭＡシンボルを用いて送信されてもよい。端末装置１は、単一のセルの単一のＳＣ−ＦＤＭＡシンボルにおいて、ＳＲＳの送信と、ＰＵＣＣＨ／ＰＵＳＣＨ／ＰＲＡＣＨでの送信と、を同時に行なうことはできない。端末装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いて、ＰＵＳＣＨおよび／またはＰＵＣＣＨでの送信を行ない、該上りリンクサブフレーム内の最後のＳＣ−ＦＤＭＡシンボルを用いてＳＲＳの送信を行なうことができる。
【００９９】
すなわち、単一のセルの単一の上りリンクサブフレームにおいて、端末装置１は、ＳＲＳの送信と、ＰＵＳＣＨ／ＰＵＣＣＨでの送信と、の両方を行なうことができる。ここで、ＤＭＲＳはＰＵＣＣＨまたはＰＵＳＣＨと時間多重されてもよい。ここで、説明の簡略化のため、図５においてＤＭＲＳは図示しない。
【０１００】
図６は、本実施形態におけるスペシャルサブフレームにおける物理チャネルおよび物理信号の配置の一例を示す図である。図６において、横軸は時間軸を、縦軸は周波数軸を示している。
【０１０１】
例えば、図６に示すように、ＤｗＰＴＳはスペシャルサブフレーム内の１番目から１０番目のＯＦＤＭＡシンボル（第１のスロットのＯＦＤＭＡシンボル０から６、および、第２のスロットのＯＦＤＭＡシンボル０から２）から構成される。また、ＧＰはスペシャルサブフレーム内の１１番目と１２番目のシンボル（第２のスロットのシンボル３とシンボル４）に対応する期間から構成される。また、ＵｐＰＴＳはスペシャルサブフレーム内の１３番目と１４番目のＳＣ−ＦＤＭＡシンボル（第２のスロットのＳＣ−ＦＤＭＡシンボル５とＳＣ−ＦＤＭＡシンボル６）から構成される。
【０１０２】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。また、基地局装置３は、スペシャルサブフレームのＤｗＰＴＳにおいて、ＰＢＣＨを送信しなくてもよい。また、端末装置１は、スペシャルサブフレームのＵｐＰＴＳにおいて、ＰＲＡＣＨ、およびＳＲＳを送信してもよい。すなわち、端末装置１は、スペシャルサブフレームのＵｐＰＴＳにおいて、ＰＵＣＣＨ、ＰＵＳＣＨ、およびＤＭＲＳを送信しなくてもよい。ここで、説明の簡略化のため、図６において下りリンク参照信号は図示しない。
【０１０３】
以下、第１のＵＬ参照ＵＬ−ＤＬ設定（uplink reference uplink-downlink configuration）、第１のＤＬ参照ＵＬ−ＤＬ設定（downlink reference uplink-downlink configuration）、第２のＵＬ参照ＵＬ−ＤＬ設定、第２のＤＬ参照ＵＬ−ＤＬ設定、および、第３のＵＬ−ＤＬ設定（uplink-downlink configuration）について説明する。
【０１０４】
ここで、第３のＵＬ−ＤＬ設定を、明示的なレイヤ１の信号（Explicit L1 signaling）とも称する。また、第３のＵＬ−ＤＬ設定を、明示的なレイヤ１の設定（Explicit L1 configuration）とも称する。また、第３のＵＬ−ＤＬ設定を、送信方向ＵＬ−ＤＬ設定（transmission direction uplink-downlink configuration）とも称する。
【０１０５】
例えば、第１のＵＬ参照ＵＬ−ＤＬ設定、第１のＤＬ参照ＵＬ−ＤＬ設定、第２のＵＬ参照ＵＬ−ＤＬ設定、第２のＤＬ参照ＵＬ−ＤＬ設定、および、第３のＵＬ−ＤＬ設定は、ＵＬ−ＤＬ設定（uplink - downlink configuration, UL - DL configuration）によって定義される。
【０１０６】
ここで、ＵＬ−ＤＬ設定とは、無線フレーム内におけるサブフレームのパターンに関する設定である。すなわち、ＵＬ−ＤＬ設定は、無線フレーム内におけるサブフレームのそれぞれが、下りリンクサブフレーム、上りリンクサブフレーム、および、スペシャルサブフレームのいずれであるかを示す。
【０１０７】
すなわち、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、第３のＵＬ−ＤＬ設定は、無線フレーム内における下りリンクサブフレーム、上りリンクサブフレーム、および、スペシャルサブフレームのパターンによって定義される。
【０１０８】
例えば、下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものであり、好ましくは、ＤとＵとＳ（それぞれ下りリンクサブフレーム、上りリンクサブフレーム、および、スペシャルサブフレームを示す）の長さ１０となる任意の組み合わせで表現される。より好ましくは、先頭（つまりサブフレーム＃０）がＤで、２番目（つまりサブフレーム＃１）がＳである。
【０１０９】
図７は、本実施形態におけるＵＬ−ＤＬ設定の一例を示す表である。図７において、Ｄは下りリンクサブフレームを示し、Ｕは上りリンクサブフレームを示し、Ｓはスペシャルサブフレームを示す。
【０１１０】
ここで、第１または第２のＵＬ参照ＵＬ−ＤＬ設定としてＵＬ−ＤＬ設定ｉがセットされることを、第１または第２のＵＬ参照ＵＬ−ＤＬ設定ｉがセットされると称する。また、第１または第２のＤＬ参照ＵＬ−ＤＬ設定としてＵＬ−ＤＬ設定ｉがセットされることを、第１または第２のＤＬ参照ＵＬ−ＤＬ設定ｉがセットされると称する。また、第３のＵＬ−ＤＬ設定としてＵＬ−ＤＬ設定ｉがセットされることを、第３のＵＬ−ＤＬ設定ｉがセットされると称する。
【０１１１】
また、ＵＬ参照ＵＬ−ＤＬ設定としてＵＬ−ＤＬ設定ｉがセットされることを、ＵＬ参照ＵＬ−ＤＬ設定ｉがセットされると称する。また、ＤＬ参照ＵＬ−ＤＬ設定としてＵＬ−ＤＬ設定ｉがセットされることを、ＤＬ参照ＵＬ−ＤＬ設定ｉがセットされると称する。
【０１１２】
以下、第１のＵＬ参照ＵＬ−ＤＬ設定、第１のＤＬ参照ＵＬ−ＤＬ設定、および、第３のＵＬ−ＤＬ設定にセッティング方法ついて説明する。
【０１１３】
基地局装置３は、第１のＵＬ参照ＵＬ−ＤＬ設定、第１のＤＬ参照ＵＬ−ＤＬ設定、および、第３のＵＬ−ＤＬ設定をセットする。ＤＬ参照ＵＬ−ＤＬ設定、および、第３のＵＬ−ＤＬ設定は、ダイナミックＴＤＤが設定されない場合にも用いられるＵＬ−ＤＬ設定（第１のＵＬ参照ＵＬ−ＤＬ設定）に加えて、ダイナミックＴＤＤのためにセットされるＵＬ−ＤＬ設定である。
【０１１４】
また、基地局装置３は、第１のＵＬ参照ＵＬ−ＤＬ設定を示す第１の情報（TDD-Config）を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて、端末装置１に送信してもよい。
【０１１５】
また、基地局装置３は、第１のＤＬ参照ＵＬ−ＤＬ設定を示す第２の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて、端末装置１に送信してもよい。
【０１１６】
また、基地局装置３は、第３のＵＬ−ＤＬ設定を示す第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて、端末装置１に送信してもよい。
【０１１７】
ここで、複数のセルのそれぞれに対して、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、第３のＵＬ−ＤＬ設定が定義されてもよい。
【０１１８】
すなわち、基地局装置３は、セルのそれぞれに対する、第１の情報、第２の情報、および、第３の情報を、複数のセルが設定された端末装置１に送信してもよい。すなわち、セルのそれぞれに対して、第１の情報、第２の情報、および、第３の情報が設定されてもよい。
【０１１９】
すなわち、複数のセルが設定された端末装置１は、セルのそれぞれに対して、第１の情報、第２の情報、および、第３の情報に基づいて、第１のＵＬ参照ＵＬ−ＤＬ設定、第１のＤＬ参照ＵＬ−ＤＬ設定、および、送信方向ＤＬ−ＵＬ設定をセットしてもよい。
【０１２０】
例えば、プライマリセルに対する第１の情報は、システムインフォメーションブロックタイプ１メッセージ、または、ＲＲＣメッセージに含まれることが好ましい。また、セカンダリセルに対する第１の情報は、ＲＲＣメッセージに含まれることが好ましい。
【０１２１】
また、プライマリセルに対する第２の情報は、システムインフォメーションブロックタイプ１メッセージ、システムインフォメーションメッセージ、または、ＲＲＣメッセージに含まれることが好ましい。また、セカンダリセルに対する第２の情報は、ＲＲＣメッセージ（専用ＲＲＣメッセージ、端末固有のＲＲＣメッセージ）に含まれることが好ましい。また、第３の情報は、物理層の制御情報（例えば、ＤＣＩフォーマット）に含まれることが好ましい。
【０１２２】
ここで、システムインフォメーションブロックタイプ１メッセージは、SFN mod 8 = 0を満たす無線フレームのサブフレーム５においてＰＤＳＣＨで初期送信が行なわれ、SFN mod 2= 0を満たす他の無線フレームにおけるサブフレーム５においてＰＤＳＣＨで再送信（repetition）が行なわれる。例えば、システムインフォメーションブロックタイプ１メッセージは、スペシャルサブフレームの構成（ＤｗＰＴＳ、ＧＰ、およびＵｐＰＴＳの長さ）を示す情報を含んでもよい。また、システムインフォメーションブロックタイプ１メッセージは、セル固有の情報である。
【０１２３】
また、システムインフォメーションメッセージは、ＰＤＳＣＨで送信される。また、システムインフォメーションメッセージは、セル固有の情報である。システムインフォメーションメッセージは、システムインフォメーションブロックタイプ１以外のシステムインフォメーションブロックＸを含む。
【０１２４】
また、ＲＲＣメッセージは、ＰＤＳＣＨで送信される。ここで、ＲＲＣメッセージは、ＲＲＣ層において処理される情報／信号である。ＲＲＣメッセージは、セル内の複数の端末装置１に対して共通であってもよいし、特定の端末装置１に対して専用であってもよい。
【０１２５】
また、ＭＡＣ  ＣＥはＰＤＳＣＨで送信される。ここで、ＭＡＣ  ＣＥは、ＭＡＣ層において処理される情報／信号である。
【０１２６】
図８は、本実施形態における第１のＵＬ参照ＵＬ−ＤＬ設定および第１のＤＬ参照ＵＬ−ＤＬ設定のセッティング方法を示すフロー図である。端末装置１は、複数のセルのそれぞれに対して、図８におけるセッティング方法を実行してもよい。
【０１２７】
端末装置１は、あるセルに対して、第１の情報に基づいて第１のＵＬ参照ＵＬ−ＤＬ設定をセットする（Ｓ８００）。また、端末装置１は、該あるセルに対する第２の情報を受信しているかどうかを判断する（Ｓ８０２）。ここで、端末装置１は、該あるセルに対する第２の情報を受信している場合は、該あるセルに対して、該あるセルに対する第２の情報に基づいて第１のＤＬ参照ＵＬ−ＤＬ設定をセットする（Ｓ８０６）。また、端末装置１は、該あるセルに対する第２の情報を受信していない場合は（else/otherwise）、該あるセルに対して、該あるセルに対する第１の情報に基づいて第１のＤＬ参照ＵＬ−ＤＬ設定をセットする（Ｓ８０４）。
【０１２８】
ここで、第２の情報に基づいて第１のＤＬ参照ＵＬ−ＤＬ設定がセットされているセルを、ダイナミックＴＤＤ（ｅＩＭＴＡでもよい）が設定されているセルとも称する。
【０１２９】
基地局装置３は、ダイナミックＴＤＤに関連する情報（ｅＩＭＴＡに関連する情報）を送信することによって、端末装置１に対してダイナミックＴＤＤ（ｅＩＭＴＡでもよい）を用いて動作することを設定することができる。
【０１３０】
また、あるセルに対する第２の情報を受信していない場合は、第１のＵＬ参照ＵＬ−ＤＬ設定および第１のＤＬ参照ＵＬ−ＤＬ設定は定義されなくてもよい。すなわち、端末装置１は、あるセルに対する第２の情報を受信していない場合は、該あるセルに対して、該あるセルに対する第１の情報に基づいて１つのＵＬ−ＤＬ設定をセットしてもよい。
【０１３１】
また、端末装置１は、第２の情報を受信し、第２の情報に基づいて上りリンクの送信が可能なサブフレームを判断する。次に、端末装置１は、第３の情報をモニタする。端末装置１は、第３の情報を受信した場合に、第３の情報に基づいて上りリンクの送信が可能なサブフレームを判断する。
【０１３２】
例えば、基地局装置３は、ＰＤＣＣＨ／ＥＰＤＣＣＨを用いて、第３の情報を端末装置１に送信してもよい。すなわち、第３の情報は、基地局装置３（セル）がカバレッジ内のダイナミックＴＤＤの動作を制御するために用いられてもよい。ここで、第３の情報は、ＣＳＳおよび／またはＵＳＳにおいて送受信されてもよい。
【０１３３】
端末装置１は、受信した信号に対して復号を試み、第３の情報が送信されるＰＤＣＣＨ／ＥＰＤＣＣＨ（ＤＣＩフォーマットでもよい）が検出されたか否かを判断する。端末装置１は、第３の情報が送信されるＰＤＣＣＨ／ＥＰＤＣＣＨを検出した場合、検出した第３の情報に基づいて、上りリンクの送信が可能なサブフレームを判断する。また、端末装置１は、第３の情報が送信されるＰＤＣＣＨ／ＥＰＤＣＣＨを検出しなかった場合、上りリンクの送信が可能なサブフレームに関して、これまでの判断を維持してもよい。
【０１３４】
以下、第２のＵＬ参照ＵＬ−ＤＬ設定のセッティング方法について説明する。
【０１３５】
基地局装置３および端末装置１は、端末装置１に対して複数のセルが設定されており、少なくとも２つのセルに対する第１のＵＬ参照ＵＬ−ＤＬ設定が異なる場合に、第２のＵＬ参照ＵＬ−ＤＬ設定をセットしてもよい。
【０１３６】
また、基地局装置３および端末装置１は、端末装置１に対して複数のセルが設定されており、少なくとも２つのセルに対する第１のＵＬ参照ＵＬ−ＤＬ設定が異なる場合以外は、第２のＵＬ参照ＵＬ−ＤＬ設定をセットしなくてもよい。ここで、少なくとも２つのサービングセルに対する第１のＵＬ参照ＵＬ−ＤＬ設定が異なる場合以外とは、全ての（例えば、２つの）サービングセルに対する第１のＵＬ参照ＵＬ−ＤＬ設定が同一の場合であることを含んでもよい。
【０１３７】
また、基地局装置３および端末装置１は、端末装置１に対して１つのセル（のみ）が設定されている場合は、第２のＵＬ参照ＵＬ−ＤＬ設定をセットしなくてもよい。
【０１３８】
図９は、本実施形態における第２のＵＬ参照ＵＬ−ＤＬ設定のセッティング方法を示すフロー図である。図９では、端末装置１に対して、１つのプライマリセルと１つのセカンダリセルが設定されていることを示している。ここで、端末装置１は、プライマリセルおよびセカンダリセルのそれぞれに対して、図９におけるセッティング方法を実行してもよい。
【０１３９】
端末装置１は、プライマリセルに対する第１のＵＬ参照ＵＬ−ＤＬ設定およびセカンダリセルに対する第１のＵＬ参照ＵＬ−ＤＬ設定が異なるかどうかを判断する（Ｓ９００）。ここで、端末装置１は、プライマリセルに対する第１のＵＬ参照ＵＬ−ＤＬ設定およびセカンダリセルに対する第１のＵＬ参照ＵＬ−ＤＬ設定が同一の場合は、第２のＵＬ参照ＵＬ−ＤＬ設定をセットせずに、第２のＵＬ参照ＵＬ−ＤＬ設定に対するセッティング処理を終了する。
【０１４０】
また、端末装置１は、プライマリセルに対する第１のＵＬ参照ＵＬ−ＤＬ設定およびセカンダリセルに対する第１のＵＬ参照ＵＬ−ＤＬ設定が異なる場合は、サービングセルがプライマリセルであるか、セカンダリセルであるか、および／または、他のサービングセルにおいて、サービングセルに対応しＣＩＦ（Carrier Indicator Field）をともなうＰＤＣＣＨ／ＥＰＤＣＣＨをモニタするように設定されているかを判断する（Ｓ９０２）。
【０１４１】
ここで、サービングセルがセカンダリセルであり、端末装置１が他のサービングセル（すなわち、プライマリセル）において、サービングセル（セカンダリセル）に対応しＣＩＦをともなうＰＤＣＣＨ／ＥＰＤＣＣＨをモニタするように設定されている場合は、他のサービングセル（プライマリセル）に対する第１のＵＬ参照ＵＬ−ＤＬ設定、および、サービングセル（セカンダリセル）に対する第１のＵＬ参照ＵＬ−ＤＬ設定によって形成されるペアに基づいて、サービングセル（セカンダリセル）に対する第２のＵＬ参照ＵＬ−ＤＬ設定がセットされる（Ｓ９０４）。
【０１４２】
例えば、Ｓ９０４において、端末装置１は、図１０の表に基づいて、サービングセル（セカンダリセル）に対する第２のＵＬ参照ＵＬ−ＤＬ設定をセットする。図１０は、他のサービングセル（プライマリセル）に対する第１のＵＬ参照ＵＬ−ＤＬ設定、および、サービングセル（セカンダリセル）に対する第１のＵＬ参照ＵＬ−ＤＬ設定によって形成されるペア、および、セカンダリセルに対する第２のＵＬ参照ＵＬ−ＤＬ設定の対応を示す図である。
【０１４３】
図１０において、プライマリセルＵＬ−ＤＬ設定は、他のサービングセル（プライマリセル）に対する第１のＵＬ参照ＵＬ−ＤＬ設定を参照する。また、セカンダリセルＵＬ−ＤＬ設定は、サービングセル（セカンダリセル）に対する第１のＵＬ参照ＵＬ−ＤＬ設定を参照する。
【０１４４】
例えば、他のサービングセル（プライマリセル）に対して第１のＵＬ参照ＵＬ−ＤＬ設定０がセットされ、サービングセル（セカンダリセル）に対して第１のＵＬ参照ＵＬ−ＤＬ設定２がセットされている場合には、セカンダリセルに対して第２のＵＬ参照ＵＬ−ＤＬ設定１がセットされる。
【０１４５】
また、サービングセルがプライマリセルである、または、サービングセルがセカンダリセルであり、端末装置１が他のサービングセル（すなわち、プライマリセル）において、サービングセル（セカンダリセル）に対応しＣＩＦをともなうＰＤＣＣＨ／ＥＰＤＣＣＨをモニタするように設定されていない場合は、サービングセルに対する第１のＵＬ参照ＵＬ−ＤＬ設定が、サービングセルに対する第２のＵＬ参照ＵＬ−ＤＬ設定にセットされる（Ｓ９０６）。
【０１４６】
同様に、基地局装置３は、図９に示すセッティング方法に基づいて、第２のＵＬ参照ＵＬ−ＤＬ設定をセットする。
【０１４７】
ここで、ＣＩＦをともなうＰＤＣＣＨ／ＥＰＤＣＣＨをモニタすることは、ＣＩＦを含むＤＣＩフォーマットに応じてＰＤＣＣＨまたはＥＰＤＣＣＨのデコードを試みることの意味を含む。また、ＣＩＦは、キャリアインディケータがマップされるフィールドを示す。また、キャリアインディケータの値は、該キャリアインディケータが関連するＤＣＩフォーマットが対応するサービングセルを示す。
【０１４８】
すなわち、他のサービングセルにおいて、サービングセルに対応しＣＩＦをともなうＰＤＣＣＨ／ＥＰＤＣＣＨをモニタするように設定されている端末装置１は、該他のサービングセルにおいて、ＣＩＦをともなうＰＤＣＣＨ／ＥＰＤＣＣＨをモニタする。
【０１４９】
また、他のサービングセルにおいて、サービングセルに対応しＣＩＦをともなうＰＤＣＣＨ／ＥＰＤＣＣＨをモニタするように設定されている端末装置１は、該他のサービングセルにおいて、該サービングセルに対する第３の情報をＰＤＣＣＨ／ＥＰＤＣＣＨを介して受信することが好ましい。
【０１５０】
また、他のサービングセルにおいて、サービングセルに対応しＣＩＦをともなうＰＤＣＣＨ／ＥＰＤＣＣＨをモニタするように設定されていない端末装置１は、該他のサービングセルにおいてＣＩＦをともなう、または、ＣＩＦをともなわないＰＤＣＣＨ／ＥＰＤＣＣＨをモニタしてもよい。
【０１５１】
また、他のサービングセルにおいて、サービングセルに対応しＣＩＦをともなうＰＤＣＣＨ／ＥＰＤＣＣＨをモニタするように設定されていない端末装置１は、該他のサービングセルにおいて、該サービングセルに対する第３の情報をＰＤＣＣＨ／ＥＰＤＣＣＨを介して受信することが好ましい。
【０１５２】
ここで、プライマリセルに対するＰＤＣＣＨ／ＥＰＤＣＣＨ（ＤＣＩフォーマットでもよい）は、プライマリセルにおいて送信される。すなわち、プライマリセルに対する第３の情報は、プライマリセルのＰＤＣＣＨ／ＥＰＤＣＣＨを介して送信されることが好ましい。
【０１５３】
基地局装置３は、プライマリセルにおいて送信されるＤＣＩフォーマットにＣＩＦが含まれるかどうかを示すパラメータ（cif-Presence-r10）を、端末装置１に送信してもよい。また、基地局装置３は、セカンダリセルのそれぞれに対して、クロスキャリアスケジューリングに関連するパラメータ（CrossCarrierSchedulingConfig-r10）を、端末装置１に送信してもよい。
【０１５４】
ここで、パラメータ（CrossCarrierSchedulingConfig-r10）は、関連するセカンダリセルに対応するＰＤＣＣＨ／ＥＰＤＣＣＨが、該セカンダリセルで送信されるか、他のサービングセルで送信されるかを示すパラメータ（schedulingCellInfo-r10）を含んでもよい。
【０１５５】
また、パラメータ（schedulingCellInfo-r10）が、関連するセカンダリセルに対応するＰＤＣＣＨ／ＥＰＤＣＣＨが該セカンダリセルで送信されることを示している場合、パラメータ（schedulingCellInfo-r10）は、該セカンダリセルにおいて送信されるＤＣＩフォーマットにＣＩＦが含まれるかどうかを示すパラメータ（cif-Presence-r10）を含んでもよい。
【０１５６】
また、パラメータ（schedulingCellInfo-r10）が、関連するセカンダリセルに対応するＰＤＣＣＨ／ＥＰＤＣＣＨが他のサービングセルで送信されることを示している場合、パラメータ（schedulingCellInfo-r10）は、関連する該セカンダリセルに対する下りリンクアサインメントまたは上りリンクグラントが、何れのサービングセルで送られるかを示すパラメータ（schedulingCellId）を含んでもよい。
【０１５７】
以下、第２のＤＬ参照ＵＬ−ＤＬ設定のセッティング方法について説明する。
【０１５８】
例えば、基地局装置３および端末装置１は、端末装置１に対して複数のセルが設定されており、少なくとも２つのセルに対する第１のＤＬ参照ＵＬ−ＤＬ設定が異なる場合に、第２のＤＬ参照ＵＬ−ＤＬ設定をセットする。
【０１５９】
また、基地局装置３および端末装置１は、端末装置１に対して複数のセルが設定されており、少なくとも２つのセルに対する第１のＤＬ参照ＵＬ−ＤＬ設定が異なる場合以外は、第２のＤＬ参照ＵＬ−ＤＬ設定をセットしなくてもよい。ここで、少なくとも２つのセルに対する第１のＤＬ参照ＵＬ−ＤＬ設定が異なる場合以外とは、全ての（例えば、２つの）セルに対する第１のＤＬ参照ＵＬ−ＤＬ設定が同一の場合であることを含んでもよい。
【０１６０】
また、基地局装置３および端末装置１は、端末装置１に対して１つのセル（のみ）が設定されている場合は、第２のＤＬ参照ＵＬ−ＤＬ設定をセットしなくてもよい。
【０１６１】
図１１は、本実施形態における第２のＤＬ参照ＵＬ−ＤＬ設定のセッティング方法を示すフロー図である。図１１では、端末装置１に対して、１つのプライマリセルと１つのセカンダリセルが設定されていることを示している。端末装置１は、プライマリセルおよびセカンダリセルのそれぞれに対して、図１１におけるセッティング方法を実行してもよい。
【０１６２】
端末装置１は、プライマリセルに対する第１のＤＬ参照ＵＬ−ＤＬ設定およびセカンダリセルに対する第１のＤＬ参照ＵＬ−ＤＬ設定が異なるかどうかを判断する（Ｓ１１００）。ここで、端末装置１は、プライマリセルに対する第１のＤＬ参照ＵＬ−ＤＬ設定およびセカンダリセルに対する第１のＤＬ参照ＵＬ−ＤＬ設定が同一の場合は、第２のＤＬ参照ＵＬ−ＤＬ設定をセットせずに、第２のＤＬ参照ＵＬ−ＤＬ設定に対するセッティング処理を終了する。
【０１６３】
また、端末装置１は、プライマリセルに対する第１のＤＬ参照ＵＬ−ＤＬ設定およびセカンダリセルに対する第１のＤＬ参照ＵＬ−ＤＬ設定が異なる場合は、サービングセルがプライマリセルであるか、セカンダリセルであるかを判断する（Ｓ１１０２）。
【０１６４】
ここで、サービングセルがセカンダリセルである場合は、他のサービングセル（すなわち、プライマリセル）に対する第１のＤＬ参照ＵＬ−ＤＬ設、および、サービングセル（セカンダリセル）に対する第１のＤＬ参照ＵＬ−ＤＬ設定によって形成されるペアに基づいて、サービングセル（セカンダリセル）に対する第２のＵＬ参照ＵＬ−ＤＬ設定がセットされる（Ｓ１１０４）。
【０１６５】
例えば、Ｓ１１０４において、端末装置１は、図１２の表に基づいて、サービングセル（セカンダリセル）に対する第２のＤＬ参照ＵＬ−ＤＬ設定をセットする。図１２は、プライマリセルに対する第１のＤＬ参照ＵＬ−ＤＬ設定、および、セカンダリセルに対する第１のＤＬ参照ＵＬ−ＤＬ設定によって形成されるペア、および、セカンダリセルに対する第２のＤＬ参照ＵＬ−ＤＬ設定の対応を示す図である。
【０１６６】
図１２において、プライマリセルＵＬ−ＤＬ設定は、プライマリセルに対する第１のＤＬ参照ＵＬ−ＤＬ設定を参照する。また、セカンダリセルＵＬ−ＤＬ設定は、セカンダリセルに対する第１のＤＬ参照ＵＬ−ＤＬ設定を参照する。
【０１６７】
例えば、プライマリセルに対する第１のＤＬ参照ＵＬ−ＤＬ設定、および、セカンダリセルに対する第１のＤＬ参照ＵＬ−ＤＬ設定によって形成されるペアが、図１２におけるセット１に属する場合は、セカンダリセルに対する第２のＤＬ参照ＵＬ−ＤＬ設定はセット１において定義される。
【０１６８】
また、例えば、端末装置１が、プライマリセルにおいて、セカンダリセルに対応しＣＩＦをともなうＰＤＣＣＨ／ＥＰＤＣＣＨをモニタするように設定されておらず、プライマリセルに対する第１のＤＬ参照ＵＬ−ＤＬ設定、および、セカンダリセルに対する第１のＤＬ参照ＵＬ−ＤＬ設定によって形成されるペアが、図１２におけるセット２に属する場合は、セカンダリセルに対する第２のＤＬ参照ＵＬ−ＤＬ設定はセット２において定義される。
【０１６９】
また、プライマリセルに対して第１のＤＬ参照ＵＬ−ＤＬ設定１がセットされ、セカンダリセルに対して第１のＤＬ参照ＵＬ−ＤＬ設定０がセットされている場合は、セカンダリセルに対して第２のＤＬ参照ＵＬ−ＤＬ設定１がセットされる。
【０１７０】
また、サービングセルがプライマリセルである場合は、サービングセル（プライマリセル）に対する第１のＤＬ参照ＵＬ−ＤＬ設定が、サービングセル（プライマリセル）に対する第２のＤＬ参照ＵＬ−ＤＬ設定にセットされる（Ｓ１１０６）。
【０１７１】
同様に、基地局装置３は、図１１に示すセッティング方法に基づいて、第２のＤＬ参照ＵＬ−ＤＬ設定をセットする。
【０１７２】
以下、第１のＵＬ参照ＵＬ−ＤＬ設定について説明する。
【０１７３】
第１のＵＬ参照ＵＬ−ＤＬ設定は、セルにおいて、上りリンクの送信が、可能または不可能なサブフレームを特定するために少なくとも用いられる。ここで、以下の記載において、‘特定する’は、少なくとも、‘決定する’、‘選択する’、‘指示する’の意味が含まれる。
【０１７４】
例えば、端末装置１は、第１のＵＬ参照ＵＬ−ＤＬ設定を用いて下りリンクサブフレームとして指示されたサブフレームにおいて、上りリンクの送信を行なわない。また、端末装置１は、第１のＵＬ参照ＵＬ−ＤＬ設定を用いてスペシャルサブフレームとして指示されたサブフレームのＤｗＰＴＳおよびＧＰにおいて、上りリンクの送信を行なわない。
【０１７５】
以下、第１のＤＬ参照ＵＬ−ＤＬ設定について説明する。
【０１７６】
第１のＤＬ参照ＵＬ−ＤＬ設定は、セルにおいて、下りリンクの送信が、可能または不可能なサブフレームを特定するために少なくとも用いられる。
【０１７７】
例えば、端末装置１は、第１のＤＬ参照ＵＬ−ＤＬ設定を用いて上りリンクサブフレームとして指示されたサブフレームにおいて、下りリンクの送信を行なわない。また、端末装置１は、第１のＤＬ参照ＵＬ−ＤＬ設定を用いてスペシャルサブフレームとして指示されたサブフレームのＵｐＰＴＳおよびＧＰにおいて、下りリンクの送信を行なわない。
【０１７８】
また、第１の情報に基づいて第１のＤＬ参照ＵＬ−ＤＬ設定をセットしている端末装置１は、第１のＵＬ参照ＵＬ−ＤＬ設定または第１のＤＬ参照ＵＬ−ＤＬ設定を用いて指示された下りリンクサブフレームまたはスペシャルサブフレームのＤｗＰＴＳにおいて、下りリンクの信号を用いた測定（例えば、チャネル状態情報に関する測定）を行なってもよい。
【０１７９】
ここで、第１のＵＬ参照ＵＬ−ＤＬ設定を用いて上りリンクサブフレームとして指示され、第１のＤＬ参照ＵＬ−ＤＬ設定を用いて下りリンクサブフレームとして指示されたサブフレームを、第１のフレキシブルサブフレームとも称する。第１のフレキシブルサブフレームは、上りリンクの送信および下りリンクの送信のためにリザーブされるサブフレームであってもよい。
【０１８０】
また、第１のＵＬ参照ＵＬ−ＤＬ設定を用いてスペシャルサブフレームとして指示され、第１のＤＬ参照ＵＬ−ＤＬ設定を用いて下りリンクサブフレームとして指示されたサブフレームを、第２のフレキシブルサブフレームとも称する。第２のフレキシブルサブフレームは、下りリンクの送信のためにリザーブされるサブフレームであってもよい。また、第２のフレキシブルサブフレームは、ＤｗＰＴＳにおける下りリンクの送信、および、ＵｐＰＴＳにおける上りリンクの送信のためにリザーブされるサブフレームであってもよい。
【０１８１】
また、第１のＵＬ参照ＵＬ−ＤＬ設定を用いて上りリンクサブフレームとして指示され、第１のＤＬ参照ＵＬ−ＤＬ設定を用いて上りリンクサブフレームとして指示されたサブフレームを、フィックスド上りリンクサブフレーム（fixed uplink subframe）とも称する。フィックスド上りリンクサブフレームは、上りリンクの送信のためにリザーブされる。
【０１８２】
以下、第３のＵＬ−ＤＬ設定について説明する。
【０１８３】
基地局装置３および端末装置１は、サブフレームにおける送信の方向（上り／下り）に関する第３のＵＬ−ＤＬ設定をセットする。例えば、第３のＵＬ−ＤＬ設定は、サブフレームにおける送信の方向を特定するために用いられてもよい。また、第３のＵＬ−ＤＬ設定は、第１のＵＬ参照ＵＬ−ＤＬ設定と第１のＤＬ参照ＵＬ−ＤＬ設定とを用いて、異なるサブフレームとして指示されているサブフレームにおける、送信の方向を特定するために用いられてもよい。
【０１８４】
すなわち、端末装置１は、スケジューリング情報（ＤＣＩフォーマットおよび／またはＨＡＲＱ−ＡＣＫ）、および、第３のＵＬ−ＤＬ設定に基づいて、第１のフレキシブルサブフレームおよび第２のフレキシブルサブフレームにおける送信を制御する。
【０１８５】
例えば、第３のＵＬ−ＤＬ設定を示す第３の情報は、上りリンクの送信が可能なサブフレームを指示するための情報であってもよい。また、第３のＵＬ−ＤＬ設定を示す第３の情報は、下りリンクの送信が可能なサブフレームを指示するための情報であってもよい。また、第３のＵＬ−ＤＬ設定を示す第３の情報は、ＵｐＰＴＳにおける上りリンクの送信およびＤｗＰＴＳにおける下りリンクの送信が可能なサブフレームを指示するための情報であってもよい。
【０１８６】
基地局装置３は、第３のＵＬ−ＤＬ設定を用いて下りリンクサブフレームとして指示したサブフレームにおいて、下りリンクの送信のスケジューリングを行なってもよい。また、端末装置１は、第３のＵＬ−ＤＬ設定を用いて下りリンクサブフレームとして指示されたサブフレームにおいて、下りリンクの受信の処理を行ってもよい。
【０１８７】
また、基地局装置３は、第３のＵＬ−ＤＬ設定を用いて上りリンクサブフレームとして指示したサブフレームにおいて、上りリンクの送信のスケジューリングを行なってもよい。また、端末装置１は、第３のＵＬ−ＤＬ設定を用いて上りリンクサブフレームとして指示されたサブフレームにおいて、上りリンクの送信の処理を行ってもよい。
【０１８８】
また、基地局装置３は、第３のＵＬ−ＤＬ設定を用いてスペシャルサブフレームとして指示したサブフレームのＤｗＰＴＳにおいて、下りリンクの送信のスケジューリングを行なってもよい。また、端末装置１は、第３のＵＬ−ＤＬ設定を用いてスペシャルサブフレームとして指示されたサブフレームのＤｗＰＴＳにおいて、下りリンクの受信の処理を行ってもよい。
【０１８９】
ここで、第３のＵＬ−ＤＬ設定は、端末装置が、ＰＤＣＣＨおよび／またはＥＰＤＣＣＨをモニタする下りリンクサブフレームを指示（通知）するために使用されても良い。また、第３のＵＬ−ＤＬ設定（第３の情報）は、端末装置が、チャネル状態情報を測定する下りリンクサブフレーム（チャネル状態情報の測定が可能な下りリンクサブフレーム）を指示（通知）するために使用されても良い。
【０１９０】
以下、第１のＵＬ参照ＵＬ−ＤＬ設定、および、第２のＵＬ参照ＵＬ−ＤＬ設定について説明する。
【０１９１】
第１のＵＬ参照ＵＬ−ＤＬ設定および第２のＵＬ参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定するために用いられてもよい。
【０１９２】
例えば、１つのプライマリセルが設定されている場合、または、１つのプライマリセルおよび１つのセカンダリセルが設定され、プライマリセルに対する第１のＵＬ参照ＵＬ−ＤＬ設定およびセカンダリセルに対する第１のＵＬ参照ＵＬ−ＤＬ設定が同一の場合は、２つのサービングセルのそれぞれにおいて、対応する第１のＵＬ参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を特定するために用いられる。
【０１９３】
また、１つのプライマリセルおよび１つのセカンダリセルが設定され、プライマリセルに対する第１のＵＬ参照ＵＬ−ＤＬ設定およびセカンダリセルに対する第１のＵＬ参照ＵＬ−ＤＬ設定が異なる場合は、２つのサービングセルのそれぞれにおいて、対応する第２のＵＬ参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を特定するために用いられる。
【０１９４】
図１３は、本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。端末装置１は、図１３の表に従ってｋの値を特定する。
【０１９５】
図１３において、１つのプライマリセルが設定されている場合、または、１つのプライマリセルおよび１つのセカンダリセルが設定され、プライマリセルに対する第１のＵＬ参照ＵＬ−ＤＬ設定およびセカンダリセルに対する第１のＵＬ参照ＵＬ−ＤＬ設定が同一の場合は、ＵＬ参照ＵＬ−ＤＬ設定として、第１のＵＬ参照ＵＬ−ＤＬ設定が参照される。
【０１９６】
また、１つのプライマリセルおよび１つのセカンダリセルが設定され、プライマリセルに対する第１のＵＬ参照ＵＬ−ＤＬ設定およびセカンダリセルに対する第１のＵＬ参照ＵＬ−ＤＬ設定が異なる場合は、ＵＬ参照ＵＬ−ＤＬ設定として、第２のＵＬ参照ＵＬ−ＤＬ設定が参照される。
【０１９７】
以下、図１３の説明において、第１のＵＬ参照ＵＬ−ＤＬ設定および第２のＵＬ参照ＵＬ−ＤＬ設定を、単にＵＬ−ＤＬ設定と称する。
【０１９８】
例えば、端末装置１は、サブフレームｎにおいて、ＵＬ−ＤＬ設定１から６がセットされているセルに対応し、端末装置１を対象とする上りリンクグラントをともなうＰＤＣＣＨ／ＥＰＤＣＣＨを検出した場合、図１３の表に基づいて特定されるサブフレームｎ＋ｋにおいて該上りリンクグラントに応じたＰＵＳＣＨでの送信を行なう。
【０１９９】
また、端末装置１は、サブフレームｎにおいて、ＵＬ−ＤＬ設定１から６がセットされているセルに対応し、端末装置１を対象とするＮＡＣＫをともなうＰＨＩＣＨの検出をした場合、図１３の表に基づいて特定されるサブフレームｎ＋ｋにおいてＰＵＳＣＨでの送信を行なう。
【０２００】
また、ＵＬ−ＤＬ設定０が設定されたセルに対応し、端末装置１を対象とする上りリンクグラントには、２ビットの上りリンクインデックス（UL index）が含まれる。ＵＬ−ＤＬ設定１から６が設定されたセルに対応し、端末装置１を対象とする上りリンクグラントには、上りリンクインデックス（UL index）は含まれない。
【０２０１】
端末装置１は、サブフレームｎにおいて、ＵＬ−ＤＬ設定０がセットされているセルに対応する上りリンクグラントに含まれる上りリンクインデックスのＭＳＢ（Most Significant Bit）が１にセットされている場合、図１３の表に基づいて特定されるサブフレームｎ＋ｋにおいて該上りリンクグラントに応じたＰＵＳＣＨでの送信を行なう（ＰＵＳＣＨでの送信を調整する）。
【０２０２】
また、端末装置１は、サブフレームｎ＝０または５における第１のリソースセットにおいて、ＵＬ−ＤＬ設定０がセットされているセルに対応するＮＡＣＫをともなうＰＨＩＣＨを受信した場合には、図１３の表に基づいて特定されるサブフレームｎ＋ｋにおいて該ＰＨＩＣＨに応じたＰＵＳＣＨでの送信を行なう。
【０２０３】
また、端末装置１は、サブフレームｎにおいて、ＵＬ−ＤＬ設定０がセットされているセルに対応する上りリンクグラントに含まれる上りリンクインデックスのＬＳＢ（Least Significant Bit）が１にセットされている場合には、サブフレームｎ＋７において該上りリンクグラントに応じたＰＵＳＣＨでの送信を行なう。
【０２０４】
また、端末装置１は、サブフレームｎ＝０または５における第２のリソースセットにおいて、ＵＬ−ＤＬ設定０がセットされているセルに対応するＮＡＣＫをともなうＰＨＩＣＨを受信した場合には、サブフレームｎ＋７において該上りリンクグラントに応じたＰＵＳＣＨでの送信を行なう。
【０２０５】
また、端末装置１は、サブフレームｎ＝１または６において、ＵＬ−ＤＬ設定０がセットされているセルに対応するＮＡＣＫをともなうＰＨＩＣＨを受信した場合には、サブフレームｎ＋７において該上りリンクグラントに応じたＰＵＳＣＨでの送信を行なう。
【０２０６】
例えば、端末装置１は、[ＳＦＮ＝ｍ、サブフレーム１]において、ＵＬ−ＤＬ設定０がセットされているセルに対応するＰＤＣＣＨ／ＥＰＤＣＣＨ／ＰＨＩＣＨを検出した場合に、６つ後のサブフレーム[ＳＦＮ＝ｍ、サブフレーム７]においてＰＵＳＣＨでの送信を行なう。
【０２０７】
また、第１のＵＬ参照ＵＬ−ＤＬ設定および第２のＵＬ参照ＵＬ−ＤＬ設定は、ＰＵＳＣＨが配置されるサブフレームｎと前記ＰＵＳＣＨが対応するＰＨＩＣＨが配置されるサブフレームｎ＋ｋとの対応を特定するために用いられてもよい。
【０２０８】
すなわち、例えば、１つのプライマリセルが設定されている場合、または、１つのプライマリセルおよび１つのセカンダリセルが設定され、プライマリセルに対する第１のＵＬ参照ＵＬ−ＤＬ設定およびセカンダリセルに対する第１のＵＬ参照ＵＬ−ＤＬ設定が同一の場合は、２つのサービングセルのそれぞれにおいて、対応する第１のＵＬ参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定するために用いられる。
【０２０９】
また、１つのプライマリセルおよび１つのセカンダリセルが設定され、プライマリセルに対する第１のＵＬ参照ＵＬ−ＤＬ設定およびセカンダリセルに対する第１のＵＬ参照ＵＬ−ＤＬ設定が異なる場合は、２つのサービングセルのそれぞれにおいて、対応する第２のＵＬ参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定するために用いられる。
【０２１０】
図１４は、本実施形態におけるＰＵＳＣＨが配置されるサブフレームｎと前記ＰＵＳＣＨが対応するＰＨＩＣＨが配置されるサブフレームｎ＋ｋとの対応を示す図である。端末装置１は、図１４の表に従ってｋの値を特定する。
【０２１１】
図１４において、１つのプライマリセルが設定されている場合、または、１つのプライマリセルおよび１つのセカンダリセルが設定され、プライマリセルに対する第１のＵＬ参照ＵＬ−ＤＬ設定およびセカンダリセルに対する第１のＵＬ参照ＵＬ−ＤＬ設定が同一の場合は、ＵＬ参照ＵＬ−ＤＬ設定として、第１のＵＬ参照ＵＬ−ＤＬ設定が参照される。
【０２１２】
また、１つのプライマリセルおよび１つのセカンダリセルが設定され、プライマリセルに対する第１のＵＬ参照ＵＬ−ＤＬ設定およびセカンダリセルに対する第１のＵＬ参照ＵＬ−ＤＬ設定が異なる場合は、ＵＬ参照ＵＬ−ＤＬ設定として、第２のＵＬ参照ＵＬ−ＤＬ設定が参照される。
【０２１３】
以下、図１４の説明において、第１のＵＬ参照ＵＬ−ＤＬ設定および第２のＵＬ参照ＵＬ−ＤＬ設定を、単にＵＬ−ＤＬ設定と称する。
【０２１４】
端末装置１は、サブフレームｎにおいてＰＵＳＣＨでの送信がスケジュールされた場合には、図１４の表から特定されるサブフレームｎ＋ｋにおいてＰＨＩＣＨリソースを特定する。
【０２１５】
例えば、ＵＬ−ＤＬ設定０がセットされているセルに対して、[ＳＦＮ=ｍ、サブフレームｎ＝２]においてＰＵＳＣＨでの送信がスケジュールされた場合には、[ＳＦＮ=ｍ、サブフレームｎ＝６]においてＰＨＩＣＨリソースが特定される。
【０２１６】
以下、第１のＤＬ参照ＵＬ−ＤＬ設定および第２のＤＬ参照ＵＬ−ＤＬ設定）について説明する。
【０２１７】
第１のＤＬ参照ＵＬ−ＤＬ設定および第２のＤＬ参照ＵＬ−ＤＬ設定は、ＰＤＳＣＨが配置されるサブフレームｎと前記ＰＤＳＣＨに対応するＨＡＲＱ−ＡＣＫが送信されるサブフレームｎ＋ｋとの対応を特定するために用いられる。
【０２１８】
例えば、１つのプライマリセルが設定されている場合、または、１つのプライマリセルおよび１つのセカンダリセルが設定され、プライマリセルに対する第１のＤＬ参照ＵＬ−ＤＬ設定およびセカンダリセルに対する第１のＤＬ参照ＵＬ−ＤＬ設定が同じ場合は、２つのサービングセルのそれぞれにおいて、対応する第１のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられる。
【０２１９】
また、１つのプライマリセルおよび１つのセカンダリセルが設定され、プライマリセルに対する第１のＤＬ参照ＵＬ−ＤＬ設定およびセカンダリセルに対する第１のＤＬ参照ＵＬ−ＤＬ設定が異なる場合は、２つのサービングセルのそれぞれにおいて、対応する第２のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられる。
【０２２０】
図１５は、本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。端末装置１は、図１５の表に従ってｋの値を特定する。
【０２２１】
ここで、図１５のマス目のそれぞれにおけるｋｉのセットは、下りリンクの関連セットインデックスＫ｛ｋ０、ｋ１、…、ｋＭ−１｝（Downlink association set index K{k0,k1,…,kM-1｝）とも称される。また、図１５における、ｋ０、ｋ１、…、ｋＭ−１のそれぞれは、セットＫにおける要素（element in the set K）とも称される。また、Ｍは、上りリンクサブフレームｎに関連するセットＫにおける要素の数（the number of elements in the set K）を示している。
【０２２２】
図１５において、１つのプライマリセルが設定されている場合、または、１つのプライマリセルおよび１つのセカンダリセルが設定され、プライマリセルに対する第１のＤＬ参照ＵＬ−ＤＬ設定およびセカンダリセルに対する第１のＤＬ参照ＵＬ−ＤＬ設定が同一の場合は、ＤＬ参照ＵＬ−ＤＬ設定として、第１のＤＬ参照ＵＬ−ＤＬ設定が参照される。
【０２２３】
また、１つのプライマリセルおよび１つのセカンダリセルが設定され、プライマリセルに対する第１のＤＬ参照ＵＬ−ＤＬ設定およびセカンダリセルに対する第１のＤＬ参照ＵＬ−ＤＬ設定が異なる場合は、ＤＬ参照ＵＬ−ＤＬ設定として、第２のＤＬ参照ＵＬ−ＤＬ設定が参照される。
【０２２４】
以下、図１５の説明において、第１のＤＬ参照ＵＬ−ＤＬ設定および第２のＤＬ参照ＵＬ−ＤＬ設定を、単にＵＬ−ＤＬ設定と称する。
【０２２５】
端末装置１は、サービングセルのサブフレームｎ−ｋ（ｋは図１５の表によって特定される）において、端末装置１を対象としており、対応するＨＡＲＱ−ＡＣＫの送信を行なうべきＰＤＳＣＨでの送信を検出した場合には、サブフレームｎにおいてＨＡＲＱ−ＡＣＫを送信する。
【０２２６】
すなわち、端末装置１は、サブフレーム（複数のサブフレームでもよい）ｎ−ｋにおけるＰＤＳＣＨでの送信の検出に基づいて、上りリンクサブフレームｎにおいてＨＡＲＱ−ＡＣＫを送信する。また、端末装置１は、サブフレーム（複数のサブフレームでもよい）ｎ−ｋにおける下りリンクのＳＰＳリリースを指示するＰＤＣＣＨ／ＥＰＤＣＣＨの検出に基づいて、上りリンクサブフレームｎにおいてＨＡＲＱ−ＡＣＫを送信してもよい。ここで、ｋ∈Ｋであり、Ｋは、図１５によって示され、ＨＡＲＱ−ＡＣＫが供給されるべきために規定される。
【０２２７】
ここで、例えば、端末装置１は、システムインフォメーションの送信に用いられるＰＤＳＣＨでの送信に対するＨＡＲＱ−ＡＣＫの応答を行なわない。また、端末装置１は、Ｃ−ＲＮＴＩによってスクランブルされたＣＲＣをともなうＤＣＩフォーマットによってスケジュールされたＰＤＳＣＨでの送信に対するＨＡＲＱ−ＡＣＫの応答を行なう。
【０２２８】
また、例えば、端末装置１は、サブフレームｎ＝２において、ＵＬ−ＤＬ設定１がセットされているセルにおけるサブフレームｎ−６および／またはｎ−７において受信したＰＤＳＣＨでの送信に対するＨＡＲＱ−ＡＣＫの送信を行なう。すなわち、ＵＬ−ＤＬ設定１において、サブフレームｎ（上りリンクサブフレームｎ）に関連するセットＫにおける要素の数Ｍは、Ｍ＝２である。
【０２２９】
ここで、第２の情報が受信されない場合には、第１のＤＬ参照ＵＬ−ＤＬ設定は設定されなくてもよい。この場合、基地局装置３および端末装置１は、上述した第１のＤＬ参照ＵＬ−ＤＬ設定に基づいて行なわれる処理を、第１のＵＬ参照ＵＬ−ＤＬ設定（サービングセルＵＬ−ＤＬ設定）に基づいて行なってもよい。
【０２３０】
例えば、１つのプライマリセルおよび１つのセカンダリセルが設定され、セカンダリセルに対する第２の情報を受信しておらず、プライマリセルに対する第２の情報を受信しており、セカンダリセルに対する第１のＵＬ参照ＵＬ−ＤＬ設定（サービングセルＵＬ−ＤＬ設定）およびプライマリセルに対する第１のＤＬ参照ＵＬ−ＤＬ設定が異なり、サービングセルがセカンダリセルである場合は、他のサービングセル(プライマリセル）に対する第１のＤＬ参照ＵＬ−ＤＬ設定、および、サービングセル（セカンダリセル）に対する第１のＵＬ参照ＵＬ−ＤＬ設定によって形成されるペアに基づいて、サービングセル（セカンダリセル）に対する第２のＤＬ参照ＵＬ−ＤＬ設定をセットしてもよい。
【０２３１】
また、例えば、１つのプライマリセルおよび１つのセカンダリセルが設定され、プライマリセルに対する第２の情報を受信しておらず、セカンダリセルに対する第２の情報を受信しており、プライマリセルに対する第１のＵＬ参照ＵＬ−ＤＬ設定（サービングセルＵＬ−ＤＬ設定）およびセカンダリセルに対する第１のＤＬ参照ＵＬ−ＤＬ設定が異なり、サービングセルがセカンダリセルである場合は、他のサービングセル(プライマリセル）に対する第１のＵＬ参照ＵＬ−ＤＬ設定、および、サービングセル（セカンダリセル）に対する第１のＤＬ参照ＵＬ−ＤＬ設定によって形成されるペアに基づいて、サービングセル（セカンダリセル）に対する第２のＤＬ参照ＵＬ−ＤＬ設定をセットしてもよい。
【０２３２】
また、例えば、１つのプライマリセルおよび１つのセカンダリセルが設定され、プライマリセルに対する第２の情報を受信しておらず、セカンダリセルに対する第２の情報を受信しており、プライマリセルに対する第１のＵＬ参照ＵＬ−ＤＬ設定（サービングセルＵＬ−ＤＬ設定）およびセカンダリセルに対する第１のＤＬ参照ＵＬ−ＤＬ設定が異なる場合は、２つのサービングセルのそれぞれにおいて、対応する第２のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられてもよい。
【０２３３】
また、例えば、１つのプライマリセルおよび１つのセカンダリセルが設定され、プライマリセルに対する第２の情報を受信しておらず、セカンダリセルに対する第２の情報を受信しており、プライマリセルに対する第１のＵＬ参照ＵＬ−ＤＬ設定（サービングセルＵＬ−ＤＬ設定）およびセカンダリセルに対する第１のＤＬ参照ＵＬ−ＤＬ設定が同じ場合は、プライマリセルにおいて、対応する第１のＵＬ参照ＵＬ−ＤＬ設定（サービングセルＵＬ−ＤＬ設定）が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられ、セカンダリセルにおいて、対応する第１のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられてもよい。
【０２３４】
また、例えば、１つのプライマリセルおよび１つのセカンダリセルが設定され、プライマリセルに対する第２の情報を受信しておらず、セカンダリセルに対する第２の情報を受信しており、プライマリセルに対する第１のＵＬ参照ＵＬ−ＤＬ設定（サービングセルＵＬ−ＤＬ設定）およびセカンダリセルに対する第１のＤＬ参照ＵＬ−ＤＬ設定が異なる場合は、図１０および図１２において、プライマリセルＵＬ−ＤＬ設定は、プライマリセルに対する第１のＵＬ参照ＵＬ−ＤＬ設定を参照してもよい。
【０２３５】
ここで、第１のＤＬ参照ＵＬ−ＤＬ設定がセットされるサービングセルに対して、第２のＵＬ参照ＵＬ−ＤＬ設定および第２のＤＬ参照ＵＬ−ＤＬ設定はセットされなくてもよい。
【０２３６】
図１６は、本実施形態におけるスペシャルサブフレームの設定（Special subframe configuration）を示す図である。本実施形態では、下りリンクにおいて、ノーマルＣＰ（normal Cyclic Prefix）が適用（サポート）されてもよい。また、下りリンクにおいて、拡張ＣＰ（extended Cyclic Prefix）が適用されてもよい。また、上りリンクにおいて、ノーマルＣＰが適用されてもよい。また、上りリンクにおいて、拡張ＣＰが適用されてもよい。
【０２３７】
ここで、ＤｗＰＴＳ、ＧＰ、および、ＵｐＰＴＳの合計の長さは３０７２０・Ｔｓ＝１ｍｓであってもよい。また、ＤｗＰＴＳは、下りリンク送信のためにリザーブされるフィールドであってもよい。また、ＵｐＰＴＳは、上りリンク送信のためにリザーブされるフィールドであってもよい。また、ＧＰは、下りリンク送信および上りリンク送信が行なわれないフィールドであってもよい。
【０２３８】
すなわち、スペシャルサブフレームの設定に基づいて、ＤｗＰＴＳの長さがセットされてもよい。また、スペシャルサブフレームの設定に基づいて、ＵｐＰＴＳの長さがセットされてもよい。また、スペシャルサブフレームの設定に基づいて、ＧＰの長さがセットされてもよい。
【０２３９】
基地局装置３は、スペシャルサブフレームの設定を示すパラメータ（specialSubframe Patterns）を端末装置１に送信してもよい。例えば、基地局装置３は、スペシャルサブフレームの設定を示すパラメータを、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて、端末装置１に送信してもよい。
【０２４０】
以下、スペシャルサブフレームの設定として設定ｉがセットされることを、スペシャルサブフレーム設定ｉがセットされると記載する。
【０２４１】
ここで、ＨＡＲＱ−ＡＣＫの送信（上りリンク制御情報の送信でもよい）に対して、複数のＰＵＣＣＨのフォーマットが定義（サポート）される。
【０２４２】
例えば、４ビットまでのＨＡＲＱ−ＡＣＫに対して、チャネル選択を伴うＰＵＣＣＨフォーマット１ｂ（PUCCH format 1b for up to 4-bit HARQ-ACK with channel selection）が用いられる。また、２０ビットまでのＨＡＲＱ−ＡＣＫに対して、ＰＵＣＣＨフォーマット３が用いられる。ここで、ＰＵＣＣＨフォーマット３は、２０ビットまでのＨＡＲＱ−ＡＣＫ、および、１ビットのスケジューリングリクエスト（1-bit positive/negative SR）に対して用いられてもよい。
【０２４３】
ここで、ＰＵＣＣＨフォーマット３は、２０ビットまでの空間的にバンドルされたＨＡＲＱ−ＡＣＫ（spacially bundled HARQ-ACK）、および、１ビットのスケジューリングリクエストに対して用いられてもよい。また、ＰＵＣＣＨフォーマット３は、２２ビットまでの、ＨＡＲＱ−ＡＣＫ、スケジューリングリクエスト、および、ＣＳＩに対して用いられてもよい。また、ＰＵＣＣＨフォーマット３は、２２ビットまでの、空間的にバンドルされたＨＡＲＱ−ＡＣＫ、スケジューリングリクエスト、および、ＣＳＩに対して用いられてもよい。
【０２４４】
ここで、１つのサービングセルにおける１つのサブフレーム内の複数のコードワードにわたる空間的なＨＡＲＱ−ＡＣＫバンドリング（spatial HARQ-ACK bundling）は、全ての対応するそれぞれのＨＡＲＱ−ＡＣＫ(all the corresponding individual HARQ-ACKs)の論理和演算（logical AND operation）によって行なわれてもよい。
【０２４５】
基地局装置３は、ＨＡＲＱ−ＡＣＫの送信に用いられるＰＵＣＣＨのフォーマットを、端末装置１に対して設定してもよい。例えば、基地局装置３は、ＨＡＲＱ−ＡＣＫの送信に対して、複数のＰＵＣＣＨのフォーマットのうちの１つを指示するパラメータ（pucch-Format）を、ＲＲＣメッセージに含めて端末装置１に送信してもよい。また、基地局装置３は、ＨＡＲＱ−ＡＣＫの送信に対して、チャネル選択を伴うＰＵＣＣＨフォーマット１ｂ、または、ＰＵＣＣＨフォーマット３のいずれかを用いるように設定してもよい。
【０２４６】
ここで、以下の記載は、ＴＤＤに対して、ＨＡＲＱ−ＡＣＫの送信に対してチャネル選択を伴うＰＵＣＣＨフォーマット１ｂが設定された場合に（For TDD, in a case that PUCCH format 1b with channel selection is configured for transmission of HARQ-ACK）適用されてもよい。また、以下の記載は、ＴＤＤに対して、ＨＡＲＱ−ＡＣＫの送信に対してＰＵＣＣＨフォーマット３が設定された場合に（For TDD, in a case that PUCCH format 3 is configured for transmission of HARQ-ACK）適用されてもよい。
【０２４７】
また、以下、基本的には、端末装置１の動作を記載するが、端末装置１に対応して、基地局装置３が同様の動作を行なうことは勿論である。
【０２４８】
端末装置１は、上りリンクサブフレームｎに関連するＨＡＲＱ−ＡＣＫビットの数を、数１に基づいて決定してもよい。
【０２４９】
【数１】
0006499976.tif 000002
【０２５０】
ここで、数１において、Ｏは、ＨＡＲＱ−ＡＣＫビットの数を示している。また、ＮｃｅｌｌｓＤＬは、設定されたセルの数を示している。また、ＯｃＡＣＫは、ｃ番目のセル（c-th cell、ｃ?０）に対するＨＡＲＱ−ＡＣＫビットの数を示している。ここで、ｃ番目のセルとは、あるセルを意味してもよい。
【０２５１】
また、ｃ番目のセルに対するＨＡＲＱ−ＡＣＫビット、ｏｃ、０ＡＣＫ、ｏｃ、１ＡＣＫ、…、ｏｃ、ｊＡＣＫ（ｊ＝ＯｃＡＣＫ−１）は、以下のように構成される。例えば、ｃ番目のセルにおいて設定された送信モードが、１つのトランスポートブロック（１つの下りリンクトランスポートブロックの送信）をサポートする場合は、ＯｃＡＣＫ＝ＢｃＤＬが適用されてもよい。また、例えば、ｃ番目のセルにおいて空間的なバンドリングが適用される場合は、ＯｃＡＣＫ＝ＢｃＤＬが適用されてもよい。また、例えば、ｃ番目のセルにおいて設定された送信モードが、２つまでのトランスポートブロック（２つまでの下りリンクトランスポートブロックの送信）をサポートし、空間的なバンドリングが適用されない場合は、ＯｃＡＣＫ＝２ＢｃＤＬが適用されてもよい。
【０２５２】
ここで、ＤＬ参照ＵＬ−ＤＬ設定１−６に対して、ｃ番目のセルにおいて設定された送信モードが、１つのトランスポートブロックをサポートする場合は、サブフレームｎ−ｋにおける、対応するＰＤＣＣＨ／ＥＰＤＣＣＨによって指示されたＰＤＳＣＨでの送信、または、下りリンクＳＰＳリリースを指示するＰＤＣＣＨ／ＥＰＤＣＣＨ、に対するＨＡＲＱ−ＡＣＫは、ｏｃ，ＤＡＩ（ｋ）−１ＡＣＫに関連する。
【０２５３】
また、ＤＬ参照ＵＬ−ＤＬ設定１−６に対して、ｃ番目のセルにおいて設定された送信モードが、２つまでのトランスポートブロックをサポートする場合は、サブフレームｎ−ｋにおける、対応するＰＤＣＣＨ／ＥＰＤＣＣＨによって指示されるＰＤＳＣＨでの送信、または、下りリンクＳＰＳリリースを指示するＰＤＣＣＨ／ＥＰＤＣＣＨ、に対するＨＡＲＱ−ＡＣＫは、ｏｃ，ＤＡＩ（ｋ）−２ＡＣＫ、および、ｏｃ，ＤＡＩ（ｋ）−１ＡＣＫに関連する。
【０２５４】
ここで、ＤＡＩ（ｋ）は、サブフレームｎ−ｋにおいて検出された下りリンクに対するＤＣＩフォーマットにおけるＤＡＩの値を示している。また、ｏｃ，ＤＡＩ（ｋ）−２ＡＣＫ、ｏｃ，ＤＡＩ（ｋ）−１ＡＣＫは、それぞれ、コードワード０、コードワード１に対するＨＡＲＱ−ＡＣＫを示している。
【０２５５】
また、ＤＬ参照ＵＬ−ＤＬ設定０に対して、ｃ番目のセルにおいて設定された送信モードが、１つのトランスポートブロックをサポートする場合は、サブフレームｎ−ｋにおける、対応するＰＤＣＣＨ／ＥＰＤＣＣＨによって指示されるＰＤＳＣＨでの送信、または、下りリンクＳＰＳリリースを指示するＰＤＣＣＨ／ＥＰＤＣＣＨ、に対するＨＡＲＱ−ＡＣＫは、ｏｃ，０ＡＣＫに関連する。
【０２５６】
また、ＤＬ参照ＵＬ−ＤＬ設定０に対して、ｃ番目のセルにおいて設定された送信モードが、２つまでのトランスポートブロックをサポートする場合は、サブフレームｎ−ｋにおける、対応するＰＤＣＣＨ／ＥＰＤＣＣＨによって指示されるＰＤＳＣＨでの送信、または、下りリンクＳＰＳリリースを指示するＰＤＣＣＨ／ＥＰＤＣＣＨ、に対するＨＡＲＱ−ＡＣＫは、ｏｃ，０ＡＣＫおよびｏｃ，１ＡＣＫに関連する。ここで、ｏｃ，０ＡＣＫ、ｏｃ，１ＡＣＫは、それぞれ、コードワード０、コードワード１に対するＨＡＲＱ−ＡＣＫを示している。
【０２５７】
ここで、基地局装置３は、複数の送信モードのうちの１つに基づいてＰＤＳＣＨでの送信を受信するよう、端末装置１に対して設定してもよい。例えば、基地局装置３は、ＲＲＣメッセージを使用して、下りリンクの送信モードを端末装置１に対して設定してもよい。
【０２５８】
また、ＢｃＤＬは、端末装置１が、ｃ番目のセルに対するＨＡＲＱ−ＡＣＫを送信する必要がある下りリンクサブフレームの数を示している。ここで、ＢｃＤＬは、端末装置１が、ｃ番目のセルに対するＨＡＲＱ−ＡＣＫを送信する必要がある下りリンクサブフレーム、および、スペシャルサブフレームの数を示してもよい。すなわち、ＢｃＤＬは、端末装置１が、ｃ番目のセルに対するＨＡＲＱ−ＡＣＫを送信する必要があるＰＤＳＣＨでの送信の数を示してもよい。また、ＢｃＤＬは、端末装置１が、ｃ番目のセルに対するＨＡＲＱ−ＡＣＫを送信する必要がある、ＰＤＳＣＨでの送信、および、下りリンクのＳＰＳリリースを指示するＰＤＣＣＨ／ＥＰＤＣＣＨの送信の数を示してもよい。
【０２５９】
ここで、端末装置１がＰＵＣＣＨでの送信を行なおうとする場合に対して、ＢｃＤＬ＝Ｍであってもよい。上述したように、Ｍは、上りリンクサブフレームｎに関連するセットＫにおける要素の数を示している。ここで、この場合においては、セットＫは、ノーマル下りリンクＣＰでのスペシャルサブフレーム設定０および５、または、拡張下りリンクＣＰでのスペシャルサブフレーム設定０および４、のスペシャルサブフレームを含まない（the set K does not include a special subframe of special subframe configurations 0 and 5 with normal downlink CP or of special subframe configurations 0 and 4 with extended downlink CP）。
【０２６０】
すなわち、端末装置１は、ｃ番目のセルに対して、ノーマル下りリンクＣＰでのスペシャルサブフレーム設定０および５、または、拡張下りリンクＣＰでのスペシャルサブフレーム設定０および４、以外がセットされている場合には、ＢｃＤＬ＝Ｍとして、該ｃ番目のセルに対するＨＡＲＱ−ＡＣＫビットを決定してもよい。
【０２６１】
また、端末装置１がＰＵＣＣＨでの送信を行なおうとする場合に対して、ＢｃＤＬ＝Ｍ−１であってもよい。ここで、この場合においては、セットＫは、ノーマル下りリンクＣＰでのスペシャルサブフレーム設定０および５、または、拡張下りリンクＣＰでのスペシャルサブフレーム設定０および４、のスペシャルサブフレームを含む（the set K includes a special subframe of special subframe configurations 0 and 5 with normal downlink CP or of special subframe configurations 0 and 4 with extended downlink CP）。
【０２６２】
すなわち、端末装置１は、ｃ番目のセルに対して、ノーマル下りリンクＣＰでのスペシャルサブフレーム設定０および５、または、拡張下りリンクＣＰでのスペシャルサブフレーム設定０および４がセットされている場合には、ＢｃＤＬ＝Ｍ−１として、該ｃ番目のセルに対するＨＡＲＱ−ＡＣＫビットを決定してもよい。
【０２６３】
すなわち、端末装置１は、ｃ番目のセルに対して、ノーマル下りリンクＣＰでのスペシャルサブフレーム設定０および５、または、拡張下りリンクＣＰでのスペシャルサブフレーム設定０および４がセットされている場合には、該ｃ番目のセルのスペシャルサブフレームを、ＨＡＲＱ−ＡＣＫビットを決定するために用いられるサブフレームから除外してもよい。
【０２６４】
すなわち、端末装置１は、ノーマル下りリンクＣＰでのスペシャルサブフレーム設定０および５、または、拡張下りリンクＣＰでのスペシャルサブフレーム設定０および４に対して、スペシャルサブフレームのＤｗＰＴＳにおけるＰＤＳＣＨでの送信を期待しなくてもよい。また、端末装置１は、ＣＰの長さ、および、スペシャルサブフレームの設定に基づいて、スペシャルサブフレームのＤｗＰＴＳにおけるＰＤＳＣＨでの送信を期待するか否かを決定してもよい。
【０２６５】
すなわち、ノーマル下りリンクＣＰでのスペシャルサブフレーム設定０および５、または、拡張下りリンクＣＰでのスペシャルサブフレーム設定０および４に対して、スペシャルサブフレームのＤｗＰＴＳにおいて、ＰＤＳＣＨでの送信は行なわれなくてもよい。
【０２６６】
また、端末装置１は、ノーマル下りリンクＣＰでのスペシャルサブフレーム設定０および５、または、拡張下りリンクＣＰでのスペシャルサブフレーム設定０および４に対して、スペシャルサブフレームのＤｗＰＴＳにおいて、ＥＰＤＣＣＨをモニタしなくてもよい。また、端末装置１は、ＣＰの長さ、および、スペシャルサブフレームの設定に基づいて、スペシャルサブフレームのＤｗＰＴＳにおいて、ＥＰＤＣＣＨをモニタするか否かを決定してもよい。
【０２６７】
すなわち、ノーマル下りリンクＣＰでのスペシャルサブフレーム設定０および５、または、拡張下りリンクＣＰでのスペシャルサブフレーム設定０および４に対して、スペシャルサブフレームのＤｗＰＴＳにおいて、ＥＰＤＣＣＨでの送信は行なわれなくてもよい。
【０２６８】
ここで、上述したような、ＨＡＲＱ−ＡＣＫビットの決定（ＨＡＲＱ−ＡＣＫビットの数の決定、ＨＡＲＱ−ＡＣＫのペイロードサイズの決定、リザーブされるＨＡＲＱ−ＡＣＫフィールドの数の決定）を、ＨＡＲＱ−ＡＣＫのコードブックサイズの決定とも称する。
【０２６９】
すなわち、あるセルにおける、ノーマル下りリンクＣＰでのスペシャルサブフレーム設定０および５、または、拡張下りリンクＣＰでのスペシャルサブフレーム設定０および４に対して、該セルのスペシャルサブフレームは、ＨＡＲＱ−ＡＣＫのコードブックサイズの決定から除外されてもよい（for special subframe configurations 0 and 5 with normal downlink CP or configurations 0 and 4 with extended downlink CP in a cell, the special subframe of the cell is excluded from the HARQ-ACK codebook size determinastion）。
【０２７０】
上述までのＨＡＲＱ−ＡＣＫのコードブックサイズの決定方法を踏まえて、以下、本実施形態における通信方法について、詳細に説明する。
【０２７１】
ここで、以下の説明において、第１のＵＬ参照ＵＬ−ＤＬ設定および第２のＵＬ参照ＵＬ−ＤＬ設定を総称して、ＵＬ参照ＵＬ−ＤＬ設定とも称する。また、第１のＤＬ参照ＵＬ−ＤＬ設定および第２のＤＬ参照ＵＬ−ＤＬ設定を総称して、ＤＬ参照ＵＬ−ＤＬ設定とも称する。
【０２７２】
また、第１のＵＬ参照ＵＬ−ＤＬ設定がセットされ、且つ、第２のＵＬ参照ＵＬ−ＤＬ設定がセットされていない場合には、ＵＬ参照ＵＬ−ＤＬ設定は第１のＵＬ参照ＵＬ−ＤＬ設定でもよい。また、第１のＵＬ参照ＵＬ−ＤＬ設定がセットされ、且つ、第２のＵＬ参照ＵＬ−ＤＬ設定がセットされている場合には、ＵＬ参照ＵＬ−ＤＬ設定は第１のＵＬ参照ＵＬ−ＤＬ設定でもよい。また、第１のＵＬ参照ＵＬ−ＤＬ設定がセットされ、且つ、第２のＵＬ参照ＵＬ−ＤＬ設定がセットされている場合には、ＵＬ参照ＵＬ−ＤＬ設定は第２のＵＬ参照ＵＬ−ＤＬ設定でもよい。
【０２７３】
また、第１のＤＬ参照ＵＬ−ＤＬ設定がセットされ、且つ、第２のＤＬ参照ＵＬ−ＤＬ設定がセットされていない場合には、ＤＬ参照ＵＬ−ＤＬ設定は第１のＤＬ参照ＵＬ−ＤＬ設定でもよい。また、第１のＤＬ参照ＵＬ−ＤＬ設定がセットされ、且つ、第２のＤＬ参照ＵＬ−ＤＬ設定がセットされている場合には、ＤＬ参照ＵＬ−ＤＬ設定は第１のＤＬ参照ＵＬ−ＤＬ設定でもよい。また、第１のＤＬ参照ＵＬ−ＤＬ設定がセットされ、且つ、第２のＤＬ参照ＵＬ−ＤＬ設定がセットされている場合には、ＤＬ参照ＵＬ−ＤＬ設定は第２のＤＬ参照ＵＬ−ＤＬ設定でもよい。
【０２７４】
図１７は、本実施形態における通信方法を説明するための図である。ここで、図１７では、一例として、あるセルに対して、ＵＬ参照ＵＬ−ＤＬ設定０、ＤＬ参照ＵＬ−ＤＬ設定２、第３のＵＬ−ＤＬ設定４がセットされている場合を示している。端末装置１は、該セルに対するＨＡＲＱ−ＡＣＫのコードブックサイズを決定する。
【０２７５】
すなわち、図１７におけるサブフレーム６は、ＵＬ参照ＵＬ−ＤＬ設定に基づいてスペシャルサブフレームとして指示されたサブフレームである。また、図１７におけるサブフレーム６は、ＤＬ参照ＵＬ−ＤＬ設定に基づいてスペシャルサブフレームとして指示されたサブフレームである。また、図１７におけるサブフレーム６は、第３のＵＬ−ＤＬ設定に基づいて下りリンクサブフレームとして指示されたサブフレームである。
【０２７６】
すなわち、本実施形態において、５ｍｓの下りリンク−上りリンク・スイッチポイント周期と１０ｍｓの下りリンク−上りリンク・スイッチポイント周期の間における設定（再設定でもよい）がサポートされる。
【０２７７】
例えば、ＵＬ参照ＵＬ−ＤＬ設定に基づいて５ｍｓの下りリンク−上りリンク・スイッチポイント周期のＵＬ−ＤＬ設定がセットされ、第３のＵＬ−ＤＬ設定に基づいて１０ｍｓの下りリンク−上りリンク・スイッチポイント周期のＵＬ−ＤＬ設定がセットされてもよい。また、ＵＬ参照ＵＬ−ＤＬ設定に基づいて１０ｍｓの下りリンク−上りリンク・スイッチポイント周期のＵＬ−ＤＬ設定がセットされ、第３のＵＬ−ＤＬ設定に基づいて５ｍｓの下りリンク−上りリンク・スイッチポイント周期のＵＬ−ＤＬ設定がセットされてもよい。
【０２７８】
ここで、端末装置１は、ＨＡＲＱ−ＡＣＫのコードブックサイズの決定に用いられるスペシャルサブフレームを、ＤＬ参照ＵＬ−ＤＬ設定に基づいて決定してもよい。すなわち、端末装置１は、ＤＬ参照ＵＬ−ＤＬ設定に基づいてスペシャルサブフレームとして指示されたサブフレーム（すなわち、図１７におけるサブフレーム６）を、ＨＡＲＱ−ＡＣＫのコードブックサイズの決定に用いるかどうかを、ノーマル下りリンクＣＰでのスペシャルサブフレーム設定０および５、または、拡張下りリンクＣＰでのスペシャルサブフレーム設定０および４がセットされているかどうかに基づいて決定してもよい。
【０２７９】
例えば、端末装置１は、ノーマル下りリンクＣＰでのスペシャルサブフレーム設定０および５、または、拡張下りリンクＣＰでのスペシャルサブフレーム設定０および４、以外がセットされている場合には、ＤＬ参照ＵＬ−ＤＬ設定に基づいてスペシャルサブフレームとして指示されたサブフレーム（すなわち、図１７におけるサブフレーム６）を、ＨＡＲＱ−ＡＣＫのコードブックサイズの決定に用いてもよい。すなわち、この場合においては、端末装置１は、ＢｃＤＬ＝Ｍとして、ＨＡＲＱ−ＡＣＫのコードブックサイズを決定してもよい。
【０２８０】
また、端末装置１は、ノーマル下りリンクＣＰでのスペシャルサブフレーム設定０および５、または、拡張下りリンクＣＰでのスペシャルサブフレーム設定０および４がセットされている場合には、ＤＬ参照ＵＬ−ＤＬ設定に基づいてスペシャルサブフレームとして指示されたサブフレーム（すなわち、図１７におけるサブフレーム６）を、ＨＡＲＱ−ＡＣＫのコードブックサイズの決定から除外してもよい。すなわち、この場合においては、端末装置１は、ＢｃＤＬ＝Ｍ−１として、ＨＡＲＱ−ＡＣＫのコードブックサイズを決定してもよい。
【０２８１】
すなわち、端末装置１は、ノーマル下りリンクＣＰでのスペシャルサブフレーム設定０および５、または、拡張下りリンクＣＰでのスペシャルサブフレーム設定０および４に対して、ＤＬ参照ＵＬ−ＤＬ設定に基づいてスペシャルサブフレームとして指示されたサブフレーム（すなわち、図１７におけるサブフレーム６）のＤｗＰＴＳにおけるＰＤＳＣＨでの送信を期待しなくてもよい。
【０２８２】
また、端末装置１は、ノーマル下りリンクＣＰでのスペシャルサブフレーム設定０および５、または、拡張下りリンクＣＰでのスペシャルサブフレーム設定０および４、以外に対して、ＤＬ参照ＵＬ−ＤＬ設定に基づいてスペシャルサブフレームとして指示されたサブフレーム（すなわち、図１７におけるサブフレーム６）のＤｗＰＴＳにおけるＰＤＳＣＨでの送信を期待してもよい。
【０２８３】
すなわち、端末装置１は、ＣＰの長さ、および、スペシャルサブフレームの設定に基づいて、ＤＬ参照ＵＬ−ＤＬ設定に基づいてスペシャルサブフレーム（すなわち、図１７におけるサブフレーム６）として指示されたサブフレームのＤｗＰＴＳにおけるＰＤＳＣＨでの送信を期待するか否かを決定してもよい。
【０２８４】
また、ノーマル下りリンクＣＰでのスペシャルサブフレーム設定０および５、または、拡張下りリンクＣＰでのスペシャルサブフレーム設定０および４に対して、ＤＬ参照ＵＬ−ＤＬ設定に基づいてスペシャルサブフレームとして指示されたサブフレーム（すなわち、図１７におけるサブフレーム６）のＤｗＰＴＳにおいて、ＰＤＳＣＨでの送信は行なわれなくてもよい。
【０２８５】
また、ノーマル下りリンクＣＰでのスペシャルサブフレーム設定０および５、または、拡張下りリンクＣＰでのスペシャルサブフレーム設定０および４、以外に対して、ＤＬ参照ＵＬ−ＤＬ設定に基づいてスペシャルサブフレームとして指示されたサブフレーム（すなわち、図１７におけるサブフレーム６）のＤｗＰＴＳにおいて、ＰＤＳＣＨでの送信は行なわれてもよい。
【０２８６】
また、端末装置１は、ノーマル下りリンクＣＰでのスペシャルサブフレーム設定０および５、または、拡張下りリンクＣＰでのスペシャルサブフレーム設定０および４に対して、ＤＬ参照ＵＬ−ＤＬ設定に基づいてスペシャルサブフレームとして指示されたサブフレーム（すなわち、図１７におけるサブフレーム６）のＤｗＰＴＳにおいて、ＥＰＤＣＣＨをモニタしなくてもよい。
【０２８７】
また、端末装置１は、ノーマル下りリンクＣＰでのスペシャルサブフレーム設定０および５、または、拡張下りリンクＣＰでのスペシャルサブフレーム設定０および４、以外に対して、ＤＬ参照ＵＬ−ＤＬ設定に基づいてスペシャルサブフレームとして指示されたサブフレーム（すなわち、図１７におけるサブフレーム６）のＤｗＰＴＳにおいて、ＥＰＤＣＣＨをモニタしてもよい。
【０２８８】
すなわち、端末装置１は、ＣＰの長さ、および、スペシャルサブフレームの設定に基づいて、ＤＬ参照ＵＬ−ＤＬ設定に基づいてスペシャルサブフレーム（すなわち、図１７におけるサブフレーム６）として指示されたサブフレームのＤｗＰＴＳにおいて、ＥＰＤＣＣＨをモニタするか否かを決定してもよい。
【０２８９】
また、ノーマル下りリンクＣＰでのスペシャルサブフレーム設定０および５、または、拡張下りリンクＣＰでのスペシャルサブフレーム設定０および４に対して、ＤＬ参照ＵＬ−ＤＬ設定に基づいてスペシャルサブフレームとして指示されたサブフレーム（すなわち、図１７におけるサブフレーム６）のＤｗＰＴＳにおいて、ＥＰＤＣＣＨでの送信は行なわれなくてもよい。
【０２９０】
また、ノーマル下りリンクＣＰでのスペシャルサブフレーム設定０および５、または、拡張下りリンクＣＰでのスペシャルサブフレーム設定０および４、以外に対して、ＤＬ参照ＵＬ−ＤＬ設定に基づいてスペシャルサブフレームとして指示されたサブフレーム（すなわち、図１７におけるサブフレーム６）のＤｗＰＴＳにおいて、ＥＰＤＣＣＨでの送信は行なわれてもよい。
【０２９１】
すなわち、あるセルにおける、ノーマル下りリンクＣＰでのスペシャルサブフレーム設定０および５、または、拡張下りリンクＣＰでのスペシャルサブフレーム設定０および４に対して、ＤＬ参照ＵＬ−ＤＬ設定に基づいて指示された、該セルのスペシャルサブフレームは、ＨＡＲＱ−ＡＣＫのコードブックサイズの決定から除外されてもよい。端末装置１は、ＤＬ参照ＵＬ−ＤＬ設定、ＣＰの長さ、および、スペシャルサブフレームの設定に基づいて、ＨＡＲＱ−ＡＣＫのコードブックサイズを決定してもよい。
【０２９２】
図１８は、本実施形態における通信方法を説明するための別の図である。ここで、図１８では、一例として、あるセルに対して、ＵＬ参照ＵＬ−ＤＬ設定０、ＤＬ参照ＵＬ−ＤＬ設定３、第３のＵＬ−ＤＬ設定４がセットされている場合を示している。端末装置１は、該セルに対するＨＡＲＱ−ＡＣＫのコードブックサイズを決定する。
【０２９３】
すなわち、図１８におけるサブフレーム６は、ＵＬ参照ＵＬ−ＤＬ設定に基づいてスペシャルサブフレームとして指示されたサブフレームである。また、図１８におけるサブフレーム６は、ＤＬ参照ＵＬ−ＤＬ設定に基づいて下りリンクサブフレームとして指示されたサブフレームである。また、図１８におけるサブフレーム６は、第３のＵＬ−ＤＬ設定に基づいて下りリンクサブフレームとして指示されたサブフレームである。
【０２９４】
ここで、端末装置１は、ＤＬ参照ＵＬ−ＤＬ設定に基づいて下りリンクサブフレームとして指示されたサブフレーム（すなわち、図１８におけるサブフレーム６）を、ＨＡＲＱ−ＡＣＫのコードブックサイズの決定に用いてもよい。すなわち、この場合においては、端末装置１は、ＢｃＤＬ＝Ｍとして、ＨＡＲＱ−ＡＣＫのコードブックサイズを決定してもよい。
【０２９５】
すなわち、端末装置１は、ＤＬ参照ＵＬ−ＤＬ設定に基づいて下りリンクサブフレームとして指示されたサブフレーム（すなわち、図１８におけるサブフレーム６）におけるＰＤＳＣＨでの送信を期待してもよい。すなわち、ＤＬ参照ＵＬ−ＤＬ設定に基づいて指示された、あるセルの下りリンクサブフレーム（すなわち、図１８におけるサブフレーム６）は、ＨＡＲＱ−ＡＣＫのコードブックサイズの決定に用いられてもよい。
【０２９６】
また、端末装置１は、ＤＬ参照ＵＬ−ＤＬ設定に基づいて下りリンクサブフレームとして指示されたサブフレーム（すなわち、図１８におけるサブフレーム６）において、ＥＰＤＣＣＨをモニタしてもよい。
【０２９７】
図１９は、本実施形態における通信方法を説明するための別の図である。ここで、図１９では、一例として、あるセルに対して、ＵＬ参照ＵＬ−ＤＬ設定０、ＤＬ参照ＵＬ−ＤＬ設定４、第３のＵＬ−ＤＬ設定２がセットされている場合を示している。端末装置１は、該セルに対するＨＡＲＱ−ＡＣＫのコードブックサイズを決定する。
【０２９８】
すなわち、図１９におけるサブフレーム６は、ＵＬ参照ＵＬ−ＤＬ設定に基づいてスペシャルサブフレームとして指示されたサブフレームである。また、図１９におけるサブフレーム６は、ＤＬ参照ＵＬ−ＤＬ設定に基づいて下りリンクサブフレームとして指示されたサブフレームである。また、図１９におけるサブフレーム６は、第３のＵＬ−ＤＬ設定に基づいてスペシャルサブフレームとして指示されたサブフレームである。ＵＬ参照ＵＬ−ＤＬ設定とＤＬ参照ＵＬ−ＤＬ設定の両方でＤＬである区間は、第３のＵＬ−ＤＬ設定においてもＤＬである。ＵＬ参照ＵＬ−ＤＬ設定とＤＬ参照ＵＬ−ＤＬ設定の両方でＵＬである区間は、第３のＵＬ−ＤＬ設定においてもＵＬである。ＤＬ参照ＵＬ−ＤＬ設定に基づいてスペシャルサブフレームとして指示され得るサブフレームは、ＵＬ参照ＵＬ−ＤＬ設定に基づいてスペシャルサブフレームとして指示されたサブフレームである。また、ＤＬ参照ＵＬ−ＤＬ設定に基づいてスペシャルサブフレームとして指示されたサブフレームは、第３のＵＬ−ＤＬ設定においてもスペシャルサブフレームとして指示される。
【０２９９】
ここで、端末装置１は、ＨＡＲＱ−ＡＣＫのコードブックサイズの決定に用いられるスペシャルサブフレームを、第３のＵＬ−ＤＬ設定に基づいて決定してもよい。すなわち、端末装置１は、第３のＵＬ−ＤＬ設定に基づいてスペシャルサブフレームとして指示されたサブフレーム（すなわち、図１９におけるサブフレーム６）を、ＨＡＲＱ−ＡＣＫのコードブックサイズの決定に用いるかどうかを、ノーマル下りリンクＣＰでのスペシャルサブフレーム設定０および５、または、拡張下りリンクＣＰでのスペシャルサブフレーム設定０および４がセットされているかどうかに基づいて決定してもよい。
【０３００】
例えば、端末装置１は、ノーマル下りリンクＣＰでのスペシャルサブフレーム設定０および５、または、拡張下りリンクＣＰでのスペシャルサブフレーム設定０および４、以外がセットされている場合には、第３のＵＬ−ＤＬ設定に基づいてスペシャルサブフレームとして指示されたサブフレーム（すなわち、図１９におけるサブフレーム６）を、ＨＡＲＱ−ＡＣＫのコードブックサイズの決定に用いてもよい。すなわち、この場合においては、端末装置１は、ＢｃＤＬ＝Ｍとして、ＨＡＲＱ−ＡＣＫのコードブックサイズを決定してもよい。
【０３０１】
また、端末装置１は、ノーマル下りリンクＣＰでのスペシャルサブフレーム設定０および５、または、拡張下りリンクＣＰでのスペシャルサブフレーム設定０および４がセットされている場合には、第３のＵＬ−ＤＬ設定に基づいてスペシャルサブフレームとして指示されたサブフレーム（すなわち、図１９におけるサブフレーム６）を、ＨＡＲＱ−ＡＣＫのコードブックサイズの決定から除外してもよい。すなわち、この場合においては、端末装置１は、ＢｃＤＬ＝Ｍ−１として、ＨＡＲＱ−ＡＣＫのコードブックサイズを決定してもよい。
【０３０２】
すなわち、端末装置１は、ノーマル下りリンクＣＰでのスペシャルサブフレーム設定０および５、または、拡張下りリンクＣＰでのスペシャルサブフレーム設定０および４に対して、第３のＵＬ−ＤＬ設定に基づいてスペシャルサブフレームとして指示されたサブフレーム（すなわち、図１９におけるサブフレーム６）のＤｗＰＴＳにおけるＰＤＳＣＨでの送信を期待しなくてもよい。
【０３０３】
また、端末装置１は、ノーマル下りリンクＣＰでのスペシャルサブフレーム設定０および５、または、拡張下りリンクＣＰでのスペシャルサブフレーム設定０および４、以外に対して、第３のＵＬ−ＤＬ設定に基づいてスペシャルサブフレームとして指示されたサブフレーム（すなわち、図１９におけるサブフレーム６）のＤｗＰＴＳにおけるＰＤＳＣＨでの送信を期待してもよい。
【０３０４】
すなわち、端末装置１は、ＣＰの長さ、および、スペシャルサブフレームの設定に基づいて、第３のＵＬ−ＤＬ設定に基づいてスペシャルサブフレーム（すなわち、図１９におけるサブフレーム６）として指示されたサブフレームのＤｗＰＴＳにおけるＰＤＳＣＨでの送信を期待するか否かを決定してもよい。
【０３０５】
すなわち、ノーマル下りリンクＣＰでのスペシャルサブフレーム設定０および５、または、拡張下りリンクＣＰでのスペシャルサブフレーム設定０および４に対して、第３のＵＬ−ＤＬ設定に基づいてスペシャルサブフレームとして指示されたサブフレーム（すなわち、図１９におけるサブフレーム６）のＤｗＰＴＳにおいて、ＰＤＳＣＨでの送信は行なわれなくてもよい。
【０３０６】
また、ノーマル下りリンクＣＰでのスペシャルサブフレーム設定０および５、または、拡張下りリンクＣＰでのスペシャルサブフレーム設定０および４、以外に対して、第３のＵＬ−ＤＬ設定に基づいてスペシャルサブフレームとして指示されたサブフレーム（すなわち、図１９におけるサブフレーム６）のＤｗＰＴＳにおいて、ＰＤＳＣＨでの送信は行なわれてもよい。
【０３０７】
また、端末装置１は、ノーマル下りリンクＣＰでのスペシャルサブフレーム設定０および５、または、拡張下りリンクＣＰでのスペシャルサブフレーム設定０および４に対して、第３のＵＬ−ＤＬ設定に基づいてスペシャルサブフレームとして指示されたサブフレーム（すなわち、図１９におけるサブフレーム６）のＤｗＰＴＳにおいて、ＥＰＤＣＣＨをモニタしなくてもよい。
【０３０８】
また、端末装置１は、ノーマル下りリンクＣＰでのスペシャルサブフレーム設定０および５、または、拡張下りリンクＣＰでのスペシャルサブフレーム設定０および４、以外に対して、第３のＵＬ−ＤＬ設定に基づいてスペシャルサブフレームとして指示されたサブフレーム（すなわち、図１９におけるサブフレーム６）のＤｗＰＴＳにおいて、ＥＰＤＣＣＨをモニタしてもよい。
【０３０９】
すなわち、端末装置１は、ＣＰの長さ、および、スペシャルサブフレームの設定に基づいて、第３のＵＬ−ＤＬ設定に基づいてスペシャルサブフレーム（すなわち、図１９におけるサブフレーム６）として指示されたサブフレームのＤｗＰＴＳにおいて、ＥＰＤＣＣＨをモニタするか否かを決定してもよい。
【０３１０】
また、ノーマル下りリンクＣＰでのスペシャルサブフレーム設定０および５、または、拡張下りリンクＣＰでのスペシャルサブフレーム設定０および４に対して、第３のＵＬ−ＤＬ設定に基づいてスペシャルサブフレームとして指示されたサブフレーム（すなわち、図１９におけるサブフレーム６）のＤｗＰＴＳにおいて、ＥＰＤＣＣＨでの送信は行なわれなくてもよい。
【０３１１】
また、ノーマル下りリンクＣＰでのスペシャルサブフレーム設定０および５、または、拡張下りリンクＣＰでのスペシャルサブフレーム設定０および４、以外に対して、第３のＵＬ−ＤＬ設定に基づいてスペシャルサブフレームとして指示されたサブフレーム（すなわち、図１９におけるサブフレーム６）のＤｗＰＴＳにおいて、ＥＰＤＣＣＨでの送信は行なわれてもよい。
【０３１２】
すなわち、あるセルにおける、ノーマル下りリンクＣＰでのスペシャルサブフレーム設定０および５、または、拡張下りリンクＣＰでのスペシャルサブフレーム設定０および４に対して、第３のＵＬ−ＤＬ設定に基づいて指示された、該セルのスペシャルサブフレームは、ＨＡＲＱ−ＡＣＫのコードブックサイズの決定から除外されてもよい。端末装置１は、第３のＵＬ−ＤＬ設定、ＣＰの長さ、および、スペシャルサブフレームの設定に基づいて、ＨＡＲＱ−ＡＣＫのコードブックサイズを決定してもよい。
【０３１３】
図２０は、本実施形態における通信方法を説明するための別の図である。ここで、図２０では、一例として、あるセルに対して、ＵＬ参照ＵＬ−ＤＬ設定０、ＤＬ参照ＵＬ−ＤＬ設定４、第３のＵＬ−ＤＬ設定３がセットされている場合を示している。端末装置１は、該セルに対するＨＡＲＱ−ＡＣＫのコードブックサイズを決定する。
【０３１４】
すなわち、図２０におけるサブフレーム６は、ＵＬ参照ＵＬ−ＤＬ設定に基づいてスペシャルサブフレームとして指示されたサブフレームである。また、図２０におけるサブフレーム６は、ＤＬ参照ＵＬ−ＤＬ設定に基づいて下りリンクサブフレームとして指示されたサブフレームである。また、図２０におけるサブフレーム６は、第３のＵＬ−ＤＬ設定に基づいて下りリンクサブフレームとして指示されたサブフレームである。
【０３１５】
ここで、端末装置１は、第３のＵＬ−ＤＬ設定に基づいて下りリンクサブフレームとして指示されたサブフレーム（すなわち、図２０におけるサブフレーム６）を、ＨＡＲＱ−ＡＣＫのコードブックサイズの決定に用いてもよい。すなわち、この場合においては、端末装置１は、ＢｃＤＬ＝Ｍとして、ＨＡＲＱ−ＡＣＫのコードブックサイズを決定してもよい。
【０３１６】
すなわち、端末装置１は、第３のＵＬ−ＤＬ設定に基づいて下りリンクサブフレームとして指示されたサブフレーム（すなわち、図２０におけるサブフレーム６）におけるＰＤＳＣＨでの送信を期待してもよい。すなわち、ＤＬ参照ＵＬ−ＤＬ設定に基づいて指示された、あるセルの下りリンクサブフレーム（すなわち、図２０におけるサブフレーム６）は、ＨＡＲＱ−ＡＣＫのコードブックサイズの決定に用いられてもよい。
【０３１７】
また、端末装置１は、第３のＵＬ−ＤＬ設定に基づいて下りリンクサブフレームとして指示されたサブフレーム（すなわち、図２０におけるサブフレーム６）において、ＥＰＤＣＣＨをモニタしてもよい。
【０３１８】
ここで、上述した、図１７から図２０におけるＨＡＲＱ−ＡＣＫの送信方法（ＨＡＲＱ−ＡＣＫのコードワードサイズの決定方法）は、端末装置１に対して、少なくとも、ＤＬ参照ＵＬ−ＤＬ設定がセットされている場合の動作を示している。すなわち、図１７から図２０における動作は、ダイナミックＴＤＤ（ｅＩＭＴＡでもよい）が設定された端末装置１における動作を示している。
【０３１９】
以下、端末装置１に対して、少なくとも、ＤＬ参照ＵＬ−ＤＬ設定がセットされていない場合のＨＡＲＱ−ＡＣＫのコードブックサイズの決定方法を記載する。すなわち、ダイナミックＴＤＤ（ｅＩＭＴＡでもよい）が設定されていない端末装置１における動作を記載する。
【０３２０】
ここで、ＤＬ参照ＵＬ−ＤＬ設定がセットされていない端末装置１は、ＨＡＲＱ−ＡＣＫのコードブックサイズの決定に用いられるスペシャルサブフレームを、ＵＬ参照ＵＬ−ＤＬ設定に基づいて決定してもよい。すなわち、端末装置１は、ＵＬ参照ＵＬ−ＤＬ設定に基づいてスペシャルサブフレームとして指示されたサブフレームを、ＨＡＲＱ−ＡＣＫのコードブックサイズの決定に用いるかどうかを、ノーマル下りリンクＣＰでのスペシャルサブフレーム設定０および５、または、拡張下りリンクＣＰでのスペシャルサブフレーム設定０および４がセットされているかどうかに基づいて決定してもよい。
【０３２１】
例えば、端末装置１は、ノーマル下りリンクＣＰでのスペシャルサブフレーム設定０および５、または、拡張下りリンクＣＰでのスペシャルサブフレーム設定０および４、以外がセットされている場合には、ＵＬ参照ＵＬ−ＤＬ設定に基づいてスペシャルサブフレームとして指示されたサブフレームを、ＨＡＲＱ−ＡＣＫのコードブックサイズの決定に用いてもよい。すなわち、この場合においては、端末装置１は、ＢｃＤＬ＝Ｍとして、ＨＡＲＱ−ＡＣＫのコードブックサイズを決定してもよい。
【０３２２】
また、端末装置１は、ノーマル下りリンクＣＰでのスペシャルサブフレーム設定０および５、または、拡張下りリンクＣＰでのスペシャルサブフレーム設定０および４がセットされている場合には、ＵＬ参照ＵＬ−ＤＬ設定に基づいてスペシャルサブフレームとして指示されたサブフレームを、ＨＡＲＱ−ＡＣＫのコードブックサイズの決定から除外してもよい。すなわち、この場合においては、端末装置１は、ＢｃＤＬ＝Ｍ−１として、ＨＡＲＱ−ＡＣＫのコードブックサイズを決定してもよい。
【０３２３】
すなわち、端末装置１は、ノーマル下りリンクＣＰでのスペシャルサブフレーム設定０および５、または、拡張下りリンクＣＰでのスペシャルサブフレーム設定０および４に対して、ＵＬ参照ＵＬ−ＤＬ設定に基づいてスペシャルサブフレームとして指示されたサブフレームのＤｗＰＴＳにおけるＰＤＳＣＨでの送信を期待しなくてもよい。
【０３２４】
また、端末装置１は、ノーマル下りリンクＣＰでのスペシャルサブフレーム設定０および５、または、拡張下りリンクＣＰでのスペシャルサブフレーム設定０および４、以外に対して、ＵＬ参照ＵＬ−ＤＬ設定に基づいてスペシャルサブフレームとして指示されたサブフレームのＤｗＰＴＳにおけるＰＤＳＣＨでの送信を期待してもよい。
【０３２５】
すなわち、端末装置１は、ＣＰの長さ、および、スペシャルサブフレームの設定に基づいて、ＵＬ参照ＵＬ−ＤＬ設定に基づいてスペシャルサブフレームとして指示されたサブフレームのＤｗＰＴＳにおけるＰＤＳＣＨでの送信を期待するか否かを決定してもよい。
【０３２６】
また、ノーマル下りリンクＣＰでのスペシャルサブフレーム設定０および５、または、拡張下りリンクＣＰでのスペシャルサブフレーム設定０および４に対して、ＵＬ参照ＵＬ−ＤＬ設定に基づいてスペシャルサブフレームとして指示されたサブフレームのＤｗＰＴＳにおいて、ＰＤＳＣＨでの送信は行なわれなくてもよい。
【０３２７】
また、ノーマル下りリンクＣＰでのスペシャルサブフレーム設定０および５、または、拡張下りリンクＣＰでのスペシャルサブフレーム設定０および４、以外に対して、ＵＬ参照ＵＬ−ＤＬ設定に基づいてスペシャルサブフレームとして指示されたサブフレームのＤｗＰＴＳにおいて、ＰＤＳＣＨでの送信は行なわれてもよい。
【０３２８】
また、端末装置１は、ノーマル下りリンクＣＰでのスペシャルサブフレーム設定０および５、または、拡張下りリンクＣＰでのスペシャルサブフレーム設定０および４に対して、ＵＬ参照ＵＬ−ＤＬ設定に基づいてスペシャルサブフレームとして指示されたサブフレームのＤｗＰＴＳにおいて、ＥＰＤＣＣＨをモニタしなくてもよい。
【０３２９】
また、端末装置１は、ノーマル下りリンクＣＰでのスペシャルサブフレーム設定０および５、または、拡張下りリンクＣＰでのスペシャルサブフレーム設定０および４、以外に対して、ＵＬ参照ＵＬ−ＤＬ設定に基づいてスペシャルサブフレームとして指示されたサブフレームのＤｗＰＴＳにおいて、ＥＰＤＣＣＨをモニタしてもよい。
【０３３０】
すなわち、端末装置１は、ＣＰの長さ、および、スペシャルサブフレームの設定に基づいて、ＵＬ参照ＵＬ−ＤＬ設定に基づいてスペシャルサブフレームとして指示されたサブフレームのＤｗＰＴＳにおいて、ＥＰＤＣＣＨをモニタするか否かを決定してもよい。
【０３３１】
また、ノーマル下りリンクＣＰでのスペシャルサブフレーム設定０および５、または、拡張下りリンクＣＰでのスペシャルサブフレーム設定０および４に対して、ＵＬ参照ＵＬ−ＤＬ設定に基づいてスペシャルサブフレームとして指示されたサブフレームのＤｗＰＴＳにおいて、ＥＰＤＣＣＨでの送信は行なわれなくてもよい。
【０３３２】
また、ノーマル下りリンクＣＰでのスペシャルサブフレーム設定０および５、または、拡張下りリンクＣＰでのスペシャルサブフレーム設定０および４、以外に対して、ＵＬ参照ＵＬ−ＤＬ設定に基づいてスペシャルサブフレームとして指示されたサブフレームのＤｗＰＴＳにおいて、ＥＰＤＣＣＨでの送信は行なわれてもよい。
【０３３３】
すなわち、あるセルにおける、ノーマル下りリンクＣＰでのスペシャルサブフレーム設定０および５、または、拡張下りリンクＣＰでのスペシャルサブフレーム設定０および４に対して、ＵＬ参照ＵＬ−ＤＬ設定に基づいて指示された、該セルのスペシャルサブフレームは、ＨＡＲＱ−ＡＣＫのコードブックサイズの決定から除外されてもよい。端末装置１は、ＵＬ参照ＵＬ−ＤＬ設定、ＣＰの長さ、および、スペシャルサブフレームの設定に基づいて、ＨＡＲＱ−ＡＣＫのコードブックサイズを決定してもよい。
【０３３４】
また、端末装置１は、ＵＬ参照ＵＬ−ＤＬ設定に基づいて下りリンクサブフレームとして指示されたサブフレームを、ＨＡＲＱ−ＡＣＫのコードブックサイズの決定に用いてもよい。すなわち、この場合においては、端末装置１は、ＢｃＤＬ＝Ｍとして、ＨＡＲＱ−ＡＣＫのコードブックサイズを決定してもよい。
【０３３５】
すなわち、端末装置１は、ＵＬ参照ＵＬ−ＤＬ設定に基づいて下りリンクサブフレームとして指示されたサブフレームにおけるＰＤＳＣＨでの送信を期待してもよい。すなわち、ＵＬ参照ＵＬ−ＤＬ設定に基づいて指示された、あるセルの下りリンクサブフレームは、ＨＡＲＱ−ＡＣＫのコードブックサイズの決定に用いられてもよい。
【０３３６】
また、端末装置１は、ＵＬ参照ＵＬ−ＤＬ設定に基づいて下りリンクサブフレームとして指示されたサブフレームにおいてＥＰＤＣＣＨをモニタしてもよい。
【０３３７】
上述のようにＨＡＲＱ−ＡＣＫのコードブックサイズを決定した端末装置１は、決定したＨＡＲＱ−ＡＣＫのコードブックサイズを用いて、ＨＡＲＱ−ＡＣＫを送信する。すなわち、端末装置１は、サブフレーム（複数のサブフレームでもよい）ｎ−ｋ（ここで、ｋ∈Ｋ、Ｋは、図１５によって示される）におけるＰＤＳＣＨでの送信の検出に基づいて、対応するＨＡＲＱ−ＡＣＫのフィールドにＡＣＫまたはＮＡＣＫをセットし、上りリンクサブフレームｎにおいて、ＨＡＲＱ−ＡＣＫ、または、空間的にバンドルされたＨＡＲＱ−ＡＣＫを送信する。
【０３３８】
また、端末装置１は、サブフレーム（複数のサブフレームでもよい）ｎ−ｋ（ここで、ｋ∈Ｋ、Ｋは、図１５によって示される）における下りリンクのＳＰＳリリースを指示するＰＤＣＣＨ／ＥＰＤＣＣＨの検出に基づいて、対応するＨＡＲＱ−ＡＣＫのフィールドにＡＣＫまたはＮＡＣＫをセットし、上りリンクサブフレームｎにおいて、ＨＡＲＱ−ＡＣＫを送信してもよい。
【０３３９】
ここで、端末装置１は、あるセルに対する、あるサブフレームにおいて、ＰＤＳＣＨ、および、下りリンクＳＰＳリリースを指示するＰＤＣＣＨ／ＥＰＤＣＣＨのどちらも検出しなかった場合には、ＮＡＣＫを生成してもよい。すなわち、端末装置１は、あるセルに対する、あるサブフレームにおいて、ＰＤＳＣＨ、および、下りリンクＳＰＳリリースを指示するＰＤＣＣＨ／ＥＰＤＣＣＨのどちらも検出しなかった場合には、対応するＨＡＲＱ−ＡＣＫのフィールドにＮＡＣＫをセットしてもよい。
【０３４０】
ここで、端末装置１は、該セルにおいて設定された下りリンク送信モードが２つまでのトランスポートブロックをサポートし、且つ、空間的なバンドリングが適用されない場合には、２つのＮＡＣＫを生成してもよい。また、端末装置１は、該セルにおいて設定された下りリンク送信モードが１つのトランスポートブロックをサポートする場合には、１つのＮＡＣＫを生成してもよい。また、端末装置１は、該セルにおいて空間的なバンドリングが適用される場合には、１つのＮＡＣＫを生成してもよい。
【０３４１】
ここで、端末装置１は、あるセルに対する、あるサブフレームにおいて、該セルにおいて設定された下りリンク送信モードが２つまでのトランスポートブロックをサポートし、且つ、該セルの該サブフレームにおいて１つのトランスポートブロックを受信し、且つ、該セルに対して空間的なＨＡＲＱ−ＡＣＫバンドリングが適用されない場合には、受信した１つのトランスポートブロックとは異なるトランスポートブロックに対する１つのＮＡＣＫを生成してもよい。
【０３４２】
また、端末装置１は、あるセルに対する、あるサブフレームにおいて、該セルにおいて設定された下りリンク送信モードが２つまでのトランスポートブロックをサポートし、且つ、該セルの該サブフレームにおいて下りリンクＳＰＳリリースを指示するＰＤＣＣＨ／ＥＰＤＣＣＨを受信（検出）し、且つ、該セルに対して空間的なＨＡＲＱ−ＡＣＫバンドリングが適用されない場合には、コードワード１に対応するＨＡＲ−ＡＣＫとして、１つのＮＡＣＫを生成する。ここで、受信した下りリンクＳＰＳリリースを指示するＰＤＣＣＨ／ＥＰＤＣＣＨに対する１つのＡＣＫは、コードワード０に対応するＨＡＲＱ−ＡＣＫとして生成されてもよい。
【０３４３】
また、端末装置１は、あるセルに対する、あるサブフレームにおいて、該セルにおいて設定された下りリンク送信モードが２つまでのトランスポートブロックをサポートし、且つ、該セルの該サブフレームにおいて下りリンクＳＰＳリリースを指示するＰＤＣＣＨ／ＥＰＤＣＣＨを受信（検出）し、且つ、該セルに対して空間的なＨＡＲＱ−ＡＣＫバンドリングが適用されない場合には、コードワード０に対応するＨＡＲ−ＡＣＫとして、１つのＮＡＣＫを生成する。ここで、受信した下りリンクＳＰＳリリースを指示するＰＤＣＣＨ／ＥＰＤＣＣＨに対する１つのＡＣＫは、コードワード１に対応するＨＡＲＱ−ＡＣＫとして生成されてもよい。
【０３４４】
また、端末装置１は、あるセルに対する、あるサブフレームにおいて、該セルにおいて設定された下りリンク送信モードが２つまでのトランスポートブロックをサポートし、且つ、該セルの該サブフレームにおいて下りリンクＳＰＳリリースを指示するＰＤＣＣＨ／ＥＰＤＣＣＨを受信（検出）し、且つ、該セルに対して空間的なＨＡＲＱ−ＡＣＫバンドリングが適用されない場合には、２つのＡＣＫを生成してもよい。すなわち、この場合においては、下りリンクＳＰＳリリースを指示するＰＤＣＣＨ／ＥＰＤＣＣＨへの応答として、両方のトランスポートブロックに対して２つのＡＣＫ（同じＨＡＲＱ−ＡＣＫ応答）が生成されてもよい。
【０３４５】
また、基地局装置３は、あるセルに対する、あるサブフレームにおいて、該セルにおいて設定された下りリンク送信モードが２つまでのトランスポートブロックをサポートし、且つ、該セルの該サブフレームにおいて下りリンクＳＰＳリリースを指示するＰＤＣＣＨ／ＥＰＤＣＣＨを送信し、且つ、該セルに対して空間的なＨＡＲＱ−ＡＣＫバンドリングが適用されない場合、該両方のトランスポートブロックに対するＨＡＲＱ−ＡＣＫのうち少なくとも１つがＡＣＫであるならば、端末装置１が、下りリンクＳＰＳリリースを指示するＰＤＣＣＨ／ＥＰＤＣＣＨの受信（検出）に成功したと判断してもよい。
【０３４６】
ここで、上述したように、端末装置１は、ＣＰの長さ、および、サブフレームの設定に基づいて、あるサブフレーム（あるサブフレームのＤｗＰＴＳでもよい）におけるＰＤＳＣＨでの送信を期待するか否かを決定してもよい。
【０３４７】
以下、ＣＰの長さ、サブフレームの設定、および、第３のＵＬ−ＤＬ設定に基づく、端末装置１の動作の一例を記載する。
【０３４８】
例えば、端末装置１は、ノーマル下りリンクＣＰでのスペシャルサブフレーム設定０および５、または、拡張下りリンクＣＰでのスペシャルサブフレーム設定０および４がセットされている場合には、第３のＵＬ−ＤＬ設定に基づいてスペシャルサブフレームとして指示されたサブフレーム（サブフレームのＤｗＰＴＳでもよい）におけるＰＤＳＣＨでの送信を期待しなくてもよい。
【０３４９】
また、端末装置１は、ノーマル下りリンクＣＰでのスペシャルサブフレーム設定０および５、または、拡張下りリンクＣＰでのスペシャルサブフレーム設定０および４がセットされている場合には、第３のＵＬ−ＤＬ設定に基づいて下りリンクサブフレームとして指示されたサブフレームにおけるＰＤＳＣＨでの送信を期待しなくてもよい。
【０３５０】
ここで、端末装置１は、ノーマル下りリンクＣＰでのスペシャルサブフレーム設定０および５、または、拡張下りリンクＣＰでのスペシャルサブフレーム設定０および４がセットされている場合に、第３のＵＬ−ＤＬ設定に基づいて下りリンクサブフレームとして指示されたサブフレームにおいて、ＥＰＤＣＣＨ（ＥＰＤＣＣＨで送信される上りリンクグラントでもよい）をモニタしてもよい。
【０３５１】
また、端末装置１は、ノーマル下りリンクＣＰでのスペシャルサブフレーム設定０および５、または、拡張下りリンクＣＰでのスペシャルサブフレーム設定０および４がセットされている場合に、第３のＵＬ−ＤＬ設定に基づいて下りリンクサブフレームとして指示されたサブフレームにおいて、ＥＰＤＣＣＨ（ＥＰＤＣＣＨで送信される上りリンクグラントでもよい）をモニタしなくてもよい。
【０３５２】
また、端末装置１は、ノーマル下りリンクＣＰでのスペシャルサブフレーム設定０および５、または、拡張下りリンクＣＰでのスペシャルサブフレーム設定０および４、以外がセットされている場合には、第３のＵＬ−ＤＬ設定に基づいてスペシャルサブフレームとして指示されたサブフレーム（サブフレームのＤｗＰＴＳでもよい）におけるＰＤＳＣＨでの送信を期待してもよい。
【０３５３】
また、端末装置１は、ノーマル下りリンクＣＰでのスペシャルサブフレーム設定０および５、または、拡張下りリンクＣＰでのスペシャルサブフレーム設定０および４、以外がセットされている場合には、第３のＵＬ−ＤＬ設定に基づいて下りリンクサブフレームとして指示されたサブフレームにおけるＰＤＳＣＨでの送信を期待してもよい。
【０３５４】
すなわち、端末装置１は、第３のＵＬ−ＤＬ設定に基づいてスペシャルサブフレームとして指示されたサブフレーム（サブフレームのＤｗＰＴＳでもよい）におけるＰＤＳＣＨでの送信を期待するか否かを、ノーマル下りリンクＣＰでのスペシャルサブフレーム設定０および５、または、拡張下りリンクＣＰでのスペシャルサブフレーム設定０および４がセットされているかどうかに基づいて決定してもよい。
【０３５５】
また、端末装置１は、第３のＵＬ−ＤＬ設定に基づいて下りリンクサブフレームとして指示されたサブフレームにおけるＰＤＳＣＨでの送信を期待するか否かを、ノーマル下りリンクＣＰでのスペシャルサブフレーム設定０および５、または、拡張下りリンクＣＰでのスペシャルサブフレーム設定０および４がセットされているかどうかに基づいて決定してもよい。
【０３５６】
以下、ＣＰの長さ、サブフレームの設定、ＵＬ参照ＵＬ−ＤＬ設定、ＤＬ参照ＵＬ−ＤＬ設定、および、第３のＵＬ−ＤＬ設定に基づく、端末装置１の動作の一例を記載する。
【０３５７】
上述したように、端末装置１は、第３のＵＬ−ＤＬ設定に基づいて下りリンクサブフレームおよびスペシャルサブフレームとして指示されたサブフレーム（以下、説明を明確にするために、ＤＬ−Ｓサブフレームとも記載する）においてＰＤＳＣＨでの送信を期待してもよい。ここで、この場合において、端末装置１は、該ＤＬ−Ｓサブフレームが、第１のＵＬ−ＤＬ設定に基づいてスペシャルサブフレームとして指示され、且つ、第２のＵＬ−ＤＬ設定に基づいてスペシャルサブフレームとして指示された場合には、該ＤＬ−ＳサブフレームにおいてＰＤＳＣＨでの送信を期待するか否かを、ＣＰの長さ、および、スペシャルサブフレームの設定に基づいて決定してもよい。
【０３５８】
すなわち、端末装置１は、該ＤＬ−ＳサブフレームにおいてＰＤＳＣＨでの送信を期待するか否かを、ノーマル下りリンクＣＰでのスペシャルサブフレーム設定０および５、または、拡張下りリンクＣＰでのスペシャルサブフレーム設定０および４がセットされているかどうかに基づいて決定してもよい。
【０３５９】
すなわち、端末装置１は、ノーマル下りリンクＣＰでのスペシャルサブフレーム設定０および５、または、拡張下りリンクＣＰでのスペシャルサブフレーム設定０および４がセットされている場合には、該ＤＬ−ＳサブフレームにおいてＰＤＳＣＨでの送信を期待しなくてもよい。また、端末装置１は、ノーマル下りリンクＣＰでのスペシャルサブフレーム設定０および５、または、拡張下りリンクＣＰでのスペシャルサブフレーム設定０および４、以外がセットされている場合には、該ＤＬ−ＳサブフレームにおいてＰＤＳＣＨでの送信を期待してもよい。
【０３６０】
また、端末装置１は、該ＤＬ−Ｓサブフレームが、第１のＵＬ−ＤＬ設定に基づいてスペシャルサブフレームとして指示され、且つ、第２のＵＬ−ＤＬ設定に基づいて下りリンクサブフレームとして指示された場合には、該ＤＬ−ＳサブフレームにおいてＰＤＳＣＨでの送信を期待してもよい。すなわち、この場合においては、端末装置１は、ＣＰの長さ、および、スペシャルサブフレームの設定に関わらず、該ＤＬ−ＳサブフレームにおいてＰＤＳＣＨでの送信を期待してもよい。
【０３６１】
ここで、上述したとおり、あるサブフレームにおけるＰＤＳＣＨでの送信を期待しないことには、該サブフレームを、ＨＡＲＱ−ＡＣＫのコードブックサイズの決定から除外することが含まれる。
【０３６２】
また、上述したように、端末装置１は、ＥＰＤＣＣＨをモニタするサブフレーム（以下、説明を明確にするために、ＥＰＤＣＣＨモニタリングサブフレームとも記載する）のうち、第３のＵＬ−ＤＬ設定に基づいて下りリンクサブフレームおよびスペシャルサブフレームとして指示されたサブフレーム（以下、説明を明確にするために、ＥＰＤＣＣＨモニタリングＤＬ−Ｓサブフレームとも記載する）においてＥＰＤＣＣＨをモニタしてもよい。ここで、上述したように、ＥＰＤＣＣＨをモニタするサブフレームは、端末装置１がＥＰＤＣＣＨをモニタすべきサブフレームとして設定される。
【０３６３】
ここで、この場合において、端末装置１は、ＥＰＤＣＣＨモニタリングＤＬ−Ｓサブフレームが、第１のＵＬ−ＤＬ設定に基づいてスペシャルサブフレームとして指示され、且つ、第２のＵＬ−ＤＬ設定に基づいてスペシャルサブフレームとして指示された場合（第１の場合とも記載される）には、該ＥＰＤＣＣＨモニタリングＤＬ−ＳサブフレームにおいてＥＰＤＣＣＨをモニタするか否かを、ＣＰの長さ、および、スペシャルサブフレームの設定に基づいて決定してもよい。
【０３６４】
すなわち、端末装置１は、該ＥＰＤＣＣＨモニタリングＤＬ−ＳサブフレームにおいてＥＰＤＣＣＨをモニタするか否かを、ノーマル下りリンクＣＰでのスペシャルサブフレーム設定０および５、または、拡張下りリンクＣＰでのスペシャルサブフレーム設定０および４がセットされているかどうかに基づいて決定してもよい。
【０３６５】
すなわち、端末装置１は、ノーマル下りリンクＣＰでのスペシャルサブフレーム設定０および５、または、拡張下りリンクＣＰでのスペシャルサブフレーム設定０および４がセットされている場合には、該ＥＰＤＣＣＨモニタリングＤＬ−ＳサブフレームにおいてＥＰＤＣＣＨをモニタしなくてもよい。また、端末装置１は、ノーマル下りリンクＣＰでのスペシャルサブフレーム設定０および５、または、拡張下りリンクＣＰでのスペシャルサブフレーム設定０および４、以外がセットされている場合には、該ＥＰＤＣＣＨモニタリングＤＬ−ＳサブフレームにおいてＥＰＤＣＣＨをモニタしてもよい。
【０３６６】
また、端末装置１は、該ＥＰＤＣＣＨモニタリングＤＬ−Ｓサブフレームが、第１のＵＬ−ＤＬ設定に基づいてスペシャルサブフレームとして指示され、且つ、第２のＵＬ−ＤＬ設定に基づいて下りリンクサブフレームとして指示された場合（第１の場合とも記載される）には、該ＥＰＤＣＣＨモニタリングＤＬ−ＳサブフレームにおいてＥＰＤＣＣＨをモニタしてもよい。すなわち、この場合においては、端末装置１は、ＣＰの長さ、および、スペシャルサブフレームの設定に関わらず、該ＥＰＤＣＣＨモニタリングＤＬ−ＳサブフレームにおいてＥＰＤＣＣＨをモニタしてもよい。
【０３６７】
ここで、上述のような通信方法は、端末装置１に対して１つのセル（のみ）が設定されている場合に対して、適用されてもよい。また、端末装置１に対して複数のセル（例えば、２つのセル）が設定されており、該複数のセルの全て（例えば、該２つのセル）に対する第１のＵＬ参照ＵＬ−ＤＬ設定が同一の場合に対して、適用されてもよい。
【０３６８】
また、端末装置１に対して複数のセルが設定されており、少なくとも２つのセルに対する第１のＵＬ参照ＵＬ−ＤＬ設定が同一ではない（異なる）場合に対して、適用されてもよい。
【０３６９】
ここで、端末装置１に対して複数のセルが設定されており、少なくとも２つのセルに対する第１のＵＬ参照ＵＬ−ＤＬ設定が同一ではない場合、端末装置１が、サブフレームｎにおいて、ＰＵＣＣＨで送信を行なおうとする場合に対して、常に、ＢｃＤＬ＝Ｍｃとして、ＨＡＲＱ−ＡＣＫのコードブックサイズが決定されてもよい。
【０３７０】
ここで、Ｍｃは、あるセルに対するサブフレームｎに関連するセットＫｃにおける要素の数を示している。すなわち、端末装置１は、該セルのサブフレームｎ−ｋにおけるＰＤＳＣＨでの送信の検出に基づいて、上りリンクサブフレームｎにおいてＨＡＲＱ−ＡＣＫを送信する。ここで、ｋ∈Ｋｃであり、Ｋｃは、図１５によって示される。ここで、この場合においては、図１５におけるＵＬ−ＤＬ設定は、ＤＬ参照ＵＬ−ＤＬ設定を参照する。すなわち、この場合においては、図１５におけるＵＬ−ＤＬ設定として、ＤＬ参照ＵＬ−ＤＬ設定が用いられる。
【０３７１】
次に、拡張物理下りリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）について説明する。なお、ＥＰＤＣＣＨは、ＰＤＳＣＨなどの他の物理チャネルと同様、リソースエレメント（ＲＥ：Ｒｅｓｏｕｒｃｅ  Ｅｌｅｍｅｎｔ）を用いて送受信される。アンテナポートＰに対するリソースグリッド（送信される信号をスロット毎に、サブキャリアとＯＦＤＭシンボルとのグリッドによって記載したもの）の各要素（１つのサブキャリアかつ１つのＯＦＤＭシンボルに対応する要素）は、ＲＥと呼ばれ、１つのスロット内でインデクスのペアであるｋ（０から開始し、周波数軸方向に昇順なインデクス）およびｌ（０から開始し、時間軸方向に昇順なインデクス）によって一意に識別される。
【０３７２】
ＥＲＥＧ（Ｅｎｈａｎｃｅｄ  ＲＥ  Ｇｒｏｕｐ）は、ＥＰＤＣＣＨのＲＥへのマッピングを規定するために用いられる。リソースブロックペア毎に、０から１５までの番号が振られた１６個のＥＲＥＧがある。１つのＰＲＢペア内で、通常のＣＰ（Ｃｙｃｌｉｃ  Ｐｒｅｆｉｘ）に対してアンテナポート１０７、１０８、１０９および１１０のための、拡張のＣＰに対してアンテナポート１０７および１０８のためのＤＭＲＳを運ぶＲＥを除くすべてのＲＥに、周波数が先で時間が後の昇順で、０から１５まで循環的に番号が振られる。そのＰＲＢペア内の番号ｉが振られたすべてのＲＥが、ｉの番号が振られたＥＲＥＧを構成する。ここで、ＣＰとは、下りリンクにおけるＯＤＦＭシンボル（上りリンクの場合はＳＣ−ＦＤＭＡシンボル）の有効シンボル区間の前方に付加される信号であり、有効シンボル区間内の一部（通常は最後部）がコピーされた信号である。ＣＰ長には通常の長さ（例えば有効シンボル長２０４８サンプルに対して１６０サンプルあるいは１４４サンプル）の通常のＣＰと、通常のＣＰよりも長い（例えば有効シンボル長２０４８サンプルに対して５１２サンプルあるいは１０２４サンプル）拡張のＣＰの２種類がある。
【０３７３】
ＥＰＤＣＣＨは、スケジューリング割り当てを運ぶ。１つのＥＰＤＣＣＨは１つあるいはいくつかの連続するＥＣＣＥ（Ｅｎｈａｎｃｅｄ  Ｃｏｎｔｒｏｌ  Ｃｈａｎｎｅｌ  Ｅｌｅｍｅｎｔ）の集合体（アグリゲーション）を用いて送信される。ここで、各ＥＣＣＥは複数のＥＲＥＧから構成される。１つのＥＰＤＣＣＨのために用いられるＥＣＣＥの数は、そのＥＰＤＣＣＨのフォーマットと、ＥＣＣＥ毎のＥＲＥＧの数とに依存する。局所的送信と分散的送信の両方がサポートされる。１つのＥＰＤＣＣＨは、ＥＣＣＥのＥＲＥＧおよびＰＲＢペアへのマッピングが異なる局所的送信と分散的送信のいずれかを用いることができる。
【０３７４】
端末装置は、後述するように複数のＥＰＤＣＣＨをモニタリングする。端末装置がＥＰＤＣＣＨ送信をモニタする１つあるいは２つのＰＲＢペアの設置が設定されることができる。上位層によって設定されるように、ＥＰＤＣＣＨセットＸｍにおけるすべてのＥＰＤＣＣＨ候補は、局所的送信のみあるいは分散的送信のみが用いる。サブフレームｉのＥＰＤＣＣＨセットＸｍにおいて、ＥＰＤＣＣＨの送信に利用可能なＥＣＣＥは、０からＮＥＣＣＥ、ｍ、ｉ−１までの番号が振られる。ここで、ＮＥＣＣＥ、ｍ、ｉはサブフレームｉのＥＰＤＣＣＨセットＸｍにおけるＥＰＤＣＣＨの送信に利用可能なＥＣＣＥの数である。番号ｎのＥＣＣＥは、局所的マッピングの場合、インデクスがｆｌｏｏｒ（ｎ／ＮＲＢＥＣＣＥ）であるＰＲＢ中の（ｎ  ｍｏｄ  ＮＲＢＥＣＣＥ）＋ｊＮＲＢＥＣＣＥの番号が振られたＥＲＥＧに対応し、分散的マッピングの場合、インデクスが（ｎ＋ｊ  ｍａｘ（１、ＮＸｍＲＢ／ＮＥＣＣＥＥＲＥＧ））ｍｏｄ  ＮＸｍＲＢであるＰＲＢ中のｆｌｏｏｒ（ｎ／ＮＸｍＲＢ）＋ｊＮＲＢＥＣＣＥの番号が振られたＥＲＥＧに対応する。ここで、ｊ＝０、１、・・・、ＮＥＣＣＥＥＲＥＧ−１であり、ＮＥＣＣＥＥＲＥＧはＥＣＣＥあたりのＥＲＥＧの数である。また、ＮＲＢＥＣＣＥは１６／ＮＥＣＣＥＥＲＥＧに等しく、ＰＲＢペアあたりのＥＣＣＥの数である。また、ｆｌｏｏｒとｍｏｄとｍａｘはそれぞれ床関数と剰余関数（ｍｏｄ関数）と最大値関数（ｍａｘ関数）である。なお、ここでは、ＥＰＤＣＣＨセットＸｍを構成するＰＲＢペアは、０からＮＸｍＲＢ−１まで昇順に番号かふられているものとする。
【０３７５】
ＮＥＣＣＥＥＲＥＧは、ＣＰとサブフレームのタイプに基づいて決まる。より具体的には、通常のＣＰかつ通常のサブフレーム（通常の下りリンクサブフレーム）の場合、あるいは通常のＣＰかつスペシャルサブフレーム設定が３、４あるいは８のスペシャルサブフレームの場合は、ＮＥＣＣＥＥＲＥＧは＝４である。通常のＣＰかつスペシャルサブフレーム設定が１、２、６、７あるいは９のスペシャルサブフレーム（つまりＤｗＰＴＳが６個以上かつ１０個以下のＯＦＤＭシンボルで構成されるスペシャルサブフレーム）の場合、拡張のＣＰかつ通常のサブフレームの場合、あるいは拡張のＣＰかつスペシャルサブフレーム設定が１、２、３、５あるいは６のスペシャルサブフレーム（つまりＤｗＰＴＳが６個以上かつ１０個以下のＯＦＤＭシンボルで構成されるスペシャルサブフレーム）の場合は、ＮＥＣＣＥＥＲＥＧは＝８である。なお、スペシャルサブフレーム設定の詳細に関しては後述する。
【０３７６】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。ＵＬ参照ＵＬ／ＤＬ設定ではなくＤＬ参照ＵＬ／ＤＬ設定に基づくことにより、ＥＰＤＣＣＨが送信され得るスペシャルサブフレームに対するＥＣＣＥあたりのＥＲＥＧ数を規定することができる。また、端末装置が検出できない可能性がある明示的なレイヤ１の信号ではなく、ＲＲＣメッセージを用いて設定されるＤＬ参照ＵＬ／ＤＬ設定に基づくことにより、ＥＣＣＥあたりのＥＲＥＧ数としていずれの値が適用されるかが、明示的なレイヤ１の信号検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０３７７】
図２１はＥＰＤＣＣＨフォーマットとＥＰＤＣＣＨあたりのＥＣＣＥの数（アグリゲーションレベル）の対応表を示す図である。図２１の対応表におけるケースＡは、後述するケース１に対応する条件が満たされる場合に用いられ、その他の場合はケースＢが用いられる。特定の端末装置に対する数量であるｎＥＰＤＣＣＨは、ＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、下記の（ａ１）から（ａ４）の基準のすべてを満たす下りリンクＲＥの数として定義される。
（ａ１）そのＰＲＢペア内の１６個のＥＲＥＧのうちのいずれか１つの一部である。
（ａ２）その端末装置によってＣＲＳとして用いられないと想定される。ここで、ＣＲＳのアンテナポート数と周波数シフトのパラメータに対して他の値が提供されない限り、そのサービングセルにおけるこれらのパラメータ（ＰＢＣＨと同じアンテナポート設定によるアンテナポート数および物理セル識別子に基づいて得られる周波数シフト）によってＣＲＳの位置が与えられる。逆に、端末装置に上位層パラメータであるｒｅ−ＭａｐｐｉｎｇＱＣＬ−ＣｏｎｆｉｇＩＤ−ｒ１１によってこれらのパラメータの組が設定された場合には、そのパラメータを用いてＣＲＳの位置が決定する。
（ａ３）その端末装置によってＣＳＩＲＳとして用いられないと想定される。ここで、そのサービングセルにおけるゼロ電力ＣＳＩＲＳの設定（ゼロ電力ＣＳＩＲＳのための設定に対して他の値が提供されない場合）と非ゼロ電力ＣＳＩＲＳの設定とによってＣＳＩＲＳの位置が与えられる。逆に、端末装置に上位層パラメータであるｒｅ−ＭａｐｐｉｎｇＱＣＬ−ＣｏｎｆｉｇＩＤ−ｒ１１によってゼロ電力ＣＳＩＲＳが設定された場合には、そのパラメータを用いてＣＳＩＲＳの位置が決定する。
（ａ４）サブフレーム中の第１スロット内のインデクスｌがｌＥＰＤＣＣＨＳｔａｒｔ以上であることを満たす。すなわち、１つのサブフレーム中でｌＥＰＤＣＣＨＳｔａｒｔ以降のＯＦＤＭシンボル上のＲＥにマッピングされる。ここで、ｌは、スロット内のＯＦＤＭシンボルに振られるインデクスであり、スロット内の先頭のＯＦＤＭシンボルから順に、時間方向において０から昇順に振られる。ｌＥＰＤＣＣＨＳｔａｒｔに関しては後述する。
【０３７８】
１つのサブフレームにおける１つのＥＰＤＣＣＨ上で送信されるビットのブロックであるｂ（０）、・・・、ｂ（Ｍｂｉｔ−１）は、ｈ（ｉ）＝（ｂ（ｉ）＋ｃ（ｉ））ｍｏｄ  ２に基づいてスクランブルされ、その結果ｈ（０）、・・・、ｈ（Ｍｂｉｔ−１）というスクランブルされたビットのブロックになる。ここで、Ｍｂｉｔは１つのＥＰＤＣＣＨで送信されるビットの数であり、ｃ（ｉ）はパラメータｃｉｎｉｔで初期化される端末装置固有のスクランブリング系列である。このスクランブリング系列生成器は、ｃｉｎｉｔ＝ｆｌｏｏｒ（ｎｓ／２）２９＋ｎＥＰＤＣＣＨＩＤ，ｍである。ｍはＥＰＤＣＣＨセットの番号である。ｎｓは無線フレーム中のスロット番号である。ｎＥＰＤＣＣＨＩＤ，ｍは上位層シグナリングによりＥＰＤＣＣＨセット毎に設定可能なＤＭＲＳスクランブリング初期化パラメータであり、０から５０３のいずれかの値を取ることできる。
【０３７９】
スクランブルされたビットのブロックであるｈ（０）、・・・、ｈ（Ｍｂｉｔ−１）は変調され、その結果ｄ（０）、・・・、ｄ（Ｍｓｙｍｂ−１）という複素値変調シンボルのブロックになる。ここで、Ｍｓｙｍｂは１つのＥＰＤＣＣＨで送信される変調シンボルの数である。ＥＰＤＣＣＨの変調方法はＱＰＳＫ（Ｑｕａｄｒａｔｕｒｅ  Ｐｈａｓｅ  Ｓｈｉｆｔ  Ｋｅｙｉｎｇ）である。複素値変調シンボルのブロックはｙ（ｉ）＝ｄ（ｉ）の関係式に基づき、単一レイヤにマッピングされてプレコーディングされる。ここで、ｉ＝０、・・・。Ｍｓｙｍｂ−１であり、ｙはプレコーディングされた変調シンボルである。
【０３８０】
複素値シンボルのブロックであるｙ（０）、・・・、ｙ（Ｍｓｙｍｂ−１）は下記の（ｍ１）から（ｍ４）の基準のすべてを満たすような関連するアンテナポート上のＲＥ（ｋとｌで決まる位置のＲＥ）に、ｙ（０）からスタートして順にマッピングされる。
（ｍ１）ＥＰＤＣＣＨ送信のために割り当てられたＥＲＥＧの一部である。
（ｍ２）その端末装置によってＣＲＳとして用いられないと想定される。ここで、ＣＲＳのアンテナポート数と周波数シフトのパラメータに対して他の値が提供されない限り、そのサービングセルにおけるこれらのパラメータ（ＰＢＣＨと同じアンテナポート設定によるアンテナポート数および物理セル識別子に基づいて得られる周波数シフト）によってＣＲＳの位置が与えられる。逆に、端末装置に上位層パラメータであるｒｅ−ＭａｐｐｉｎｇＱＣＬ−ＣｏｎｆｉｇＩＤ−ｒ１１によってこれらのパラメータの組が設定された場合には、そのパラメータを用いてＣＲＳの位置が決定する。
（ｍ３）その端末装置によってＣＳＩＲＳとして用いられないと想定される。ここで、そのサービングセルにおけるゼロ電力ＣＳＩＲＳの設定（ゼロ電力ＣＳＩＲＳのための設定に対して他の値が提供されない場合）と非ゼロ電力ＣＳＩＲＳの設定とによってＣＳＩＲＳの位置が与えられる。逆に、端末装置に上位層パラメータであるｒｅ−ＭａｐｐｉｎｇＱＣＬ−ＣｏｎｆｉｇＩＤ−ｒ１１によってゼロ電力ＣＳＩＲＳが設定された場合には、そのパラメータを用いてＣＳＩＲＳの位置が決定する。
（ｍ４）サブフレーム中の第１スロット内のインデクスｌがｌＥＰＤＣＣＨＳｔａｒｔ以上であることを満たす。すなわち、１つのサブフレーム中でｌＥＰＤＣＣＨＳｔａｒｔ以降のＯＦＤＭシンボル上のＲＥにマッピングされる。ここで、ｌは、スロット内のＯＦＤＭシンボルに振られるインデクスであり、スロット内の先頭のＯＦＤＭシンボルから順に、時間方向において０から昇順に振られる。ｌＥＰＤＣＣＨＳｔａｒｔに関しては後述する。
【０３８１】
アンテナポートＰにおける上記の基準を満たすＲＥ（ｋとｌで決まる位置のＲＥ）へのマッピングは、インデクスｋが先でその後にインデクスｌで昇順（ｋとｌが増える方向）であり、これはサブフレームにおける第１スロットから開始して第２スロットで終了する。
【０３８２】
ここでアンテナポートＰは、論知的なアンテナのポートである。１つのアンテナポートが１つの物理アンテナに対応してもよいし、１つのアンテナポートの信号が、実際は複数の物理アンテナで送信されてもよい。あるいは、複数のアンテナポートの信号が、実際は同じ物理アンテナで送信されてもよい。アンテナポートが同じであれば、同じチャネル特性が得られる。ここでは、アンテナポート０から３までがＣＲＳの送信に関連する（用いられる）アンテナポートであり、アンテナポート４がＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）用参照信号の送信に関連する（用いられる）アンテナポートであり、アンテナポート５および７から１４までがＰＤＳＣＨに関連した端末装置固有参照信号の送信に関連する（用いられる）アンテナポートであり、アンテナポート１０７から１１０までがＥＰＤＣＣＨに関連した復調参照信号の送信に関連する（用いられる）アンテナポートであり、アンテナポート６がポジショニング参照信号の送信に関連する（用いられる）アンテナポートであり、アンテナポート１５から２２までがＣＳＩＲＳの送信に関連する（用いられる）アンテナポートである。
【０３８３】
局所的送信では、用いる単一のアンテナポートＰは、ｎ’＝ｎＥＣＣＥ、ｌｏｗ  ｍｏｄ  ＮＲＢＥＣＣＥ＋ｎＲＮＴＩ  ｍｏｄ  ｍｉｎ（ＮＥＰＤＣＣＨＥＣＣＥ，ＮＲＢＥＣＣＥ）で算出されるｎ’と下記の（ｎ１）から（ｎ４）とで与えられる。ここで、ｎＥＣＣＥ、ｌｏｗはそのＥＰＤＣＣＨセットにおけるこのＥＰＤＣＣＨ送信により用いられる最低のＥＣＣＥインデクスであり、ｎＲＮＴＩはＲＮＴＩ（Ｒａｄｉｏ  Ｎｅｔｗｏｒｋ  Ｔｅｍｐｏｒａｒｙ  Ｉｄｅｎｔｉｆｉｅｒ）の１つであるＣ−ＲＮＴＩ（Ｃｅｌｌ−ＲＮＴＩ）に等しい。また、ＮＥＰＤＣＣＨＥＣＣＥはこのＥＰＤＣＣＨのために用いられたＥＣＣＥの数である。また、ｍｉｎは最小値関数（ｍｉｎ関数）である。
（ｎ１）通常のＣＰ、かつ通常のサブフレームあるいはスペシャルサブフレーム設定３、４、あるいは８のスペシャルサブフレームの場合、ｎ’＝０はＰ＝１０７に対応する。通常のＣＰ、かつスペシャルサブフレーム設定１、２、６、７あるいは９のスペシャルサブフレームの場合、ｎ’＝０はＰ＝１０７に対応する。拡張のＣＰの場合、いずれのサブフレームタイプであっても、ｎ’＝０はＰ＝１０７に対応する。
（ｎ２）通常のＣＰ、かつ通常のサブフレームあるいはスペシャルサブフレーム設定３、４、あるいは８のスペシャルサブフレーム（ＤｗＰＴＳに１１個以上のＯＦＤＭシンボルが含まれるスペシャルサブフレーム）の場合、ｎ’＝１はＰ＝１０８に対応する。通常のＣＰ、かつスペシャルサブフレーム設定１、２、６、７あるいは９のスペシャルサブフレーム（ＤｗＰＴＳに４個以上１０個以下のＯＦＤＭシンボルが含まれるスペシャルサブフレーム）の場合、ｎ’＝１はＰ＝１０９に対応する。拡張のＣＰの場合、いずれのサブフレームタイプであっても、ｎ’＝１はＰ＝１０８に対応する。
（ｎ３）通常のＣＰ、かつ通常のサブフレームあるいはスペシャルサブフレーム設定３、４、あるいは８のスペシャルサブフレームの場合、ｎ’＝２はＰ＝１０９に対応する。 
（ｎ４）通常のＣＰ、かつ通常のサブフレームあるいはスペシャルサブフレーム設定３、４、あるいは８のスペシャルサブフレームの場合、ｎ’＝３はＰ＝１１０に対応する。 
【０３８４】
このように、サブフレームに含まれる下りリンク送信用のＯＦＤＭシンボルの数に応じて、用いられるアンテナポートが決定される。これにより、含まれるＯＦＤＭシンボルの数が少ない場合は、アンテナポートの総数を低減することができるため、下りリンクのＲＥを効率的に利用することができる。
【０３８５】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。ＵＬ参照ＵＬ／ＤＬ設定ではなくＤＬ参照ＵＬ／ＤＬ設定に基づくことにより、ＥＰＤＣＣＨが送信され得るスペシャルサブフレームに対するアンテナポートを規定することができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのアンテナポートが用いられるかが、明示的なレイヤ１の信号検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０３８６】
分散的送信では、１つのＥＲＥＧにおける各ＲＥはアンテナポート１０７からスタートし、交互にする規則に従って、２つのアンテナポートのうちの１つに関連付けられる。ここで、通常のＣＰでは、２つのアンテナポートはアンテナポート１０７とアンテナポート１０９であり、拡張のＣＰでは、２つのアンテナポートはアンテナポート１０７とアンテナポート１０８である。
【０３８７】
それぞれのサービングセルに対して、基地局装置はＵＥに対して、ＥＰＤＣＣＨのモニタリングのための１つまたは２つのＥＰＤＣＣＨ−ＰＲＢセット（ＥＰＤＣＣＨが配置され得るＰＲＢペアの集合、ＥＰＤＣＣＨセットとも称す）を、上位層のシグナリングで設定することができる。ここで、１つのＥＰＤＣＣＨ−ＰＲＢセットに対応する複数のＰＲＢペア（１つのＥＰＤＣＣＨ−ＰＲＢセットに対応するＰＲＢペアの個数およびそのＥＰＤＣＣＨ−ＰＲＢセットがいずれのＰＲＢペアに対応するか）も上位層のシグナリングで示される。それぞれのＥＰＤＣＣＨ−ＰＲＢセットは、０番からＮＥＣＣＥ、ｐ、ｋ−１番までの番号が振られたＥＣＣＥの組（ｓｅｔ）で構成される。ここで、ＮＥＣＣＥ、ｐ、ｋ−１はサブフレームｋにおけるＥＰＤＣＣＨ−ＰＲＢセットｐ（ｐ＋１番目のＥＰＤＣＣＨ−ＰＲＢセット、ｐは０または１）内のＥＣＣＥの数である。それぞれのＥＰＤＣＣＨ−ＰＲＢセットは、局所的ＥＰＤＣＣＨ送信か分散的ＥＰＤＣＣＨ送信のいずれかのために設定されることができる。すなわち、局所的ＥＰＤＣＣＨ送信が設定されたＥＰＤＣＣＨ−ＰＲＢセットでは、１つのＥＰＤＣＣＨが周波数方向に比較的局所的に配置され、分散的ＥＰＤＣＣＨ送信が設定されたＥＰＤＣＣＨ−ＰＲＢセットでは、１つのＥＰＤＣＣＨが周波数方向に比較的分散的に配置される。
【０３８８】
端末装置は、制御情報のために上位層シグナリングによって設定されるように、１つ以上の有効なサービングセルにおいてＥＰＤＣＣＨ候補の組をモニタする。ここで、モニタリング（モニタすること）とは、モニタされるＤＣＩフォーマットに応じて、ＥＰＤＣＣＨ候補の組におけるＥＤＰＣＣＨのそれぞれのデコードを試行することを暗に意味している。ＥＰＤＣＣＨのＵＳＳ（ＵＥ−ｓｐｅｃｉｆｉｃ  Ｓｅａｒｃｈ  Ｓｐａｃｅ）において、モニタすべきＥＰＤＣＣＨ候補の組が規定される。ここでＵＳＳは、端末装置固有に設定される論理的な領域であり、下りリンク制御情報の伝送に用いられうる領域である。
【０３８９】
それぞれのサービングセルに対して、ＵＥがＥＰＤＣＣＨ  ＵＳＳをモニタするサブフレームは、上位層によって設定される。より具体的には、アクティブタイム（間欠受信による非活性タイマー起動期間ではない期間、非受信期間ではない期間、端末装置が起きている総期間）中であって、ＦＤＤハーフデュープレックス端末装置のための上りリンク送信を要求されるサブフレームではなく、かつメジャメントギャップの一部ではないサブフレームにおいて、上位層はＥＰＤＣＣＨのモニタリングを設定する。ここで、間欠受信とは、端末装置のバッテリー消費適正化のために、一部の期間を除いて、端末装置が起きている（活性状態である）必要がない（非活性であってもよい）という動作である。ＦＤＤ（Ｆｒｅｑｕｅｎｃｙ  Ｄｉｖｉｓｉｏｎ  Ｄｕｐｌｅｘ）ハーフデュープレックス端末装置とは、ＦＤＤバンドにおいて、上りリンク送信と下りリンク受信を同時に（同じサブフレームで）行う機能を有しない端末装置である。また、メジャメントギャップとは、モビリティ（ハンドオーバ）のためのメジャメント（サービングセル以外のセルの受信電力測定）を行うために、サービングセルにおける送受信を停止する期間であり、メジャメントギャップのパターンはＲＲＣにより設定される。
【０３９０】
端末装置は、下記（ｅ１）から（ｅ４）の場合にはＥＰＤＣＣＨをモニタしない。
（ｅ１）ＴＤＤかつ通常の下りリンクＣＰにおいて、スペシャルサブフレーム設定０および５のスペシャルサブフレーム（ＤｗＰＴＳ内のＯＦＤＭシンボル数が６個より少ないスペシャルサブフレーム）である場合。
（ｅ２）ＴＤＤかつ拡張の下りリンクＣＰにおいて、スペシャルサブフレーム設定０、４、および７のスペシャルサブフレーム（ＤｗＰＴＳ内のＯＦＤＭシンボル数が６個より少ないスペシャルサブフレーム）である場合。
（ｅ３）上位層によりＰＭＣＨ（Ｐｈｙｓｉｃａｌ  Ｍｕｌｔｉｃａｓｔ  Ｃｈａｎｎｅｌ）のデコードを指示されたサブフレームである場合。
（ｅ４）ＴＤＤかつプライマリセルとセカンダリセルとで異なるＵＬ／ＤＬ設定が設定され、セカンダリセルにおける下りリンクサブフレームであって、プライマリセルにおける同じサヴフレームがスペシャルサブフレームであり、端末装置がプライマリセルとセカンダリセルとで同時送受信する能力が無い場合。
【０３９１】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。ＵＬ参照ＵＬ／ＤＬ設定ではなくＤＬ参照ＵＬ／ＤＬ設定に基づくことにより、ＥＰＤＣＣＨが送信され得るスペシャルサブフレームに対して、ＥＰＤＣＣＨモニタが行われるサブフレームを規定することができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのサブフレームでＥＰＤＣＣＨがモニタされるかが、明示的なレイヤ１の信号検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０３９２】
ここで、スペシャルサブフレームとは、１つのサブフレーム中に下りリンク送信を行う領域（ＤｗＰＴＳ）とガードピリオド（ＧＰ）と上りリンク送信を行う領域（ＵｐＰＴＳ）の順で３つの領域を含むサブフレームであり、スペシャルサブフレーム設定とＣＰ長によりＤｗＰＴＳとＧＰとＵｐＰＴＳの長さが一意に決まる。ＰＭＣＨは、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）サービスを提供するためのチャネルであり、ＭＢＳＦＮサブフレームにおいてのみ配置されうる。
【０３９３】
なお、スペシャルサブフレーム設定は下記の１０個の設定のうちのいずれかが設定される。
スペシャルサブフレーム設定０では、通常の下りリンクＣＰにおいてＤｗＰＴＳは６５９２サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは７６８０サンプルであり、ＵｐＰＴＳは通常の上りリンクＣＰでは２１９２サンプル、拡張の上りリンクＣＰでは２５６０サンプルである。ＤｗＰＴＳは３個のＯＦＤＭシンボルで構成され、ＵｐＰＴＳは１個のＳＣ−ＦＤＭＡシンボルで構成される。
スペシャルサブフレーム設定１では、通常の下りリンクＣＰにおいてＤｗＰＴＳは１９７６０サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２０４８０サンプルであり、ＵｐＰＴＳは通常の上りリンクＣＰでは２１９２サンプル、拡張の上りリンクＣＰでは２５６０サンプルである。ＤｗＰＴＳには通常の下りリンクＣＰの場合は９個、拡張の下りリンクＣＰの場合は８個のＯＦＤＭシンボルで構成され、ＵｐＰＴＳは１個のＳＣ−ＦＤＭＡシンボルで構成される。
スペシャルサブフレーム設定２では、通常の下りリンクＣＰにおいてＤｗＰＴＳは２１９５２サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２３０４０サンプルであり、ＵｐＰＴＳは通常の上りリンクＣＰでは２１９２サンプル、拡張の上りリンクＣＰでは２５６０サンプルである。ＤｗＰＴＳは通常の下りリンクＣＰの場合は１０個、拡張の下りリンクＣＰの場合は９個のＯＦＤＭシンボルで構成され、ＵｐＰＴＳは１個のＳＣ−ＦＤＭＡシンボルで構成される。
スペシャルサブフレーム設定３では、通常の下りリンクＣＰにおいてＤｗＰＴＳは２４１４４サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２５６００サンプルであり、ＵｐＰＴＳは通常の上りリンクＣＰでは２１９２サンプル、拡張の上りリンクＣＰでは２５６０サンプルである。ＤｗＰＴＳは通常の下りリンクＣＰの場合は１１個、拡張の下りリンクＣＰの場合は１０個のＯＦＤＭシンボルで構成され、ＵｐＰＴＳは１個のＳＣ−ＦＤＭＡシンボルで構成される。
スペシャルサブフレーム設定４では、通常の下りリンクＣＰにおいてＤｗＰＴＳは２６３３６サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは７６８０サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１２個、拡張の下りリンクＣＰの場合は３個のＯＦＤＭシンボルで構成され、ＵｐＰＴＳは通常の下りリンクＣＰの場合は１個のＳＣ−ＦＤＭＡシンボルで構成され、拡張の下りリンクＣＰの場合は２個のＳＣ−ＦＤＭＡシンボルで構成される。
スペシャルサブフレーム設定５では、通常の下りリンクＣＰにおいてＤｗＰＴＳは６５９２サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは２０４８０サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は３個、拡張の下りリンクＣＰの場合は８個のＯＦＤＭシンボルで構成され、ＵｐＰＴＳは２個のＳＣ−ＦＤＭＡシンボルで構成される。
スペシャルサブフレーム設定６では、通常の下りリンクＣＰにおいてＤｗＰＴＳは１９７６０サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは２３０４０サンプルであり、ＵｐＰＴＳは通常の上りリンクＣＰでは４３８４サンプル、拡張の上りリンクＣＰでは５１２０サンプルである。ＤｗＰＴＳは９個のＯＦＤＭシンボルで構成され、ＵｐＰＴＳは２個のＳＣ−ＦＤＭＡシンボルで構成される。
スペシャルサブフレーム設定７では、通常の下りリンクＣＰにおいてＤｗＰＴＳは２１９５２サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは１２８００サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１０個、拡張の下りリンクＣＰの場合は５個のＯＦＤＭシンボルで構成され、ＵｐＰＴＳは２個のＳＣ−ＦＤＭＡシンボルで構成される。
スペシャルサブフレーム設定８では、通常の下りリンクＣＰにおいてＤｗＰＴＳは２４１４４サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１１個のＯＦＤＭシンボルで構成され、ＵｐＰＴＳは２個のＳＣ−ＦＤＭＡシンボルで構成される。
スペシャルサブフレーム設定９では、通常の下りリンクＣＰにおいてＤｗＰＴＳは１３１６８サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は６個のＯＦＤＭシンボルで構成され、ＵｐＰＴＳは２個のＳＣ−ＦＤＭＡシンボルで構成される。
ここで、ＵｐＰＴＳが１個のＳＣ−ＦＤＭＡシンボルで構成される場合は、端末装置は基地局装置からの要求に応じて、その１つのＳＣ−ＦＤＭＡシンボルを用いて上りリンクのサウンディングのための参照信号であるＳＲＳ（Ｓｏｕｎｄｉｎｇ  Ｒｅｆｅｒｅｎｃｅ  Ｓｉｇｎａｌ）を送信することができる。ＵｐＰＴＳが２個のＳＣ−ＦＤＭＡシンボルで構成される場合は、端末装置は基地局装置からの要求に応じて、その２つのＳＣ−ＦＤＭＡシンボルの少なくともいずれかを用いてＳＲＳを送信することができる。
ここで、通常のＣＰにおいて、通常の下りリンクサブフレームは１４個のＯＦＤＭシンボルで構成され、通常の上りリンクサブフレームは１４個のＳＣ−ＦＤＭＡシンボルで構成される。また、拡張のＣＰにおいて、通常の下りリンクサブフレームは１２個のＯＦＤＭシンボルで構成され、通常の上りリンクサブフレームは１２個のＳＣ−ＦＤＭＡシンボルで構成される。
【０３９４】
また、ＵＬ／ＤＬ設定は下記の７個の設定のうちのいずれかが設定される。
ＵＬ／ＤＬ設定０では、１つの無線フレーム（１０サブフレーム）中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、スペシャルサブフレーム、上りリンクサブフレーム、上りリンクサブフレーム、および上りリンクサブフレームである。下りリンクから上りリンクへの変換点の周期は５サブフレーム（５ミリ秒）である。
ＵＬ／ＤＬ設定１では、１つの無線フレーム中のサブフレーム０からサブフレーム９が、順にそれぞれ下りリンクサブフレーム、スペシャルサブフレーム、上りリンクサブフレーム、上りリンクサブフレーム、下りリンクサブフレーム、下りリンクサブフレーム、スペシャルサブフレーム、上りリンクサブフレーム、上りリンクサブフレーム、および下りリンクサブフレームである。下りリンクから上りリンクへの変換点の周期は５サブフレームである。
ＵＬ／ＤＬ設定２では、１つの無線フレーム中のサブフレーム０からサブフレーム９が、順にそれぞれ下りリンクサブフレーム、スペシャルサブフレーム、上りリンクサブフレーム、下りリンクサブフレーム、下りリンクサブフレーム、下りリンクサブフレーム、スペシャルサブフレーム、上りリンクサブフレーム、下りリンクサブフレーム、および下りリンクサブフレームである。下りリンクから上りリンクへの変換点の周期は５サブフレームである。
ＵＬ／ＤＬ設定３では、１つの無線フレーム中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレーム（１０ミリ秒）である。
ＵＬ／ＤＬ設定４では、１つの無線フレーム中のサブフレーム０からサブフレーム９が、順にそれぞれ下りリンクサブフレーム、スペシャルサブフレーム、上りリンクサブフレーム、上りリンクサブフレーム、下りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレームである。
ＵＬ／ＤＬ設定５では、１つの無線フレーム中のサブフレーム０からサブフレーム９が、順にそれぞれ下りリンクサブフレーム、スペシャルサブフレーム、上りリンクサブフレーム、下りリンクサブフレーム、下りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレームである。
ＵＬ／ＤＬ設定６では、１つの無線フレーム中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、スペシャルサブフレーム、上りリンクサブフレーム、上りリンクサブフレーム、および下りリンクサブフレームである。下りリンクから上りリンクへの変換点の周期は５サブフレームである。
ここで、少なくとも１つのサービングセルに対するＵＬ／ＤＬ設定がＵＬ／ＤＬ設定５である場合、２個より多いサービングセルは設定されない。
【０３９５】
アグリゲーションレベルＬにおけるＥＰＤＣＣＨのＵＳＳであるＥＳ（Ｌ）ｋはＥＰＤＣＣＨ候補の組により規定される。ここでＬは１、２、４、８、１６および３２のいずれかである。１つのＥＰＤＣＣＨ−ＰＲＢセットｐに対して、サーチスペースＥＳ（Ｌ）ｋのＥＰＤＣＣＨ候補ｍに対応するＥＣＣＥは、Ｌ（（Ｙｐ，ｋ＋ｆｌｏｏｒ（ｍＮＥＣＣＥ，ｐ，ｋ／（ＬＭ（Ｌ）ｐ））＋ｂ）ｍｏｄ（ｆｌｏｏｒ（ＮＥＣＣＥ，ｐ，ｋ／Ｌ）））＋ｉで与えられる。ここで、ｉ＝０、・・・、Ｌ−１である。また、ＥＰＤＣＣＨがモニタされるサービングセルに対してＣＩＦ（Ｃａｒｒｉｅｒ  Ｉｎｄｉｃａｔｏｒ  Ｆｉｅｌｄ）が設定されている場合、ｂはＣＩＦの値であり、それ以外の場合はｂ＝０である。また、ｍ＝０、１、・・・、Ｍ（Ｌ）ｐ−１である。ＥＰＤＣＣＨがモニタされるサービングセルに対してＣＩＦが設定されていない場合、Ｍ（Ｌ）ｐはＥＰＤＣＣＨがモニタされるそのサービングセルにおけるＥＰＤＣＣＨ−ＰＲＢセットｐ内のアグリゲーションレベルＬにおいてモニタすべきＥＰＤＣＣＨの数である。それ以外の場合、Ｍ（Ｌ）ｐはＣＩＦの値により示されるサービングセルにおけるＥＰＤＣＣＨ−ＰＲＢセットｐ内のアグリゲーションレベルＬにおきたモニタすべきＥＰＤＣＣＨの数である。ここで、ＣＩＦとは、ＤＣＩフォーマット内のフィールドであり、ＣＩＦの値はＤＣＩフォーマットがいずれのサービングセルのＰＤＳＣＨ送信、ＰＵＳＣＨ送信あるいはランダムアクセス手続きに対応するかを決定するために用いられ、プライマリセルあるいはセカンダリセルのいずれかに対応するサービングセルインデクスと同じ値を取る。 
【０３９６】
同一のサブフレーム内において、あるＥＰＤＣＣＨ候補に対応するＥＣＣＥが、ＰＢＣＨ、プライマリ同期信号あるいはセカンダリ同期信号のいずれかの送信と周波数上でオーバーラップするＰＲＢペアにマッピングされる場合、端末装置はそのＥＰＤＣＣＨ候補をモニタしない。
【０３９７】
端末装置が２個のＥＰＤＣＣＨ−ＰＲＢセットに同じ値のｎＥＰＤＣＣＨＩＤ，ｉが設定されており、その端末装置が一方のＥＰＤＣＣＨ−ＰＲＢセットに対応するあるＤＣＩペイロードサイズのＥＰＤＣＣＨ候補であって、あるＲＥの組にマッピングされるＥＰＤＣＣＨ候補を受信し、かつ、その端末装置が他方のＥＰＤＣＣＨ−ＰＲＢセットに対応する同じＤＣＩペイロードサイズのＥＰＤＣＣＨ候補であって、同じＲＥの組にマッピングされるＥＰＤＣＣＨ候補をモニタすることも設定されている場合であり、さらに受信されたＥＰＤＣＣＨの最初のＥＣＣＥの番号がＨＡＲＱ−ＡＣＫ送信のためのＰＵＣＣＨリソースの決定に用いられる場合は、その最初のＥＣＣＥの番号はｐ＝０のＥＰＤＣＣＨ−ＰＲＢセットに基づいて決められる。ここで、ｎＥＰＤＣＣＨＩＤ，ｉは、ＥＰＤＣＣＨに関連するＤＭＲＳ（Ｄｅｍｏｄｕｒａｔｉｏｎ  Ｒｅｆｅｒｅｎｃｅ  Ｓｉｇｎａｌ）の疑似ランダム系列生成の初期化に用いられるパラメータであり、上位層により設定される。なお、ｉは０または１の値を取り、ＤＭＲＳに関連するＥＰＤＣＣＨがいずれのＥＰＤＣＣＨセットに属すかを示す。すなわち、ｐとほぼ同義である。
【０３９８】
Ｙｐ，ｋはＹｐ，ｋ＝（ＡｐＹｐ，ｋ−１）ｍｏｄＤで定義される。ここで、Ｙｐ，−１は物理層において端末装置に設定される識別子であるＲＮＴＩの値であり、Ａ０は３９８２７であり、Ａ１は３９８２９であり、Ｄは６５５３７であり、ｋ＝ｆｌｏｏｒ（ｎｓ／２）である。すなわち、各サブフレームは２個のスロットで構成されるため、ｋは無線フレーム中のサブフレーム番号を示す。
【０３９９】
図２２から図３１はＥＰＤＣＣＨ−ＰＲＢセットに含まれるＰＲＢ数とアグリゲーションレベルとモニタされるＥＰＤＣＣＨ候補の数との対応表を示す図である。サーチスペースとモニタされるＥＰＤＣＣＨ候補の数を規定するアグリゲーションレベルは次のように与えられる。ここで、ＮＸｐＲＢは、ＥＰＤＣＣＨ−ＰＲＢセットｐを構成するＰＲＢペアの数である。
端末装置に、分散的送信のための１個のみのＥＰＤＣＣＨ−ＰＲＢが設定される場合、サーチスペースとモニタされるＥＰＤＣＣＨ候補の数を規定するアグリゲーションレベルは図２２および図２３にリストアップされている。
端末装置に、局所的送信のための１個のみのＥＰＤＣＣＨ−ＰＲＢが設定される場合、サーチスペースとモニタされるＥＰＤＣＣＨ候補の数を規定するアグリゲーションレベルは図２４および図２５にリストアップされている。
端末装置に、分散的送信のための２個のＥＰＤＣＣＨ−ＰＲＢが設定される場合、サーチスペースとモニタされるＥＰＤＣＣＨ候補の数を規定するアグリゲーションレベルは図２６および図２７にリストアップされている。
端末装置に、局所的送信のための２個のＥＰＤＣＣＨ−ＰＲＢが設定される場合、サーチスペースとモニタされるＥＰＤＣＣＨ候補の数を規定するアグリゲーションレベルは図２８および図２９にリストアップされている。
端末装置に、分散的送信のための１個のＥＰＤＣＣＨ−ＰＲＢと局所的送信のための１個のＥＰＤＣＣＨ−ＰＲＢとが設定される場合、サーチスペースとモニタされるＥＰＤＣＣＨ候補の数を規定するアグリゲーションレベルは図３０および図Ｘ３１にリストアップされている。なお、図３０および図３１においては、ｐ１は局所的ＥＰＤＣＣＨ−ＰＲＢセットを識別する符号であり、ｐ１は局所的ＥＰＤＣＣＨ−ＰＲＢセットを識別する符号であり、ｐ２は分散的ＥＰＤＣＣＨ−ＰＲＢセットを識別する符号である。すなわち、ＮＸｐ１ＲＢは局所的ＥＰＤＣＣＨ−ＰＲＢセットを構成するＰＲＢペアの数であり、ＮＸｐ２ＲＢは分散的ＥＰＤＣＣＨ−ＰＲＢセットを構成するＰＲＢペアの数である。また、Ｍ（Ｌ）ｐ１は局所的ＥＰＤＣＣＨ−ＰＲＢセット内のアグリゲーションレベルＬにおいてモニタすべきＥＰＤＣＣＨの数であり、Ｍ（Ｌ）ｐ２は分散的ＥＰＤＣＣＨ−ＰＲＢセット内のアグリゲーションレベルＬにおいてモニタすべきＥＰＤＣＣＨの数である。
【０４００】
図２２から図３１で示したＥＰＤＣＣＨ−ＰＲＢセットに含まれるＰＲＢ数とアグリゲーションレベルとモニタされるＥＰＤＣＣＨ候補の数との対応に対して、下記（ｃ１）から（ｃ４）の場合はケース１が、下記（ｃ５）から（ｃ７）の場合はケース２が、（ｃ８）の場合はケース３がそれぞれ適用される。
（ｃ１）通常のサブフレームかつ通常の下りリンクＣＰで、ＤＣＩフォーマット２、２Ａ、２Ｂ、２Ｃ、２Ｄのいずれかがモニタされ、かつＭＤＬＲＢが２５以上の場合。すなわち、１つのＰＲＢペア内でＥＰＤＣＣＨ送信に用いることができるＲＥ数が比較的多く、かつＤＣＩフォーマットのペイロードサイズが非常に大きい場合。
（ｃ２）スペシャルサブフレーム設定３、４あるいは８のスペシャルサブフレームかつ通常の下りリンクＣＰ（つまりＤｗＰＴＳが１１個以上のＯＦＤＭシンボルで構成されるスペシャルサブフレーム）で、ＤＣＩフォーマット２、２Ａ、２Ｂ、２Ｃ、２Ｄのいずれかがモニタされ、かつＭＤＬＲＢが２５以上の場合。すなわち、１つのＰＲＢペア内でＥＰＤＣＣＨ送信に用いることができるＲＥ数が比較的多く、かつＤＣＩフォーマットのペイロードサイズが非常に大きい場合。
（ｃ３）通常のサブフレームかつ通常の下りリンクＣＰで、ＤＣＩフォーマット１Ａ、１Ｂ、１Ｄ、１、２、２Ａ、２Ｂ、２Ｃ、２Ｄ、０あるいは４のいずれかがモニタされ、かつｎＥＰＤＣＣＨが１０４より小さい場合。すなわち、１つのＰＲＢペア内でＥＰＤＣＣＨ送信に用いることができるＲＥ数が非常に少ない場合。
（ｃ４）スペシャルサブフレーム設定３、４あるいは８のスペシャルサブフレームかつ通常の下りリンクＣＰ（つまりＤｗＰＴＳが１１個以上のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニタされ、かつｎＥＰＤＣＣＨが１０４より小さい場合。すなわち、１つのＰＲＢペア内でＥＰＤＣＣＨ送信に用いることができるＲＥ数が非常に少ない場合。
（ｃ５）通常のサブフレームかつ拡張の下りリンクＣＰで、ＤＣＩフォーマット１Ａ、１Ｂ、１Ｄ、１、２、２Ａ、２Ｂ、２Ｃ、２Ｄ、０あるいは４のいずれかがモニタされる場合。すなわち、１つのＰＲＢペア内でＥＰＤＣＣＨ送信に用いることができるＲＥ数が比較的少ない場合。
（ｃ６）スペシャルサブフレーム設定１、２、６、７あるいは９のスペシャルサブフレームかつ通常の下りリンクＣＰ（つまりＤｗＰＴＳが６個以上かつ１０個以下のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニタされる場合。すなわち、１つのＰＲＢペア内でＥＰＤＣＣＨ送信に用いることができるＲＥ数が比較的少ない場合。
（ｃ７）スペシャルサブフレーム設定１、２、３、５あるいは６のスペシャルサブフレームかつ拡張の下りリンクＣＰ（つまりＤｗＰＴＳが６個以上かつ１０個以下のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニタされる場合。すなわち、１つのＰＲＢペア内でＥＰＤＣＣＨ送信に用いることができるＲＥ数が比較的少ない場合。
（ｃ８）上記（ｃ１）から（ｃ７）のいずれでもない場合。すなわち、１つのＰＲＢペア内でＥＰＤＣＣＨ送信に用いることができるＲＥ数が比較的多く、かつＤＣＩフォーマットのペイロードサイズがそれほど大きくない場合。
【０４０１】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。すなわち、（ｃ２）および（ｃ４）におけるスペシャルサブフレーム設定３、４あるいは８のスペシャルサブフレームとは，スペシャルサブフレーム設定３、４あるいは８の下りリンク参照ＵＬ／ＤＬ設定に基づくスペシャルサブフレームを意味し、ＤｗＰＴＳに１１個以上のＯＦＤＭシンボルが含まれるスペシャルサブフレームである。また、（ｃ６）におけるスペシャルサブフレーム設定１、２、６、７あるいは９のスペシャルサブフレームとは，スペシャルサブフレーム設定１、２、６、７あるいは９の下りリンク参照ＵＬ／ＤＬ設定に基づくスペシャルサブフレームを意味する。また、（ｃ７）におけるスペシャルサブフレーム設定１、２、３、５あるいは６のスペシャルサブフレームとは，スペシャルサブフレーム設定１、２、３、５あるいは６の下りリンク参照ＵＬ／ＤＬ設定に基づくスペシャルサブフレームを意味する。ＵＬ参照ＵＬ／ＤＬ設定ではなくＤＬ参照ＵＬ／ＤＬ設定に基づくことにより、ＥＰＤＣＣＨが送信され得るスペシャルサブフレームに対する上記ケースを規定することができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのケースが適用されるかが、明示的なレイヤ１の信号検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０４０２】
ここで、端末装置が、ＥＰＤＣＣＨがモニタされるサービングセルに対してＣＩＦが設定されていない場合、ＭＤＬＲＢはＥＰＤＣＣＨがモニタされるサービングセルのＮＤＬＲＢである。端末装置が、ＥＰＤＣＣＨがモニタされるサービングセルに対してＣＩＦが設定されている場合、ＭＤＬＲＢはＣＩＦの値により指定されるサービングセルのＮＤＬＲＢである。ここで、ＮＤＬＲＢは下りリンクバンド幅設定であり、周波数方向のリソースブロックサイズの倍数単位で表現される。言い換えると、ＮＤＬＲＢはサービングセルにおける下りリンクコンポーネントキャリア内の周波数方向における総リソースブロック数である。また、ＤＣＩフォーマット１Ａ、１Ｂ、２Ｄ、１は、１つのＰＤＳＣＨを用いて１個のトランスポートブロックを送信可能な送信モードで用いられるＤＣＩフォーマットであり、それぞれ送信ダイバーシチ、単一ポートを用いた閉ループ空間多重、マルチユーザＭＩＭＯ（Ｍｕｌｔｉｐｌｅ  Ｉｎｐｕｔ  Ｍｕｌｔｉｐｌｅ  Ｏｕｔｐｕｔ）、単一アンテナポート送信というＰＤＳＣＨ送信方法に用いられる。また、ＤＣＩフォーマット２、２Ａ、２Ｂ、２Ｃ、２Ｄは、１つのＰＤＳＣＨを用いて２個までのトランスポートブロックを送信可能な送信モードで用いられるＤＣＩフォーマットであり、それぞれ閉ループ空間多重、大遅延ＣＤＤ（Ｃｙｃｌｉｃ  Ｄｅｌａｙ  Ｄｉｖｅｒｓｉｔｙ）、２レイヤ送信、８レイヤ以下送信、および８レイヤ以下送信というＰＤＳＣＨ送信方法に用いられる。また、ＤＣＩフォーマット２、２Ａはさらに送信ダイバーシチのＰＤＳＣＨ送信方法に、ＤＣＩフォーマット２Ｂ、２Ｃ、２Ｄはさらに単一アンテナポートのＰＤＳＣＨ送信方法にも用いられる。また、ＤＣＩフォーマット０および４は、それぞれ１つのＰＵＳＣＨを用いて１個および２個までのトランスポートブロックを送信可能な送信モードで用いられるＤＣＩフォーマットであり、それぞれ単一アンテナポート送信および閉ループ空間多重というＰＤＳＣＨ送信方法に用いられる。
【０４０３】
また、送信モードとは、上位層シグナリングを介して、ＰＤＣＣＨあるいはＥＰＤＣＣＨを介してシグナリングされたＰＤＳＣＨデータ送信を受信するために、端末装置に準静的に設定されるモードである。送信モードは、下記の送信モード１から送信モード１０のうちのいずれかが設定される。
送信モード１は、単一アンテナポート送信（アンテナポート０による送信）のＰＤＳＣＨ送信方法が用いられ、ＤＣＩフォーマット１あるいは１Ａが用いられる。
送信モード２は、送信ダイバーシチのＰＤＳＣＨ送信方法が用いられ、ＤＣＩフォーマット１あるいは１Ａが用いられる。
送信モード３は、大遅延ＣＤＤあるいは送信ダイバーシチのＰＤＳＣＨ送信方法が用いられ、ＤＣＩフォーマット１あるいは２Ａが用いられる。
送信モード４は、閉ループ空間多重あるいは送信ダイバーシチのＰＤＳＣＨ送信方法が用いられ、ＤＣＩフォーマット１あるいは２が用いられる。
送信モード５は、マルチユーザＭＩＭOあるいは送信ダイバーシチのＰＤＳＣＨ送信方法が用いられ、ＤＣＩフォーマット１あるいは１Ｄが用いられる。
送信モード６は、単一ポートを用いた閉ループ空間多重あるいは送信ダイバーシチのＰＤＳＣＨ送信方法が用いられ、ＤＣＩフォーマット１あるいは１Ｂが用いられる。
送信モード７は、単一アンテナポート送信（アンテナポート５による送信）あるいは送信ダイバーシチか単一アンテナポート送信（アンテナポート０による送信）いずれかのＰＤＳＣＨ送信方法が用いられ、ＤＣＩフォーマット１あるいは１が用いられる。
送信モード８は、２レイヤ送信（アンテナポート７およびアンテナポート８による送信）あるいは送信ダイバーシチか単一アンテナポート送信（アンテナポート０による送信）いずれかのＰＤＳＣＨ送信方法が用いられ、ＤＣＩフォーマット１あるいは２Ｂが用いられる。
送信モード９は、８レイヤ以下送信（アンテナポート７からアンテナポート１４による送信）あるいは送信ダイバーシチか単一アンテナポート送信（アンテナポート０による送信）いずれか（ただし、ＭＢＳＦＮサブフレームの場合はアンテナポート７による単一アンテナポート送信）のＰＤＳＣＨ送信方法が用いられ、ＤＣＩフォーマット１あるいは２Ｃが用いられる。
送信モード１０は、８レイヤ以下送信（アンテナポート７からアンテナポート１４による送信）あるいは送信ダイバーシチか単一アンテナポート送信（アンテナポート０による送信）いずれか（ただし、ＭＢＳＦＮサブフレームの場合はアンテナポート７による単一アンテナポート送信）のＰＤＳＣＨ送信方法が用いられ、ＤＣＩフォーマット１あるいは２Ｃが用いられる。
なお、これ以外の送信モード（例えば、送信モード９や１０と同様の規定による送信モード１１など）を用いてもよい。
【０４０４】
端末装置に、ＣＩＦが設定されていない場合、その端末装置はＥＰＤＣＣＨをモニタするように設定されている各活性化されたサービングセルにおいて、図２２から図３１の対応表によって与えられた各アグリゲーションレベルにおける１つのＥＰＤＣＣＨのＵＳＳをモニタする。端末装置に、ＥＰＤＣＣＨのモニタリングが設定されており、かつその端末装置にＣＩＦが設定されている場合、その端末装置は、上位層シグナリングによって設定されたように、１つ以上の活性化されたサービングセルにおいて、図２２から図３１の対応表によって与えられた各アグリゲーションレベルにおける１つ以上のＥＰＤＣＣＨのＵＳＳをモニタする。サービングセルｃにおけるＥＰＤＣＣＨのモニタリングに関連するＣＩＦが設定されている端末装置は、サービングセルｃのＥＰＤＣＣＨのＵＳＳにおいて、ＣＩＦが設定され、かつＣ−ＲＮＴＩによってスクランブルされたＣＲＣが付加されたＥＰＤＣＣＨをモニタする。プライマリセルにおけるＥＰＤＣＣＨのモニタリングに関連するＣＩＦが設定されている端末装置は、プライマリセルのＥＰＤＣＣＨのＵＳＳにおいて、ＣＩＦが設定され、かつＳＰＳ−ＲＮＴＩ（Ｓｅｍｉ  Ｐｅｒｓｉｓｔｅｎｔ  Ｓｃｈｅｄｕｌｉｎｇ−ＲＮＴＩ）によってスクランブルされたＣＲＣが付加されたＥＰＤＣＣＨをモニタする。ここで、Ｃ−ＲＮＴＩは動的なＰＤＳＣＨ送信あるいはＰＵＳＣＨ送信に関連するＥＰＤＣＣＨ送信に用いられるＲＮＴＩであり、ＳＰＳ−ＲＮＴＩは準定常的なＰＤＳＣＨ送信あるいはＰＵＳＣＨ送信に関連するＥＰＤＣＣＨ送信に用いられるＲＮＴＩである。
【０４０５】
ＥＰＤＣＣＨがモニタされるサービングセルにおいて、端末装置にＣＩＦが設定されていない場合、その端末装置はＣＩＦを含まないＥＰＤＣＣＨのためにＥＰＤＣＣＨのＵＳＳをモニタし、端末装置にＣＩＦが設定されている場合、その端末装置はＣＩＦを含むＥＰＤＣＣＨのためにＥＰＤＣＣＨのＵＳＳをモニタする。すなわち、ＣＩＦが設定されているかどうかに応じて、ＥＰＤＣＣＨがＣＩＦを含むものとしてＥＰＤＣＣＨをデコードするか、ＥＰＤＣＣＨがＣＩＦを含まないものとしてＥＰＤＣＣＨをデコードするかが決まる。端末装置に、セカンダリセルに対応するＣＩＦを含むＥＰＤＣＣＨを他のサービングセルにおいてモニタすることが設定されている場合、その端末相違はそのセカンダリセルにおけるＥＰＤＣＣＨをモニタしない。ＥＰＤＣＣＨがモニタされるサービングセルおいて、その端末装置は少なくとも同じサービングセルに対するＥＰＤＣＣＨ候補をモニタする。
【０４０６】
あるサービングセル上の、ＣＩＦを含むあるＤＣＩフォーマットサイズの、Ｃ−ＲＮＴＩによりスクランブルされたＣＲＣが付加されたＥＰＤＣＣＨ候補をモニタすることが設定された端末装置は、そのＤＣＩフォーマットサイズで、ＣＩＦの取り得るあらゆる値に対応するあらゆるＥＰＤＣＣＨのＵＳＳにおいて、そのＤＣＩフォーマットサイズのＥＰＤＣＣＨ候補がそのサービングセル上で送信されるかもしれないと想定する。
【０４０７】
ＥＰＤＣＣＨがモニタされるサービングセルに対して、ポジショニング参照信号の送信機会がＭＢＳＦＮサブフレーム内のみに設定され、かつサブフレーム０で用いられるＣＰ長が通常のＣＰである場合、端末装置は、ポジショニング参照信号の送信機会の一部であると上位層にとって設定されたサブフレームにおいてＥＰＤＣＣＨのモニタは要求されない。
【０４０８】
端末装置は、アンテナポート１０７と１０８のいずれかに関連するＥＰＤＣＣＨ候補をモニタリングする間、同じＣｉｎｉｔの値がアンテナポート１０７と１０８とに用いられると想定する。端末装置は、アンテナポート１０９と１１０のいずれかに関連するＥＰＤＣＣＨ候補をモニタリングする間、同じＣｉｎｉｔの値がアンテナポート１０９と１１０とに用いられると想定する。
【０４０９】
あるサービングセルに対して、上位層シグナリングを介して、端末装置が送信モード１から９に応じたＰＤＳＣＨのデータ送信を受信するように設定されている場合、その端末装置は、下記の（ｓ１）および（ｓ２）に従う。
（ｓ１）その端末装置に上位層パラメータであるｅｐｄｃｃｈ−ＳｔａｒｔＳｙｍｂｏｌ−ｒ１１が設定されている場合、１つのサブフレームにおける第１スロット内のインデクスであるｌＥＰＤＣＣＨＳｔａｒｔによって与えられる、ＥＰＤＣＣＨのための開始ＯＦＤＭシンボル（１つのサブフレームにおいてＥＰＤＣＣＨがマッピングされる最初のＯＦＤＭシンボルであり、ＥＰＤＣＣＨの開始位置とも呼ばれれる）は、その上位層パラメータから決められる。ここで、上位層パラメータであるｅｐｄｃｃｈ−ＳｔａｒｔＳｙｍｂｏｌ−ｒ１１は、ＥＰＤＣＣＨセット毎に個別に設定可能なパラメータであり、ＥＰＤＣＣＨの開始ＯＦＤＭシンボルを指定するためのパラメータ（開始ＯＦＤＭシンボルを示す情報）である。上位層パラメータであるｅｐｄｃｃｈ−ＳｔａｒｔＳｙｍｂｏｌ−ｒ１１は、ＲＲＣメッセージを用いて設定される。
（ｓ２）その他の場合、１つのサブフレームにおける第１スロット内のインデクスであるｌＥＰＤＣＣＨＳｔａｒｔによって与えられる、ＥＰＤＣＣＨのための開始ＯＦＤＭシンボルは、ＮＤＬＲＢが１０より大きい場合、そのサービングセルのそのサブフレームにおけるＣＦＩ（Ｃｏｎｔｒｏｌ  Ｆｏｒｍａｔ  Ｉｎｄｉｃａｔｏｒ）の値により与えられ、ＮＤＬＲＢが１０以下の場合、そのサービングセルのそのサブフレームにおけるＣＦＩの値に１を加算することにより与えられる。ここでＣＦＩとは、値として１、２および３のうちのいずれかを取るパラメータであり、ＰＣＦＩＣＨ（Ｐｈｙｓｉｃａｌ  ＣＦＩ  Ｃｈａｎｎｅｌ）を介して送受信される制御情報である。ＣＦＩは、１つのサブフレームにおいてＰＤＣＣＨの送信のために用いられるＯＦＤＭシンボルの数についての情報である。
【０４１０】
あるサービングセルに対して、上位層シグナリングを介して、端末装置が送信モード１０に応じたＰＤＳＣＨのデータ送信を受信するように設定されている場合、各ＥＰＤＣＣＨ＾ＰＲＢセットに対して、サブフレームｋにおけるＥＰＤＣＣＨのモニタリングのための開始ＯＦＤＭシンボルは、下記の（ｓ３）から（ｓ６）までのように、上位層のパラメータであるｐｄｓｃｈ−Ｓｔａｒｔ−ｒ１１に従う。ここで、上位層パラメータであるｐｄｓｃｈ−Ｓｔａｒｔ−ｒ１１は、ＰＤＳＣＨ用の４種類パラメータセットに対して個別に設定可能なパラメータであり、ＰＤＳＣＨの開始ＯＦＤＭシンボルを指定するためのパラメータ（開始ＯＦＤＭシンボルを示す情報）である。上位層パラメータであるｐｄｓｃｈ−Ｓｔａｒｔ−ｒ１１は、ＲＲＣメッセージを用いて設定される。
（ｓ３）ｐｄｓｃｈ−Ｓｔａｒｔ−ｒ１１の値が１、２、３および４の組に属している（値が１、２、３および４のいずれかである）場合、ｌ’ＥＰＤＣＣＨＳｔａｒｔはｐｄｓｃｈ−Ｓｔａｒｔ−ｒ１１によって与えられる。
（ｓ４）その他の場合（ｐｄｓｃｈ−Ｓｔａｒｔ−ｒ１１の値が１、２、３および４の組に属していない場合）、ｌ’ＥＰＤＣＣＨＳｔａｒｔは、ＮＤＬＲＢが１０より大きい場合、そのサービングセルのサブフレームｋにおけるＣＦＩの値により与えられ、ｌ’ＥＰＤＣＣＨＳｔａｒｔは、ＮＤＬＲＢが１０以下の場合、そのサービングセルのサブフレームｋにおけるＣＦＩの値に１を加算することにより与えられる。
（ｓ５）サブフレームｋが上位層パラメータであるｍｂｓｆｎ―ＳｕｂｆｒａｍｅＣｏｎｆｉｇＬｉｓｔ−ｒ１１によって指定されるサブフレームである、あるいはサブフレームｋがＴＤＤ用のサブフレーム構成におけるサブフレーム１または６である場合、ｌＥＰＤＣＣＨＳｔａｒｔは、ｌＥＰＤＣＣＨＳｔａｒｔ＝ｍｉｎ（２，ｌ’ＥＰＤＣＣＨＳｔａｒｔ）により与えられる。
（ｓ６）その他の場合（サブフレームｋが上位層パラメータであるｍｂｓｆｎ―ＳｕｂｆｒａｍｅＣｏｎｆｉｇＬｉｓｔ−ｒ１１によって指定されるサブフレームではない、かつサブフレームｋがＴＤＤ用のサブフレーム構成におけるサブフレーム１または６ではない場合）、ｌＥＰＤＣＣＨＳｔａｒｔは、ｌＥＰＤＣＣＨＳｔａｒｔ＝ｌ’ＥＰＤＣＣＨＳｔａｒｔにより与えられる。
【０４１１】
あるサービングセルに対して、上位層シグナリングを介して、端末装置が送信モード１から９に応じたＰＤＳＣＨのデータ送信を受信するように設定されており、かつＥＰＤＣＣＨのモニタが設定されている場合、その端末装置は、そのサービングセルにおけるアンテナポート０から３と、１０７から１１０が、ドップラーシフト、ドップラースプレッド、平均遅延および遅延スプレッドに関して疑似コロケートであると想定する（同一の送信点から送信されているものとして受信する、あるいは異なる送信点から送信されていないものとして受信する）。
【０４１２】
あるサービングセルに対して、上位層シグナリングを介して、端末装置が送信モード１０に応じたＰＤＳＣＨのデータ送信を受信するように設定されており、かつＥＰＤＣＣＨのモニタが設定されている場合、各ＥＰＤＣＣＨ−ＰＲＢセットに対して、下記の（ｑ１）および（ｑ１）が適用される。
（ｑ１）その端末装置に、疑似コロケーションタイプＡに基づいてＰＤＳＣＨをデコードすることが上位層により設定されている場合、その端末装置は、そのサービングセルにおけるアンテナポート０から３と、１０７から１１０が、ドップラーシフト、ドップラースプレッド、平均遅延および遅延スプレッドに関して疑似コロケートであると想定する。
（ｑ２）その端末装置に、疑似コロケーションタイプＢに基づいてＰＤＳＣＨをデコードすることが上位層により設定されている場合、その端末装置は、上位層パラメータであるｑｃｌ−ＣＳＩ−ＲＳ−ＣｏｎｆｉｇＮＺＰＩｄ−ｒ１１に対応するアンテナポート１５から２２と、１０７から１１０とが、ドップラーシフト、ドップラースプレッド、平均遅延および遅延スプレッドに関して疑似コロケートであると想定する。ここで、上位層パラメータであるｑｃｌ−ＣＳＩ−ＲＳ−ＣｏｎｆｉｇＮＺＰＩｄ−ｒ１１は、ＰＤＳＣＨ用の４種類パラメータセットに対して個別に設定可能なパラメータであり、ＰＤＳＣＨの疑似コロケーションを指定するためのパラメータ（ＰＤＳＣＨに関連する端末固有参照信号がいずれのＣＳＩＲＳと疑似コロケートしているかを示す情報）である。上位層パラメータであるｑｃｌ−ＣＳＩ−ＲＳ−ＣｏｎｆｉｇＮＺＰＩｄ−ｒ１１は、ＲＲＣメッセージを用いて設定される。
ここで、疑似コロケーションタイプＡと疑似コロケーションタイプＢは、送信モード１０が設定された端末装置に対してサービングセル毎にいずれか１つが設定されるパラメータであり、タイプＡはアンテナポート７から１４が、そのサービングセルのＣＲＳアンテナポート０−３と疑似コロケートされていることを示し、タイプＢはアンテナポート７から１４が、いずれかのＣＳＩＲＳアンテナポート１５−２２と疑似コロケートされていることを示す。逆に言えば、タイプＢが設定される場合、ＣＳＩＲＳは必ずしもそのサービングセルに対応する基地局装置から送信されるわけではなく、別の基地局装置から送信されてもよい。その場合、そのＣＳＩＲＳと疑似コロケートされるＥＰＤＣＣＨやＰＤＳＣＨは、通常，そのＣＳＩＲＳと同じ送信点（例えば基地局装置にバックホールで接続された遠隔地における張り出しアンテナ装置あるいは別の基地局装置）から送信されている。
【０４１３】
あるサービングセルに対して、上位層シグナリングを介して、端末装置が送信モード１０に応じたＰＤＳＣＨのデータ送信を受信するように設定されており、かつＥＰＤＣＣＨのモニタが設定されている場合、各ＥＰＤＣＣＨ−ＰＲＢセットに対して、その端末装置はそのＥＰＤＣＣＨのＲＥマッピングおよびアンテナポート疑似コロケーションの決定のために、上位層のパラメータであるＭａｐｐｉｎｇＱＣＬ−ＣｏｎｆｉｇＩｄ−ｒ１１によって指定されるパラメータを用いる。パラメータセットには、ＥＰＤＣＣＨのＲＥマッピングおよびアンテナポート疑似コロケーションの決定のための下記の（Ｑ１）から（Ｑ６）までのパラメータが含まれる。
（Ｑ１）ｃｒｓ−ＰｏｒｔｓＣｏｕｎｔ−ｒ１１。ｃｒｓ−ＰｏｒｔｓＣｏｕｎｔ−ｒ１１は、ＰＤＳＣＨやＥＰＤＣＣＨをＲＥのマッピングする際に用いられるＣＲＳのポート数を示すパラメータである。
（Ｑ２）ｃｒｓ−ＦｒｅｑＳｈｉｆｔ−ｒ１１。ｃｒｓ−ＦｒｅｑＳｈｉｆｔ−ｒ１１は、ＰＤＳＣＨやＥＰＤＣＣＨをＲＥのマッピングする際に用いられるＣＲＳの周波数シフトを示すパラメータである。
（Ｑ３）ｍｂｓｄｎ―ＳｕｂｆｒａｍｅＣｏｎｆｉｇＬｉｓｔ−ｒ１１。ｍｂｓｄｎ―ＳｕｂｆｒａｍｅＣｏｎｆｉｇＬｉｓｔ−ｒ１１は、ＰＤＳＣＨやＥＰＤＣＣＨをＲＥのマッピングする際に用いられるＭＢＳＦＮサブフレームの位置を示すパラメータである。このパラメータでＭＢＳＦＮサブフレームとして設定されたサブフレームでは、ＰＤＣＣＨが配置されうるＯＦＤＭシンボルにのみＣＲＳが存在するものとして（ＰＤＣＣＨが配置されないＯＦＤＭシンボルにはＣＲＳが存在しないものとして）、ＰＤＳＣＨやＥＰＤＣＣＨがマッピングされる。
（Ｑ４）ｃｓｉ−ＲＳ−ＣｏｎｆｉｇＺＰＩｄ−ｒ１１。ｃｓｉ−ＲＳ−ＣｏｎｆｉｇＺＰＩｄ−ｒ１１は、ＰＤＳＣＨやＥＰＤＣＣＨをＲＥのマッピングする際に用いられるゼロ電力ＣＳＩＲＳの位置を示すパラメータである。
（Ｑ５）ｐｄｓｃｈ−Ｓｔａｒｔ−ｒ１１。ｐｄｓｃｈ−Ｓｔａｒｔ−ｒ１１は、ＰＤＳＣＨやＥＰＤＣＣＨをＲＥのマッピングする際に用いられる開始ＯＦＤＭシンボルを示すパラメータである。
（Ｑ６）ｑｃｌ−ＣＳＩ−ＲＳ−ＣｏｎｆｉｇＮＺＰＩｄ−ｒ１１。ｑｃｌ−ＣＳＩ−ＲＳ−ＣｏｎｆｉｇＮＺＰＩｄ−ｒ１１は、ＰＤＳＣＨやＥＰＤＣＣＨを復調するための参照信号がいずれのＣＳＩＲＳとコロケートされているかを示すパラメータである。このパラメータは、１つ以上設定されたＣＳＩＲＳのいずれかのＩＤを指定することができる。ＰＤＳＣＨやＥＰＤＣＣＨを復調するための参照信号は、ＩＤが指定されたＣＳＩＲＳと疑似コロケートされているものとする。
【０４１４】
次に、ＰＵＣＣＨフォーマットについて説明する。ＰＵＣＣＨは上りリンク制御情報（ＵＣＩ）を運ぶ。同一の端末装置からのＰＵＣＣＨとＰＵＳＣＨの同時送信は、上位層により可能とされている場合はサポートされる。フレーム構成タイプ２に対して、ＵｐＰＴＳフィールドではＰＵＣＣＨは送信されない。ＰＵＣＣＨは複数のフォーマット（ＰＵＣＣＨフォーマット１、ＰＵＣＣＨフォーマット１ａ、ＰＵＣＣＨフォーマット１ｂ、ＰＵＣＣＨフォーマット２、ＰＵＣＣＨフォーマット２ａ、ＰＵＣＣＨフォーマット２ｂ、ＰＵＣＣＨフォーマット３）をサポートする。ＰＵＣＣＨフォーマット１ａ、ＰＵＣＣＨフォーマット１ｂ、ＰＵＣＣＨフォーマット２、ＰＵＣＣＨフォーマット２ａ、ＰＵＣＣＨフォーマット２ｂ、ＰＵＣＣＨフォーマット３は、変調方式として、それぞれＢＰＳＫ、ＱＰＳＫ、ＱＰＳＫ、ＱＰＳＫおよびＢＰＣＫ、ＱＰＳＫおよびＱＰＣＫ、ＱＰＳＫが用いられる。また、ＰＵＣＣＨフォーマット１ａ、ＰＵＣＣＨフォーマット１ｂ、ＰＵＣＣＨフォーマット２、ＰＵＣＣＨフォーマット２ａ、ＰＵＣＣＨフォーマット２ｂ、ＰＵＣＣＨフォーマット３は、サブフレーム毎のビット数として、それぞれ１、２、２０、２１、２２、４８ビットを運ぶ。なお、ＰＵＣＣＨフォーマット２ａと２ｂは通常のＣＰに対してのみサポートされる。
【０４１５】
ＰＵＣＣＨにおけるＵＣＩの下記の組み合わせがサポートされる。
・ＰＵＣＣＨフォーマット１ａ。１ビットのＨＡＲＱ−ＡＣＫに対して、あるいはＦＤＤの場合に１ビットのＨＡＲＱ−ＡＣＫとポジティブスケジューリングリクエスト（ポジティブＳＲ）に対してサポートされる。
・ＰＵＣＣＨフォーマット１ｂ。２ビットのＨＡＲＱ−ＡＣＫに対して、あるいは２ビットのＨＡＲＱ−ＡＣＫとポジティブＳＲに対してサポートされる。
・ＰＵＣＣＨフォーマット１ｂ。端末装置に２つ以上のサービングセルが設定されている場合あるいはＴＤＤで単一のサービングセルが設定されている場合の、チャネル選択を用いた４ビットまでのＨＡＲＱ−ＡＣＫに対してサポートされる。
・ＰＵＣＣＨフォーマット１。ポジティブＳＲに対してサポートされる。
・ＰＵＣＣＨフォーマット２。ＨＡＲＱ−ＡＣＫと多重されない場合の１つのＣＳＩレポートに対してサポートされる。
・ＰＵＣＣＨフォーマット２ａ。通常のＣＰで、１ビットのＨＡＲＱ−ＡＣＫと多重される１つのＣＳＩレポートに対してサポートされる。
・ＰＵＣＣＨフォーマット２ｂ。通常のＣＰで、２ビットのＨＡＲＱ−ＡＣＫと多重される１つのＣＳＩレポートに対してサポートされる。
・ＰＵＣＣＨフォーマット２。拡張のＣＰで、ＨＡＲＱ−ＡＣＫと多重される１つのＣＳＩレポートに対してサポートされる。
・ＰＵＣＣＨフォーマット３。ＦＤＤでは１０ビットまでのＨＡＲＱ−ＡＣＫに対して、ＴＤＤでは２０ビットまでのＨＡＲＱ−ＡＣＫに対してサポートされる。
・ＰＵＣＣＨフォーマット３。ＦＤＤでは１０ビットのＨＡＲＱ−ＡＣＫと１ビットのポジティブ／ネガティブＳＲに対応する１１ビットまでに対して、ＴＤＤでは２０ビットのＨＡＲＱ−ＡＣＫと１ビットのポジティブ／ネガティブＳＲに対応する２１ビットまでに対してサポートされる。
・ＰＵＣＣＨフォーマット３。ＨＡＲＱ−ＡＣＫと（もしあれば）１ビットのポジティブ／ネガティブＳＲおよび１つのサービングセルに対する１つのＣＳＩレポートに対してサポートされる。
【０４１６】
なお、ＳＲは、上位層における上りリンクデータチャネルであるＵＬ−ＳＣＨの新規送信のために、ＵＬ−ＳＣＨリソースを要求するために用いられる。ＵＬ−ＳＣＨは物理層においてはＰＵＳＣＨを用いて送受信される。ＨＡＲＱ−ＡＣＫとＳＲが同じサブフレームに送信される場合、ネガティブＳＲ送信（ネガティブＳＲを示すための送信）のために、ＨＡＲＱ−ＡＣＫに割り当てられたＰＵＣＣＨリソース（ＰＵＣＣＨフォーマット１ａ／１ｂリソースやチャネル選択に用いられるＰＵＣＣＨフォーマット１ｂリソース）においてＨＡＲＱ−ＡＣＫを送信する一方、ポジティブＳＲ送信（ポジティブＳＲを示すための送信）のために、ＳＲに割り当てられたＰＵＣＣＨリソースにおいてＨＡＲＱ−ＡＣＫを送信する。なお、ＳＲのためのＰＵＣＣＨリソースは、ＲＲＣメッセージを用いて設定される。
【０４１７】
また、チャネル選択は、ＰＵＣＣＨフォーマット１ｂと一緒に用いられる方法である。複数のＨＡＲＱ−ＡＣＫの組み合わせ（それぞれのＨＡＲＱ−ＡＣＫとしてＡＣＫかＮＡＣＫかＤＴＸかの組み合わせ）毎に、複数のＰＵＣＣＨリソースのうちのいずれのＰＵＣＣＨリソースを用いてＨＡＲＱ−ＡＣＫを送信するか、かつそのＰＵＣＣＨリソースでどのようなビット情報（ＰＵＣＣＨフォーマット１ｂの場合は｛００、０１、１０、００｝の４種類）を送信するかが規定されている。端末装置は、ＨＡＲＱ−ＡＣＫの組み合わせに対応する適切なＰＵＣＣＨリソースを選択してＨＡＲＱ−ＡＣＫの信号を送信し、基地局装置は複数のＰＵＣＣＨリソースをモニタし、各ＰＵＣＣＨリソースでＨＡＲＱ−ＡＣＫの信号が検出されたか、およびどのような信号が検出されたかに基づいて、ＨＡＲＱ−ＡＣＫの組み合わせを知ることができる。なお、以降の記載において、チャネル選択のＰＵＣＣＨフォーマット１ｂのためにＰＵＣＣＨリソースを用いるとは、そのＰＵＣＣＨリソースを、選択される複数のＰＵＣＣＨリソースとして用いるということを意味しており、必ずしも実際のＨＡＲＱ−ＡＣＫの信号に用いられるわけではない。なお、基本的に、ＡＣＫは受信の成功を意味し、ＮＡＣＫは受信の失敗（送信されたことを検出した上でのデコードの失敗を含む）を意味し、ＤＴＸは送信を検出しなかったこと（送信されていないことを検出したこと）を意味する。
【０４１８】
次にＴＤＤにおけるＨＡＲＱ−ＡＣＫフィードバックの手続きについて説明する。以下では、１つのサービングセルが設定されている場合のＨＡＲＱ−ＡＣＫフィードバックの手続き、１つより多い（２つ以上の）サービングセルが設定されている場合のＨＡＲＱ−ＡＣＫフィードバックの手続きの順で説明する。また、２つ以上のサービングセルが設定されている場合のＨＡＲＱ−ＡＣＫフィードバックの手続きの説明の中で、チャネル選択のＰＵＣＣＨフォーマット１ｂによるＨＡＲＱ−ＡＣＫフィードバック、ＰＵＣＣＨフォーマット３によるＨＡＲＱ−ＡＣＫフィードバックの順で説明する。
【０４１９】
ＴＤＤで、かつフレーム構成タイプ２の２つ以上の（１つより多い）サービングセルをキャリアアグリゲーションする（アグリゲートする）ことをサポートしていない端末装置に対して、２つのＨＡＲＱ−ＡＣＫフィードバックモードが上位層の設定によってサポートされる。ＨＡＲＱ−ＡＣＫバンドリングとＨＡＲＱ−ＡＣＫ多重（ＨＡＲＱ−ＡＣＫマルチプレクシング）である。ただし、ＴＤＤのＵＬ／ＤＬ設定５で、かつフレーム構成タイプ２の２つ以上の（１つより多い）サービングセルをキャリアアグリゲーションする（アグリゲートする）ことをサポートしていない端末装置に対しては、ＨＡＲＱ−ＡＣＫバンドリングのみがサポートされる。
【０４２０】
フレーム構成タイプ２の２つ以上のサービングセルをアグリゲートすることをサポートする端末装置は、フレーム構成タイプ２の２つ以上のサービングセルが設定されているとき、上位層によって、ＨＡＲＱ−ＡＣＫ送信のために、チャネル選択のＰＵＣＣＨフォーマット１ｂかＰＵＣＣＨフォーマット３のいずれを用いるかが設定される。 
【０４２１】
フレーム構成タイプ２の２つ以上のサービングセルをアグリゲートすることをサポートする端末装置は、フレーム構成タイプ２の１つの（１つだけの）サービングセルが設定されているとき、上位層によって、ＨＡＲＱ−ＡＣＫ送信のために、ＨＡＲＱ−ＡＣＫバンドリングか、チャネル選択のＰＵＣＣＨフォーマット１ｂか、またはＰＵＣＣＨフォーマット３を用いることが設定される。チャネル選択のＰＵＣＣＨフォーマット１ｂはＴＤＤのＵＬ／ＤＬ設定５に対してサポートされない。
【０４２２】
図１５は、ＰＤＳＣＨが配置されるサブフレームｎ−ｋと前記ＰＤＳＣＨが対応するＨＡＲＱ−ＡＣＫが送信されるサブフレームｎとの対応を示す図である。表の各セル内のＭ個の数字の各々はｋを示している。Ｍ個の数字から構成される数字列はｋの集合であるＫ（Ｋ＝｛ｋ０、ｋ１、・・・、ｋＭ−１｝）を示している。Ｋは下りリンク関連セットと呼ばれる。なお、ｋ０、ｋ１、・・・、ｋＭ−１の順序は、セル内の数字の左側からの順序である。
【０４２３】
ＴＤＤのＨＡＲＱ−ＡＣＫバンドリングは、単一の上りリンクサブフレームｎに関連するＭ個の複数ＤＬサブフレームを跨いで、コードワード毎に、個別のＰＤＳＣＨ送信（対応するＰＤＣＣＨ／ＥＰＤＣＣＨと一緒であるものも一緒でないものも含む）のＨＡＲＱ−ＡＣＫと下りリンクのＳＰＳリリースを示すＰＤＣＣＨ／ＥＰＤＣＣＨへのレスポンスのＡＣＫのすべての論理和演算によって行われる。ここで、上述したように、Ｍは下りリンク関連セットＫの中の要素の数である。このとき、１つのサービングセルに対して、バンドルされた１あるいは２個のＨＡＲＱ−ＡＣＫビットが、それぞれＰＵＣＣＨフォーマット１ａあるいはＰＵＣＣＨフォーマット１ｂを用いて送信される。このように、ＨＡＲＱ−ＡＣＫをバンドルすることにより、実際に送信されるビット数を低減することができるため、容量の小さいＰＵＣＣＨフォーマットであるＰＵＣＣＨフォーマット１ａあるいはＰＵＣＣＨフォーマット１ｂが用いられることができる。
【０４２４】
ＴＤＤのＨＡＲＱ−ＡＣＫで、Ｍ＞１であるサブフレームｎに対して、１つの下りリンクサブフレーム中の複数のコードワードを跨いた空間ＨＡＲＱ−ＡＣＫバンドリングが、対応する個別のＨＡＲＱ−ＡＣＫのすべての論理和演算によって行われる。１つのサービングセルが設定される場合、チャネル選択のＰＵＣＣＨフォーマット１ｂが用いられる。ＴＤＤのＨＡＲＱ−ＡＣＫで、Ｍ＝１であるサブフレームｎに対して、１つの下りリンクサブフレーム中の複数のコードワードを跨いた空間ＨＡＲＱ−ＡＣＫバンドリングは行われず、１つの設定されたサービングセルに対して、１または２ビットのＨＡＲＱ−ＡＣＫビットが、それぞれＰＵＣＣＨフォーマット１ａまたはＰＵＣＣＨフォーマット１ｂを用いて、送信される。
【０４２５】
ＴＤＤで、チャネル選択のＰＵＣＣＨフォーマット１ｂの２つ以上の設定されたサービングセルで、かつ単一の上りリンクサブフレームｎに関連するＭ個の複数下りリンクサブフレームおよびそれらのサービングセルに対して４ビットよりも多いＨＡＲＱ−ＡＣＫビットの場合、すべての設定されたセルに対して、単一の上りリンクサブフレームｎに関連するＭ個の複数ＤＬサブフレームを跨いだＨＡＲＱ−ＡＣＫバンドリングが行われ、それぞれの設定されたサービングセルに対するバンドルされたＨＡＲＱ−ＡＣＫビットはチャネル選択のＰＵＣＣＨ１ｂを用いて送信される。ＴＤＤで、チャネル選択のＰＵＣＣＨフォーマット１ｂの２つ以上の設定されたサービングセルで、かつ単一の上りリンクサブフレームｎに関連するＭ個の複数下りリンクサブフレームおよびそれらのサービングセルに対して４ビットまでのＨＡＲＱ−ＡＣＫビットの場合、空間ＨＡＲＱ−ＡＣＫバンドリングは行われず、ＨＡＲＱ−ＡＣＫビットはチャネル選択のＰＵＣＣＨフォーマット１ｂを用いて送信される。
【０４２６】
ＴＤＤで、ＰＵＣＣＨフォーマット３の２つ以上の設定されたサービングセルで、かつ単一の上りリンクサブフレームｎに関連するＭ個の複数下りリンクサブフレームおよびそれらのサービングセルに対して２０ビットよりも多いＨＡＲＱ−ＡＣＫビットの場合、すべての設定されたセルに対して、単一の上りリンクサブフレームｎに関連するＭ個の複数ＤＬサブフレームを跨いだＨＡＲＱ−ＡＣＫバンドリングが行われ、ＰＵＣＣＨ３を用いて送信される。ＴＤＤで、ＰＵＣＣＨフォーマット３の２つ以上の設定されたサービングセルで、かつ単一の上りリンクサブフレームｎに関連するＭ個の複数下りリンクサブフレームおよびそれらのサービングセルに対して２０ビットまでのＨＡＲＱ−ＡＣＫビットの場合、空間ＨＡＲＱ−ＡＣＫバンドリングは行われず、ＨＡＲＱ−ＡＣＫビットはＰＵＣＣＨフォーマット３を用いて送信される。
【０４２７】
ＴＤＤでＰＵＣＣＨフォーマット３に対して、端末装置は１つの上りリンクサブフレームｎに関連して、ＨＡＲＱ−ＡＣＫビットの数ｏを前記数１に基づいて決定する。
【０４２８】
次に、１つのサービングセルが設定されている場合に対するＴＤＤのＨＡＲＱ−ＡＣＫの手続きについて説明する。
【０４２９】
ＴＤＤのＨＡＲＱ−ＡＣＫバンドリングフィードバックモードを用いたＰＵＣＣＨフォーマット１ａ／１ｂに対して、およびＰＵＣＣＨフォーマット３に対して、２つのアンテナポート（アンテナポートｐとしてｐ０とｐ１）におけるＨＡＲＱ−ＡＣＫ送信がサポートされる。また、フレーム構成タイプ２の２以上のサービングセルをアグリゲートすることをサポートする端末装置は、上位層により、チャネル選択のＰＵＣＣＨフォーマット１ｂに対して、２つのアンテナポート（アンテナポートｐとしてｐ０とｐ１）でのＨＡＲＱ−ＡＣＫ送信が設定されることができる。
【０４３０】
１つの設定されたサービングセルに対してＴＤＤのＨＡＲＱ−ＡＣＫバンドリングまたはＴＤＤのＨＡＲＱ−ＡＣＫ多重、かつＭ＝１の１つのサブフレームｎに対して、端末装置はＰＵＣＣＨフォーマット１ａ／１ｂでのアンテナポートｐでのサブフレームｎのＨＡＲＱ−ＡＣＫ送信に対して、ＰＵＣＣＨリソースｎ（１，ｐ）ＰＵＣＣＨを用いる。ここで、ｎ（１，ｐ）ＰＵＣＣＨは以下のようにして決定される。
【０４３１】
サブフレームｎ−ｋ（ここでｋはＫの１つ以上の要素であるｋ０、ｋ１、・・・、ｋＭ−１）において、対応するＰＤＣＣＨ／ＥＰＤＣＣＨの検出によって示されるＰＤＳＣＨ送信がある、あるいは下りリンクＳＰＳリリースを示すＰＤＣＣＨ／ＥＰＤＣＣＨがあり、ＰＤＳＣＨ送信あるいは下りリンクＳＰＳリリースを示すＰＤＣＣＨがサブフレームｎ−ｋｍ（ｋｍは、サブフレームｎ−ｋの中で、端末装置がＰＤＳＣＨ送信あるいは下りリンクＳＰＳリリースを示すＰＤＣＣＨ／ＥＰＤＣＣＨを検出するセットＫの中での最小の値）で検出される場合、その端末装置は、まず｛０、１、２、３｝の中からＮｃ≦ｎＣＣＥ≦Ｎｃ＋１とするｃを選択し、アンテナポートｐ０のために、ｎ（１，ｐ０）ＰＵＣＣＨ＝（Ｍ−ｍ−１）Ｎｃ＋ｍＮｃ＋１＋ｎＣＣＥ＋Ｎ（１）ＰＵＣＣＨを用いる。ここで、Ｎ（１）ＰＵＣＣＨは上位層によって設定され、Ｎｃ＝ｍａｘ｛０，ｆｌｏｏｒ（（ＮＤＬＲＢ（ＮＲＢＳＣｃ−４））／３６）｝であり、ｎＣＣＥはサブフレームｎ−ｋｍと対応するｍにおける対応するＰＤＣＣＨ送信のために用いられる最初のＣＣＥの番号である。ＰＵＣＣＨフォーマット１ａ／１ｂに対して２つのアンテナポート送信が設定される場合、アンテナポートｐ１におけるＨＡＲＱ−ＡＣＫバンドリングのためのＰＵＤＣＣＨリソースは、ｎ（１，ｐ１）ＰＵＣＣＨ＝（Ｍ−ｍ−１）Ｎｃ＋ｍＮｃ＋１＋ｎＣＣＥ＋１＋Ｎ（１）ＰＵＣＣＨで与えられる。このようにして、ｃを選択してＰＵＣＣＨリソースが決められることにより、サブフレームセットＫを跨いで、各サブフレームの中で先頭のＯＤＦＭシンボルのＲＥにマッピングされるＰＤＣＣＨが、最も低いインデクスのＰＵＣＣＨリソースにリンクし、各サブフレームの中で後方のＯＤＦＭシンボルのＲＥにマッピングされるＰＤＣＣＨが、より高いインデクスのＰＵＣＣＨリソースにリンクする。先頭のＯＤＦＭシンボルは、ＰＤＣＣＨ送信に用いられる可能性が高く、後方になるほどＰＤＣＣＨ送信に用いられる可能性が低くなる。そのため、前方のＯＦＤＭシンボルだけがＰＤＣＣＨ送信に用いられる場合に、これらのＰＤＣＣＨがインデクスの低いＰＵＣＣＨリソースにリンクされていることで、残りの上りリンクリソースをＰＵＳＣＨ送信に用いることができる。
【０４３２】
サブフレームｎ−ｋ（ここでｋはＫの１つ以上の要素であるｋ０、ｋ１、・・・、ｋＭ−１）において検出された、対応するＰＤＣＣＨ／ＥＰＤＣＣＨが無いＰＤＳＣＨ送信のみがある場合、端末装置はＰＵＣＣＨフォーマット１ａ／１ｂを用い、ＰＵＣＣＨリソースｎ（１，ｐ）ＰＵＣＣＨの値であるｎ（１，ｐ）ＰＵＣＣＨ＝は上位層の設定と、ＰＵＣＣＨに対するＴＰＣコマンドフィールドの値と上位層で設定されたｎ（１）ＰＵＣＣＨの値との関係テーブルに基づいて決まる。より具体的には、上位層により４つのＰＵＣＣＨリソースの値が設定されており、２ビットのＰＵＣＣＨに対するＴＰＣコマンドフィールドにより表現されうる４つの値のそれぞれが、上位層により設定された４つのＰＵＣＣＨリソースの値のそれぞれと対応付けられている。下りリンクのＳＰＳアクティベーションを示すＤＣＩフォーマットにおいて、ＰＵＣＣＨに対するＴＰＣコマンドフィールドが、上位層により設定された４つのＰＵＣＣＨリソースの値のうちの１つの値に対応するインデクスとして用いられる。ＰＵＣＣＨフォーマット１ａ／１ｂに対する２つのアンテナポート送信およびＨＡＲＱ−ＡＣＫバンドリングが設定されている端末装置に対して、上記の対応関係におけるＰＵＣＣＨリソースの値（ＰＵＣＣＨに対するＴＰＣコマンドフィールドにより示されるインデクス）はアンテナポートｐ０のための最初のＰＵＣＣＨリソースｎ（１，ｐ０）ＰＵＣＣＨとアンテナポートｐ１のための２番目のＰＵＣＣＨリソースｎ（１，ｐ１）ＰＵＣＣＨの２つのＰＵＣＣＨリソースにマップし、その他の場合は、そのＰＵＣＣＨリソースの値（ＰＵＣＣＨに対するＴＰＣコマンドフィールドにより示されるインデクス）はアンテナポートｐ０のための単一のＰＵＣＣＨリソースｎ（１，ｐ０）ＰＵＣＣＨにマップする。このようにして、対応するＰＤＣＣＨ／ＥＰＤＣＣＨが無いＰＤＳＣＨ送信、すなわち、下りリンクＳＰＳによるＰＤＳＣＨ送信（ただし、ＳＰＳアクティベーションと同時に送信されるＰＤＳＣＨ送信を除く）に対して準定常的にＰＵＣＣＨリソースを割り当てることができる。また、この準定常的なＰＵＣＣＨリソースは、ＰＤＣＣＨ／ＥＰＤＣＣＨの要素のインデクスから算出されるＰＵＣＣＨリソース（動的なＰＵＣＣＨリソース）とは別の領域に確保しておくことにより、基地局装置でのスケジューリングを効率化することができる。
【０４３３】
サブフレームｎ−ｋ（ここでｋはＫの１つ以上の要素であるｋ０、ｋ１、・・・、ｋＭ−１）において、対応するＰＤＣＣＨ／ＥＰＤＣＣＨの検出によって示されるＰＤＳＣＨ送信がある、あるいは下りリンクＳＰＳリリースを示すＰＤＣＣＨ／ＥＰＤＣＣＨがあり、ＰＤＳＣＨ送信あるいは下りリンクＳＰＳリリースを示すＥＰＤＣＣＨがサブフレームｎ−ｋｍ（ｋｍは、サブフレームｎ−ｋの中で、端末装置がＰＤＳＣＨ送信あるいは下りリンクＳＰＳリリースを示すＰＤＣＣＨ／ＥＰＤＣＣＨを検出するセットＫの中での最小の値）で検出される場合、端末装置は、アンテナポートｐ０に対して下記のＰＵＣＣＨリソースｎ（１，ｐ０）ＰＵＣＣＨを用いる。
もしＥＰＤＣＣＨ−ＰＲＢセットｑに分散的送信が設定されている場合、ｎ（１，ｐ０）ＰＵＣＣＨは数２で求められる。
もしＥＰＤＣＣＨ−ＰＲＢセットｑに局所的送信が設定されている場合、ｎ（１，ｐ０）ＰＵＣＣＨは数３で求められる。
ここで、ｎＥＣＣＥ，ｑはサブフレームｎーｋｍと対応するｍにおけるＥＰＤＣＣＨ−ＰＲＢセットｑ内の対応するＤＣＩアサインメント（ＤＣＩによる割り当て）の送信のために用いられる最初のＣＣＥの番号（つまり、そのＥＰＤＣＣＨを構成するために用いられる最も低いＥＣＣＥインデクス）であり、ＥＰＤＣＣＨ−ＰＲＢセットｑにおけるＮ（ｅ１）ＰＵＣＣＨ，ｑは、上位層パラメータであるｐｕｃｃｈ−ＲｅｓｏｕｒｃｅＳｔａｒｔＯｆｆｓｅｔ−ｒ１１によって設定され、サブフレームｎ−ｋｍにおけるＥＰＤＣＣＨ−ＰＲＢセットｑに対するＮＥＣＣＥ，ｑＲＢは上述のＮＲＢＥＣＣＥと同義であるＰＲＢペアあたりのＥＣＣＥの数である。また、上述したように、ｎ’はサブフレームｎ−ｋｍにおいてＥＰＤＣＣＨ送信のために用いられたアンテナポートから決まる。図３２および図３３はＨＡＲＱ−ＡＣＫリソースオフセットフィールドの値とＨＡＲＱ−ＡＣＫリソースオフセット値であるΔＡＲＯの関係を示す図である。もしｍ＝０なら、図３２で与えられるようにして、ΔＡＲＯは対応するＥＰＤＣＣＨＤＣＩフォーマットにおけるＨＡＲＱ−ＡＣＫリソースオフセットフィールドから決定される。もしｍ＞０なら、図３３で与えられるようにして、ΔＡＲＯは対応するＥＰＤＣＣＨＤＣＩフォーマットにおけるＨＡＲＱ−ＡＣＫリソースオフセットフィールドから決定される。もし端末装置に、サブフレームｎ−ｋｉ１においてＥＰＤＣＣＨをモニタすることが設定されている場合、ＮＥＣＣＥ，ｑ，ｎ−ｋｉ１はサブフレームｎ−ｋｉ１においてその端末装置に設定されるＥＰＤＣＣＨ−ＰＲＢセットｑにおけるＥＣＣＥの数に等しい。もし端末装置に、サブフレームｎ−ｋｉ１においてＥＰＤＣＣＨをモニタすることが設定されていない場合、ＮＥＣＣＥ，ｑ，ｎ−ｋｉ１はサブフレームｎ−ｋｉ１においてその端末装置に設定されるＥＰＤＣＣＨ−ＰＲＢセットｑが設定されていると仮定して計算されるＥＣＣＥの数に等しい。通常のＣＰにおいて、もしサブフレームｎ−ｋｉ１がスペシャルサブフレーム設定０または５のスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７のスペシャルサブフレームである場合、ＮＥＣＣＥ，ｑ，ｎ−ｋｉ１は０に等しい。アンテナポートｐ１に対するＰＵＣＣＨリソースは下記により与えられる。
もしＥＰＤＣＣＨ−ＰＲＢセットｑに分散的送信が設定されている場合、ｎ（１，ｐ１）ＰＵＣＣＨは数２に１を加算して求められる。
もしＥＰＤＣＣＨ−ＰＲＢセットｑに局所的送信が設定されている場合、ｎ（１，ｐ１）ＰＵＣＣＨは数３に１を加算して求められる。
ここで、端末固有に設定可能なＰＵＣＣＨリソースのオフセットであるＮ（ｅ１）ＰＵＣＣＨ，ｑは、ＥＰＤＣＣＨの検出時に適用され、ＰＤＣＣＨ時には適用されない。これにより、ＥＰＤＣＣＨ検出時に用いられるＰＵＣＣＨリソースの領域と、ＰＤＣＣＨ検出時に用いられるＰＵＣＣＨリソースの領域とを分離することができ、その結果、両者の衝突を避けることができる。また、各サブフレームのＥＰＤＣＣＨからリンクされるＰＵＣＣＨリソースの集合は、サブフレーム毎にＮＥＣＣＥ，ｑ，ｎ−ｋｉ１ずつシフトされる。これにより、ｋ０、ｋ１、・・・、ｋＭ−１の順にＰＵＣＣＨリソースインデクスの低いほうからリンクされるため、対応する下りリンクサブフレーム間でＰＵＣＣＨリソースの衝突を避けることができる。また、ΔＡＲＯは、端末固有に動的に設定されることができる。そのため、２つのＥＰＤＣＣＨセットに対して同一のＮ（ｅ１）ＰＵＣＣＨ，ｑを設定する場合においても、ＥＰＤＣＣＨセット間でのＰＵＣＣＨリソースの衝突を避けることができる。また、第１のＥＰＤＣＣＨセット内のＥＰＤＣＣＨにリンクされるＰＵＣＣＨリソースの次に、第２のＥＰＤＣＣＨセット内のＥＰＤＣＣＨにリンクされるＰＵＣＣＨリソースが配置されるように、２つのＥＰＤＣＣＨセットに対して異なるＮ（ｅ１）ＰＵＣＣＨ，ｑを設定する場合においては、ΔＡＲＯにより、第２のＥＰＤＣＣＨセット内のＥＰＤＣＣＨを用いた場合であっても、第１のＥＰＤＣＣＨセット内のＥＰＤＣＣＨにリンクされるＰＵＣＣＨリソースを用いることが可能となり、上りリンクリソースの効率的な使用が可能となる。また、アンテナポートから算出されるｎ’を用いてＰＵＣＣＨリソースが決められることにより、空間多重を用いて、１つのＥＣＣＥ（同じＥＣＣＥ）を２個以上の端末装置に対するＥＰＤＣＣＨ送信に用いる場合においても、これらの端末装置間で、ＰＵＣＣＨリソースの衝突を避けることができる。
【０４３４】
【数２】
0006499976.tif 000003
【０４３５】
【数３】
0006499976.tif 000004
【０４３６】
これは、インプリシットなＰＵＣＣＨリソースを規定するに際し、通常のＣＰにけるスペシャルサブフレーム設定０または５、あるいは拡張のＣＰにけるスペシャルサブフレーム設定０または４または７は、ＤｗＰＴＳを構成するＯＦＤＭシンボル数が５個以下であるサブフレーム（１つのＰＲＢ中でＥＰＤＣＣＨ送信のためのＲＥ数が所定数より少なく、ＥＰＤＣＣＨ送信のために十分なＲＥ数が無いサブフレーム）である場合に、このサブフレームに対応するＰＵＣＣＨリソースをリザーブしない（このサブフレームに対応するＰＵＣＣＨリソース数を０と想定する）ことを意味している。これにより、ＰＵＣＣＨリソースを圧縮することができるため、上りリンクリソースを効率的に使用することができる。
【０４３７】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。すなわち、通常のＣＰにおいて、もしサブフレームｎ−ｋｉ１がスペシャルサブフレーム設定０または５の下りリンク参照ＵＬ／ＤＬ設定におけるスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７の下りリンク参照ＵＬ／ＤＬ設定におけるスペシャルサブフレームである場合、ＮＥＣＣＥ，ｑ，ｎ−ｋｉ１は０に等しい。アンテナポートｐ１に対するＰＵＣＣＨリソースは下記により与えられる。ＵＬ参照ＵＬ／ＤＬ設定ではなくＤＬ参照ＵＬ／ＤＬ設定に基づくことにより、ＰＤＳＣＨが送信され得るスペシャルサブフレームに対するＰＵＣＣＨリソースをリザーブすることができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのＰＵＣＣＨリソースをリザーブするか（あるいは、しないか）が検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０４３８】
１つの設定されたサービングセルに対してＴＤＤのＨＡＲＱ−ＡＣＫ多重、かつＭ＞１の１つのサブフレームｎに対して、サブフレームｎ−ｋｉと、サブフレームｎ−ｋｉとからＡＣＬ／ＮＡＣＫ／ＤＴＸレスポンスとしてのＨＡＲＱ−ＡＣＫ（ｉ）から得られるＰＵＣＣＨリソースとしてｎ（１）ＰＵＣＣＨ、ｉを表す。ここで、ｋはＫの１つ以上の要素であり、０≦ｉ≦Ｍ−１である。ｎ（１）ＰＵＣＣＨ，ｉは以下のようにして決定される。
【０４３９】
サブフレームｎ−ｋｉにおいて、対応するＰＤＣＣＨの検出によって示されるＰＤＳＣＨ送信、あるいは下りリンクＳＰＳリリースを示すＰＤＣＣＨに対して、ＰＵＣＣＨリソースはｎ（１）ＰＵＣＣＨ＝（Ｍ−ｉ−１）Ｎｃ＋ｉＮｃ＋１＋ｎＣＣＥ，ｉ＋Ｎ（１）ＰＵＣＣＨである。ここで、ｃは｛０、１、２、３｝の中からＮｃ≦ｎＣＣＥ≦Ｎｃ＋１とするものが選択され、ｎＣＣＥ，ｉはサブフレームｎ−ｋｉにおける対応するＰＤＣＣＨ送信のために用いられる最初のＣＣＥの番号であり、Ｎ（１）ＰＵＣＣＨは上位層によって設定される。
【０４４０】
サブフレームｎ−ｋｉにおいて検出された、対応するＰＤＣＣＨ／ＥＰＤＣＣＨ無いＰＤＳＣＨ送信に対して、ＰＵＣＣＨリソースの値ｎ（１）ＰＵＣＣＨ，ｉは上位層の設定と、ＰＵＣＣＨに対するＴＰＣコマンドフィールドの値と上位層で設定されたｎ（１）ＰＵＣＣＨの値との関係テーブルに基づいて決まる。
【０４４１】
サブフレームｎ−ｋｉにおける、対応するＰＤＣＣＨ／ＥＰＤＣＣＨの検出によって示されるＰＤＳＣＨ送信、あるいは下りリンクＳＰＳリリースを示すＰＤＣＣＨ／ＥＰＤＣＣＨに対して、端末装置は、下記のＰＵＣＣＨリソースｎ（１，ｐ０）ＰＵＣＣＨを用いる。
もしＥＰＤＣＣＨ−ＰＲＢセットｑに分散的送信が設定されている場合、ｎ（１）ＰＵＣＣＨ，ｉは数４で求められる。
もしＥＰＤＣＣＨ−ＰＲＢセットｑに局所的送信が設定されている場合、ｎ（１）ＰＵＣＣＨ，ｉは数５で求められる。
ここで、ｎＥＣＣＥ，ｑはサブフレームｎーｋｉにおけるＥＰＤＣＣＨ−ＰＲＢセットｑ内の対応するＤＣＩアサインメントの送信のために用いられる最初のＣＣＥの番号（つまり、そのＥＰＤＣＣＨを構成するために用いられる最も低いＥＣＣＥインデクス）であり、ＥＰＤＣＣＨ−ＰＲＢセットｑにおけるＮ（ｅ１）ＰＵＣＣＨ，ｑは、上位層パラメータであるｐｕｃｃｈ−ＲｅｓｏｕｒｃｅＳｔａｒｔＯｆｆｓｅｔ−ｒ１１によって設定され、サブフレームｎ−ｋｉにおけるＥＰＤＣＣＨ−ＰＲＢセットｑに対するＮＥＣＣＥ，ｑＲＢは上述のＮＲＢＥＣＣＥと同義であるＰＲＢペアあたりのＥＣＣＥの数である。また、上述したように、ｎ’はサブフレームｎ−ｋｍにおいてＥＰＤＣＣＨ送信のために用いられたアンテナポートから決まる。もしｍ＝０なら、図３２で与えられるようにして、ΔＡＲＯは対応するＥＰＤＣＣＨＤＣＩフォーマットにおけるＨＡＲＱ−ＡＣＫリソースオフセットフィールドから決定される。もしｍ＞０なら、図３３で与えられるようにして、ΔＡＲＯは対応するＥＰＤＣＣＨＤＣＩフォーマットにおけるＨＡＲＱ−ＡＣＫリソースオフセットフィールドから決定される。もし端末装置に、サブフレームｎ−ｋｉ１においてＥＰＤＣＣＨをモニタすることが設定されている場合、ＮＥＣＣＥ，ｑ，ｎ−ｋｉ１はサブフレームｎ−ｋｉ１においてその端末装置に設定されるＥＰＤＣＣＨ−ＰＲＢセットｑにおけるＥＣＣＥの数に等しい。もし端末装置に、サブフレームｎ−ｋｉ１においてＥＰＤＣＣＨをモニタすることが設定されていない場合、ＮＥＣＣＥ，ｑ，ｎ−ｋｉ１はサブフレームｎ−ｋｉ１においてその端末装置に設定されるＥＰＤＣＣＨ−ＰＲＢセットｑが設定されていると仮定して計算されるＥＣＣＥの数に等しい。通常のＣＰにおいて、もしサブフレームｎ−ｋｉ１がスペシャルサブフレーム設定０または５のスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７のスペシャルサブフレームである場合、ＮＥＣＣＥ，ｑ，ｎ−ｋｉ１は０に等しい。このように、上位層で設定された複数のＰＵＣＣＨリソースの内の１つからＰＵＣＣＨリソースを決定するために、ＨＡＲＱ−ＡＣＫリソースオフセットフィールドを用いることにより、ＴＰＣフィールドは、ＴＰＣコマンドの送信に用いることができる。
【０４４２】
【数４】
0006499976.tif 000005
【０４４３】
【数５】
0006499976.tif 000006
【０４４４】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。すなわち、通常のＣＰにおいて、もしサブフレームｎ−ｋｉ１がスペシャルサブフレーム設定０または５の下りリンク参照ＵＬ／ＤＬ設定におけるスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７の下りリンク参照ＵＬ／ＤＬ設定におけるスペシャルサブフレームである場合、ＮＥＣＣＥ，ｑ，ｎ−ｋｉ１は０に等しい。アンテナポートｐ１に対するＰＵＣＣＨリソースは下記により与えられる。ＵＬ参照ＵＬ／ＤＬ設定ではなくＤＬ参照ＵＬ／ＤＬ設定に基づくことにより、ＰＤＳＣＨが送信され得るスペシャルサブフレームに対するＰＵＣＣＨリソースをリザーブすることができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのＰＵＣＣＨリソースをリザーブするか（あるいは、しないか）が検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０４４５】
もし端末装置に、チャネル選択のＰＵＣＣＨフォーマット１ｂに対して、２つのアンテナポート送信が設定されていない場合は、単一のサービングセルが設定されたその端末装置は、上位層シグナリングに基づいて、第１対応関係と第２対応関係および第３対応関係のセット、あるいは、第４対応関係と第５対応関係および第６対応関係のセットのいずれかに基づいたチャネル選択を行う。もし端末装置に、チャネル選択のＰＵＣＣＨフォーマット１ｂに対して、２つのアンテナポート送信が設定されている場合は、その端末装置は第４対応関係と第５対応関係および第６対応関係のセットに基づいたチャネル選択を行う。
【０４４６】
ここで、第１対応関係から第６対応関係とは、ＨＡＲＱ−ＡＣＫ多重の送信における、ＨＡＲＱ−ＡＣＫの内容と、チャネル選択で選択されるＰＵＣＣＨリソース（ｎ（１）ＰＵＣＣＨ，０かｎ（１）ＰＵＣＣＨ，１かｎ（１）ＰＵＣＣＨ，２かｎ（１）ＰＵＣＣＨ，３）およびそのＰＵＣＣＨリソースで送信される２ビットの値（０か１）との対応関係を示す対応表である。第１対応関係と第４対応関係は、２つのＰＤＳＣＨ送信における対応関係である。第２対応関係と第５対応関係は、３つのＰＤＳＣＨ送信における対応関係である。第３対応関係と第６対応関係は、４つのＰＤＳＣＨ送信における対応関係である。また、第１対応関係と第２対応関係および第３対応関係は、単一のサービングセルが設定されている場合だけに用いられる対応関係であり、第４対応関係と第５対応関係および第６対応関係は、２つ以上のサービングセルが設定されている場合にも用いられる対応関係である。なお、第４対応関係と第５対応関係および第６対応関係は、複数のサービングセルが設定された場合であっても、実際にはプライマリセルのみで単一のＰＤＳＣＨ送信（あるいは下りリンクＳＰＳリリースを示すＰＤＣＣＨ／ＥＰＤＣＣＨ）が行われた場合に、１つのサービングセルのみ（プライマリセルのみ）が設定されている場合のＨＡＲＱ−ＡＣＫ送信と、同一の送信方法になるように設計されている。
【０４４７】
より詳細には、各対応関係は下記の特徴を持つ。
第１対応関係は、２つのＰＤＳＣＨ送信（あるいはＳＰＳリリースを示すＰＤＣＣＨ／ＥＰＤＣＣＨ送信）に対応する２つのＨＡＲＱ−ＡＣＫであるＨＡＲＱ−ＡＣＫ（０）およびＨＡＲＱ−ＡＣＫ（１）の内容（ＡＣＫか、ＮＡＣＫか、ＤＴＸか）の組み合わせのそれぞれに対し、２つのＰＤＳＣＨ送信（あるいはＳＰＳリリースを示すＰＤＣＣＨ／ＥＰＤＣＣＨ送信）に対応するＰＵＣＣＨリソースであるｎ（１）ＰＵＣＣＨ，０およびｎ（１）ＰＵＣＣＨ，１のうち、いずれのＰＵＣＣＨリソースを選択されたＰＵＣＣＨリソースであるｎ（１）ＰＵＣＣＨとして用いるか、およびｎ（１）ＰＵＣＣＨにおいて送信される２ビットｂ（０）およびｂ（１）の値とが、一意に対応する対応表である。なお、ＨＡＲＱ−ＡＣＫ（０）およびＨＡＲＱ−ＡＣＫ（１）がともにＤＴＸの場合は、ＨＡＲＱ−ＡＣＫの送信を行わない。
第２対応関係は、３つのＰＤＳＣＨ送信（あるいはＳＰＳリリースを示すＰＤＣＣＨ／ＥＰＤＣＣＨ送信）に対応する３つのＨＡＲＱ−ＡＣＫであるＨＡＲＱ−ＡＣＫ（０）とＨＡＲＱ−ＡＣＫ（１）およびＨＡＲＱ−ＡＣＫ（２）の内容の組み合わせのそれぞれに対し、３つのＰＤＳＣＨ送信（あるいはＳＰＳリリースを示すＰＤＣＣＨ／ＥＰＤＣＣＨ送信）に対応するＰＵＣＣＨリソースであるｎ（１）ＰＵＣＣＨ，０とｎ（１）ＰＵＣＣＨ，１およびｎ（１）ＰＵＣＣＨ，２のうち、いずれのＰＵＣＣＨリソースを選択されたＰＵＣＣＨリソースであるｎ（１）ＰＵＣＣＨとして用いるか、およびｎ（１）ＰＵＣＣＨにおいて送信される２ビットｂ（０）およびｂ（１）の値とが、一意に対応する対応表である。なお、ＨＡＲＱ−ＡＣＫ（０）とＨＡＲＱ−ＡＣＫ（１）およびＨＡＲＱ−ＡＣＫ（２）がともにＤＴＸの場合は、ＨＡＲＱ−ＡＣＫの送信を行わない。
第３対応関係は、４つのＰＤＳＣＨ送信（あるいはＳＰＳリリースを示すＰＤＣＣＨ／ＥＰＤＣＣＨ送信）に対応する４つのＨＡＲＱ−ＡＣＫであるＨＡＲＱ−ＡＣＫ（０）とＨＡＲＱ−ＡＣＫ（１）とＨＡＲＱ−ＡＣＫ（２）およびＨＡＲＱ−ＡＣＫ（３）の内容の組み合わせのそれぞれに対し、４つのＰＤＳＣＨ送信（あるいはＳＰＳリリースを示すＰＤＣＣＨ／ＥＰＤＣＣＨ送信）に対応するＰＵＣＣＨリソースであるｎ（１）ＰＵＣＣＨ，０とｎ（１）ＰＵＣＣＨ，１とｎ（１）ＰＵＣＣＨ，２およびｎ（１）ＰＵＣＣＨ，３のうち、いずれのＰＵＣＣＨリソースを選択されたＰＵＣＣＨリソースであるｎ（１）ＰＵＣＣＨとして用いるか、およびｎ（１）ＰＵＣＣＨにおいて送信される２ビットｂ（０）およびｂ（１）の値とが、一意に対応する対応表である。なお、ＨＡＲＱ−ＡＣＫ（０）とＨＡＲＱ−ＡＣＫ（１）とＨＡＲＱ−ＡＣＫ（２）およびＨＡＲＱ−ＡＣＫ（３）がともにＤＴＸの場合は、ＨＡＲＱ−ＡＣＫの送信を行わない。
第４対応関係は、２つのＰＤＳＣＨ送信（あるいはＳＰＳリリースを示すＰＤＣＣＨ／ＥＰＤＣＣＨ送信）に対応する２つのＨＡＲＱ−ＡＣＫであるＨＡＲＱ−ＡＣＫ（０）およびＨＡＲＱ−ＡＣＫ（１）の内容の組み合わせのそれぞれに対し、２つのＰＤＳＣＨ送信（あるいはＳＰＳリリースを示すＰＤＣＣＨ／ＥＰＤＣＣＨ送信）に対応するＰＵＣＣＨリソースであるｎ（１）ＰＵＣＣＨ，０およびｎ（１）ＰＵＣＣＨ，１のうち、いずれのＰＵＣＣＨリソースを選択されたＰＵＣＣＨリソースであるｎ（１）ＰＵＣＣＨとして用いるか、およびｎ（１）ＰＵＣＣＨにおいて送信される２ビットｂ（０）およびｂ（１）の値とが、一意に対応する対応表である。なお、ＨＡＲＱ−ＡＣＫ（０）およびＨＡＲＱ−ＡＣＫ（１）が、それぞれＤＴＸおよびＮＡＣＫ／ＤＴＸの場合は、ＨＡＲＱ−ＡＣＫの送信を行わない。
第５対応関係は、３つのＰＤＳＣＨ送信（あるいはＳＰＳリリースを示すＰＤＣＣＨ／ＥＰＤＣＣＨ送信）に対応する３つのＨＡＲＱ−ＡＣＫであるＨＡＲＱ−ＡＣＫ（０）とＨＡＲＱ−ＡＣＫ（１）およびＨＡＲＱ−ＡＣＫ（２）の内容の組み合わせのそれぞれに対し、３つのＰＤＳＣＨ送信（あるいはＳＰＳリリースを示すＰＤＣＣＨ／ＥＰＤＣＣＨ送信）に対応するＰＵＣＣＨリソースであるｎ（１）ＰＵＣＣＨ，０とｎ（１）ＰＵＣＣＨ，１およびｎ（１）ＰＵＣＣＨ，２のうち、いずれのＰＵＣＣＨリソースを選択されたＰＵＣＣＨリソースであるｎ（１）ＰＵＣＣＨとして用いるか、およびｎ（１）ＰＵＣＣＨにおいて送信される２ビットｂ（０）およびｂ（１）の値とが、一意に対応する対応表である。なお、ＨＡＲＱ−ＡＣＫ（０）とＨＡＲＱ−ＡＣＫ（１）およびＨＡＲＱ−ＡＣＫ（２）が、それぞれＤＴＸとＮＡＣＫ／ＤＴＸおよびＮＡＣＫ／ＤＴＸの場合は、ＨＡＲＱ−ＡＣＫの送信を行わない。
第６対応関係は、４つのＰＤＳＣＨ送信（あるいはＳＰＳリリースを示すＰＤＣＣＨ／ＥＰＤＣＣＨ送信）に対応する４つのＨＡＲＱ−ＡＣＫであるＨＡＲＱ−ＡＣＫ（０）とＨＡＲＱ−ＡＣＫ（１）とＨＡＲＱ−ＡＣＫ（２）およびＨＡＲＱ−ＡＣＫ（３）の内容の組み合わせのそれぞれに対し、４つのＰＤＳＣＨ送信（あるいはＳＰＳリリースを示すＰＤＣＣＨ／ＥＰＤＣＣＨ送信）に対応するＰＵＣＣＨリソースであるｎ（１）ＰＵＣＣＨ，０とｎ（１）ＰＵＣＣＨ，１とｎ（１）ＰＵＣＣＨ，２およびｎ（１）ＰＵＣＣＨ，３のうち、いずれのＰＵＣＣＨリソースを選択されたＰＵＣＣＨリソースであるｎ（１）ＰＵＣＣＨとして用いるか、およびｎ（１）ＰＵＣＣＨにおいて送信される２ビットｂ（０）およびｂ（１）の値とが、一意に対応する対応表である。なお、ＨＡＲＱ−ＡＣＫ（０）とＨＡＲＱ−ＡＣＫ（１）とＨＡＲＱ−ＡＣＫ（２）およびＨＡＲＱ−ＡＣＫ（３）が、それぞれＤＴＸとＮＡＣＫ／ＤＴＸとＮＡＣＫ／ＤＴＸおよびＮＡＣＫ／ＤＴＸの場合は、ＨＡＲＱ−ＡＣＫの送信を行わない。
【０４４８】
選択された対応関係のセットに対して、端末装置はＰＵＣＣＨフォーマット１ｂを用いて、アンテナポートｐにおけるサブフレームｎのリソースであるｎ（１，ｐ）ＰＵＣＣＨでｂ（０）とｂ（１）を送信する。ここで、アンテナポートｐ０およびｂ（０）とｂ（１）の値に対して、ｎ（１，ｐ）ＰＵＣＣＨ＝ｎ（１）ＰＵＣＣＨであり、ＰＵＣＣＨリソースｎ（１）ＰＵＣＣＨは、それぞれＭ＝２、３および４における選択されたテーブルのセットに基づいて、チャネル選択により生成される。なお、Ｍ＝２、３および４は、それぞれ２つ、３つおよび４つのＰＤＳＣＨ送信（あるいはＳＰＳリリースを示すＰＤＣＣＨ／ＥＰＤＣＣＨ送信）を意味している。また、端末装置にチャネル選択のＰＵＣＣＨフォーマット１ｂに対して２つのアンテナポート送信が設定されているとき、アンテナポートｐ１に対してｎ（１，ｐ１）ＰＵＣＣＨである。ここで、ｎ（１，ｐ１）ＰＵＣＣＨは、ｎ（１）ＰＵＣＣＨをｎ（１，ｐ１）ＰＵＣＣＨに置き換え、ｎ（１）ＰＵＣＣＨ，ｉをｎ（１、ｐ１）ＰＵＣＣＨ，ｉに置き換えることによって、それぞれＭ＝２、３および４における選択された対応関係のセットに基づいて、上位層により設定されたＰＵＣＣＨリソースであるｎ（１，ｐ１）ＰＵＣＣＨ，ｉ（ただし、０≦ｉ≦Ｍ−１）から選択される。
【０４４９】
次に、２つ以上のサービングセルが設定されている場合に対するＴＤＤのＨＡＲＱ−ＡＣＫの手続きについて説明する。
【０４５０】
２つ以上の設定されたサービングセルに対するＴＤＤのＨＡＲＱ−ＡＣＫフィードバック手続きは、チャネル選択のＰＵＣＣＨフォーマット１ｂの手続きあるいはＰＵＣＣＨフォーマット３の手続きのいずれかに基づく。ＰＵＣＣＨフォーマット３かつ２つ以上の設定されたサービングセルのＴＤＤに対して、２つのアンテナポート（アンテナポートｐとしてｐ０とｐ１）におけるＨＡＲＱ−ＡＣＫ送信がサポートされる。チャネル選択のＰＵＣＣＨフォーマット１ｂかつ２つの設定されたサービングセルのＴＤＤに対して、２つのアンテナポートにおけるＨＡＲＱ−ＡＣＫ送信がサポートされる。
【０４５１】
端末装置に２つ以上のサービングセルが設定されており、かつすべてのサービングセルのＴＤＤのＵＬ／ＤＬ設定が同じである場合、ＰＵＣＣＨフォーマット３でのＴＤＤのＵＬ／ＤＬ設定５は、２つまでの設定されたサービングセルに対してのみサポートされる。端末装置に２つのサービングセルが設定されており、かつすべてのサービングセルのＴＤＤのＵＬ／ＤＬ設定が同じである場合、２つの設定されたサービングセルに対して、チャネル選択のＰＵＣＣＨフォーマット１ｂでのＴＤＤのＵＬ／ＤＬ設定５はサポートされない。端末装置に２つのサービングセルが設定されており、かつその２つのサービングセルのＴＤＤのＵＬ／ＤＬ設定が同じではない（ＴＤＤのＵＬ／ＤＬ設定が異なる）場合で、少なくとも１つのサービングセルにおける下りリンク参照ＵＬ／ＤＬ設定がＴＤＤのＵＬ／ＤＬ設定５である場合、チャネル選択のＰＵＣＣＨフォーマット１ｂはサポートされない。
【０４５２】
次に、２つのサービングセルが設定されている場合に対する、チャネル選択のＰＵＣＣＨフォーマット１ｂによるＴＤＤのＨＡＲＱ−ＡＣＫの手続きについて説明する。
【０４５３】
もし端末装置に、同じＵＬ／ＤＬ設定の２つのサービングセルが設定されているなら、その場合は、ＭはセットＫのサブフレームｎに対する要素の数であり、Ｍｐｒｉｍａｒｙ＝Ｍである。もし端末装置に、異なるＵＬ／ＤＬ設定の２つのサービングセルが設定されているなら、その場合は、その端末装置はＭ＝ｍａｘ（Ｍｐｒｉｍａｒｙ，Ｍｓｅｃｏｎｄａｒｙ）として、サブフレームｎに対するＭを決定する。ここで、ＭｐｒｉｍａｒｙはプライマリセルのＴＤＤのＵＬ／ＤＬ設定におけるセットＫのサブフレームｎに対する要素の数であり、Ｍｓｅｃｏｎｄａｒｙはセカンダリセル（セカンダリサービングセル）のＴＤＤのＵＬ／ＤＬ設定におけるセットＫｃのサブフレームｎに対する要素の数である。さらに、もしＭｓｅｃｏｎｄａｒｙ＜Ｍならば、その場合は、端末装置はそのセカンダリセルにおいて、ＨＡＲＱ−ＡＣＫ（ｊ）に、ｊ＝ＭｓｅｃｏｎｄａｒｙからＭ−１に対して、ＤＴＸをセットする。一方、もしＭｐｒｉｍａｒｙ＜Ｍならば、その場合は、端末装置はそのプライマリセルセルにおいて、ＨＡＲＱ−ＡＣＫ（ｊ）に、ｊ＝ＭｐｒｉｍａｒｙからＭ−１に対して、ＤＴＸをセットする。
【０４５４】
もし、端末装置に異なるＵＬ／ＤＬ設定の２つのサービングセルが設定されているなら、その場合は、下記の説明のＫはＫｃであるものとすることができる。ただし、Ｋｃは、ＵＬ／ＤＬ設定として、プライマリセルのＵＬ／ＤＬ設定とセカンダリセルのＵＬ／ＤＬ設定の組み合わせから決まる下りリンク参照ＵＬ／ＤＬ設定を参照した場合のサブフレームｎに関連する下りリンク関連セット（サブフレームｎに関連する下りリンクサブフレームあるいはスペシャルサブフレーム）に対応するサブフレームｎ−ｋとなるようなｋの集合である。なお、基地局装置が動的にＵＬ／ＤＬ設定を設定できるシステムにおいては、下りリンク参照ＵＬ／ＤＬ設定はＲＲＣメッセージを介して設定されてもよい。
【０４５５】
チャネル選択のＰＵＣＣＨフォーマット１ｂのＴＤＤのＨＡＲＱ−ＡＣＫ多重で、２つの設定されたサービングセルで、かつＭ＝１の１つのサブフレームｎに対して、端末装置は設定されたサービングセルの数と、それぞれのサービングセルに対して設定された下りリンク送信モードとに基づいて、ＨＡＲＱ−ＡＣＫビット数ｏを決定する。端末装置は、２つまでのトランスポートブロックをサポートする下りリンク送信モードが設定されているサービングセルに対しては２ビットのＨＡＲＱ−ＡＣＫビットを用い、それ以外の場合（１つのトランスポートブロックのみをサポートする下りリンク送信モードが設定されているサービングセルに対して）は１ビットのＨＡＲＱ−ＡＣＫビットを用いる。
【０４５６】
チャネル選択のＰＵＣＣＨフォーマット１ｂのＴＤＤのＨＡＲＱ−ＡＣＫ多重で、２つの設定されたサービングセルで、かつＭ≦２の１つのサブフレームｎに対して、端末装置はＰＵＣＣＨフォーマット１ｂを用いてアンテナポートｐに対してＰＵＣＣＨリソースｎ（１、ｐ）ＰＵＣＣＨでＨＡＲＱ−ＡＣＫビットであるｂ（０）およびｂ（１）を送信する。ここで、アンテナポートｐにおけるサブフレームｎのリソースであるｎ（１，ｐ）ＰＵＣＣＨでｂ（０）とｂ（１）を送信する。ここで、アンテナポートｐ０に対して、ｎ（１，ｐ）ＰＵＣＣＨ＝ｎ（１）ＰＵＣＣＨであり、ＰＵＣＣＨリソースｎ（１）ＰＵＣＣＨは、Ａ個のＰＵＣＣＨリソースｎ（１）ＰＵＣＣＨ，ｊ（ただし、０≦ｊ≦Ａ−１、かつＡは｛２、３、４｝の集合）から、ＰＵＣＣＨフォーマット１ｂを用いるサブフレームにおける第４対応関係、第５対応関係および第６対応関係に基づいて選択される。なお、Ａ＝２、３および４は、それぞれ全ＰＤＳＣＨ送信（あるいはＳＰＳリリースを示すＰＤＣＣＨ／ＥＰＤＣＣＨ送信）のうちの２つ、３つおよび４つのＰＤＳＣＨ送信（あるいはＳＰＳリリースを示すＰＤＣＣＨ／ＥＰＤＣＣＨ送信）を意味している。また、端末装置にチャネル選択のＰＵＣＣＨフォーマット１ｂに対して２つのアンテナポート送信が設定されているとき、アンテナポートｐ１に対してｎ（１，ｐ１）ＰＵＣＣＨである。ここで、ｎ（１，ｐ１）ＰＵＣＣＨは、ｎ（１）ＰＵＣＣＨをｎ（１、ｐ１）ＰＵＣＣＨに置き換え、ｎ（１）ＰＵＣＣＨ，ｉをｎ（１，ｐ１）ＰＵＣＣＨ，ｉに置き換えることによって、第４対応関係、第５対応関係および第６対応関係に基づいて、上位層により設定されたＡ個のＰＵＣＣＨリソースであるｎ（１，ｐ１）ＰＵＣＣＨ、ｉ（ただし、０≦ｊ≦Ａ−１）から選択される。また、Ｍ＝１であるサブフレームｎに対して、ＨＡＲＱ−ＡＣＫ（ｊ）は、サービングセルに関連する１つのトランスポートブロックあるいはＳＰＳリリースのＰＤＣＣＨ／ＥＰＤＣＣＨに対するＡＣＫ／ＮＡＣＫ／ＤＴＸレスポンスを示している。ここで、ＨＡＲＱ−ＡＣＫ（ｊ）に対するそのトランスポートブロックおよびサービングセルおよびＡ個のＰＵＣＣＨリソースは次の対応関係（サブフレームからＨＡＲＱ−ＡＣＫへの第１の対応関係）にある。すなわち、Ａ＝２の場合、ＨＡＲＱ−ＡＣＫ（０）およびＨＡＲＱ−ＡＣＫ（１）がそれぞれプライマリセルのトランスポートブロック１およびセカンダリセルのトランスポートブロック１に対応し、Ａ＝３の場合、ＨＡＲＱ−ＡＣＫ（０）とＨＡＲＱ−ＡＣＫ（１）およびＨＡＲＱ−ＡＣＫ（２）がそれぞれサービングセル１のトランスポートブロック１とサービングセル１のトランスポートブロック２およびサービングセル２のトランスポートブロック１に対応し、Ａ＝４の場合、ＨＡＲＱ−ＡＣＫ（０）とＨＡＲＱ−ＡＣＫ（１）とＨＡＲＱ−ＡＣＫ（２）およびＨＡＲＱ−ＡＣＫ（３）がそれぞれプライマリセルのトランスポートブロック１とプライマリセルのトランスポートブロック２とセカンダリセルのトランスポートブロック１およびセカンダリセルのトランスポートブロック２に対応する。また、Ｍ＝２であるサブフレームｎに対して、ＨＡＲＱ−ＡＣＫ（ｊ）は、それぞれのサービングセルにおけるセットＫ（下りリンク関連セット）によって与えられるサブフレーム内における関連する１つのＰＤＳＣＨ送信あるいはＳＰＳリリースのＰＤＣＣＨ／ＥＰＤＣＣＨに対するＡＣＫ／ＮＡＣＫ／ＤＴＸレスポンスを示している。ここで、ＨＡＲＱ−ＡＣＫ（ｊ）に対するそれぞれのサービングセルにおけるサブフレームとおよびサービングセルおよびＡ個のＰＵＣＣＨリソースは次の対応関係（サブフレームからＨＡＲＱ−ＡＣＫへの第２の対応関係）にある。すなわち、ＨＡＲＱ−ＡＣＫ（０）とＨＡＲＱ−ＡＣＫ（１）とＨＡＲＱ−ＡＣＫ（２）およびＨＡＲＱ−ＡＣＫ（３）は、それぞれプライマリセルの１つ目のサブフレームとプライマリセルの２つ目のサブフレームとセカンダリセルの１つ目のサブフレームおよびセカンダリセルの２つ目のサブフレームに対応する。端末装置は、Ｍ＝１の場合はサブフレームからＨＡＲＱ−ＡＣＫへの第１の対応関係において、Ｍ＝２の場合はサブフレームからＨＡＲＱ−ＡＣＫへの第２の対応関係において、ＨＡＲＱ−ＡＣＫ（ｊ）（ただし０≦ｊ≦Ａ−１）に関連するＡ個のＰＵＣＣＨリソースｎ（１）ＰＵＣＣＨ，ｉを決定する。ＰＵＣＣＨリソースｎ（１）ＰＵＣＣＨ，ｉの決定は、以下に基づいて行われる。
【０４５７】
サブフレームｎ−ｋｍ（ここでｋｍはプライマリセルにおけるＫの１つ以上の要素）において、対応するＰＤＣＣＨの検出によって示されるＰＤＳＣＨ送信に対して、あるいはプライマリセルにおけるサブフレームｎ−ｋｍ（ここでｋｍはＫの１つ以上の要素）において、下りリンクＳＰＳリリースを示すＰＤＣＣＨに対して、ＰＵＣＣＨリソースは、ｎ（１）ＰＵＣＣＨ，ｊ＝（Ｍｐｒｉｍａｒｙ−ｍ−１）Ｎｃ＋ｍＮｃ＋１＋ｎＣＣＥ，ｍ＋Ｎ（１）ＰＵＣＣＨである。ここで、ｃは｛０、１、２、３｝の中からＮｃ≦ｎＣＣＥ≦Ｎｃ＋１かつＮｃ＝ｍａｘ｛０，ｆｌｏｏｒ（（ＮＤＬＲＢ（ＮＲＢＳＣｃ−４））／３６）｝となるものが選択され、ＮＤＬＲＢはプライマリセルから決まる。対応するＰＤＳＣＨ送信が生じるサービングセルにおいてＭ＝１のサブフレームｎかつ２つまでのトランスポートブロックをサポートする送信モードに対して、ＰＵＣＣＨリソースｎ（１）ＰＵＣＣＨ，ｊ＋１はｎ（１）ＰＵＣＣＨ，ｊ＋１＝（Ｍｐｒｉｍａｒｙ−ｍ−１）Ｎｃ＋ｍＮｃ＋１＋ｎＣＣＥ，ｍ＋１＋Ｎ（１）ＰＵＣＣＨで与えられる。ここで、ｎＣＣＥ，ｍは対応するＤＣＩアサインメントの送信に用いられる最初のＣＣＥの番号であり、Ｎ（１）ＰＵＣＣＨは上位層によって設定される。
【０４５８】
サブフレームｎ−ｋ（ここでｋはＫの１つ以上の要素）において検出された、対応するＰＤＣＣＨ／ＥＰＤＣＣＨが無いプライマリセルにおけるＰＤＳＣＨ送信に対して、ｎ（１）ＰＵＣＣＨ，ｊの値は上位層の設定と、ＰＵＣＣＨに対するＴＰＣコマンドフィールドの値と上位層で設定されたｎ（１）ＰＵＣＣＨの値との関係テーブルに基づいて決まる。
【０４５９】
サブフレームｎ−ｋｍ（ここでｋｍはプライマリセルにおけるＫの１つ以上の要素）における、対応するＥＰＤＣＣＨの検出によって示されるＰＤＳＣＨ送信、あるいは下りリンクＳＰＳリリースを示すＥＰＤＣＣＨに対して、ＰＵＣＣＨリソースｎ（１）ＰＵＣＣＨ，ｊは下記のように与えられる。
もしＥＰＤＣＣＨ−ＰＲＢセットｑに分散的送信が設定されている場合、ｎ（１）ＰＵＣＣＨ，ｊは数２で求められる。
もしＥＰＤＣＣＨ−ＰＲＢセットｑに局所的送信が設定されている場合、ｎ（１）ＰＵＣＣＨ，ｊは数３で求められる。
ここで、ｎＥＣＣＥ，ｑはサブフレームｎーｋｍにおけるＥＰＤＣＣＨ−ＰＲＢセットｑ内の対応するＤＣＩアサインメントの送信のために用いられる最初のＣＣＥの番号（つまり、そのＥＰＤＣＣＨを構成するために用いられる最も低いＥＣＣＥインデクス）であり、ＥＰＤＣＣＨ−ＰＲＢセットｑにおけるＮ（ｅ１）ＰＵＣＣＨ，ｑは、上位層パラメータであるｐｕｃｃｈ−ＲｅｓｏｕｒｃｅＳｔａｒｔＯｆｆｓｅｔ−ｒ１１によって設定され、サブフレームｎ−ｋｍにおけるＥＰＤＣＣＨ−ＰＲＢセットｑに対するＮＥＣＣＥ，ｑＲＢは上述のＮＲＢＥＣＣＥと同義であるＰＲＢペアあたりのＥＣＣＥの数である。また、上述したように、ｎ’はサブフレームｎ−ｋｍにおいてＥＰＤＣＣＨ送信のために用いられたアンテナポートから決まる。もしｍ＝０なら、図３２で与えられるようにして、ΔＡＲＯは対応するＥＰＤＣＣＨＤＣＩフォーマットにおけるＨＡＲＱ−ＡＣＫリソースオフセットフィールドから決定される。もしｍ＞０なら、図３３で与えられるようにして、ΔＡＲＯは対応するＥＰＤＣＣＨＤＣＩフォーマットにおけるＨＡＲＱ−ＡＣＫリソースオフセットフィールドから決定される。もし端末装置に、サブフレームｎ−ｋｉ１においてＥＰＤＣＣＨをモニタすることが設定されている場合、ＮＥＣＣＥ，ｑ，ｎ−ｋｉ１はサブフレームｎ−ｋｉ１においてその端末装置に設定されるＥＰＤＣＣＨ−ＰＲＢセットｑにおけるＥＣＣＥの数に等しい。もし端末装置に、サブフレームｎ−ｋｉ１においてＥＰＤＣＣＨをモニタすることが設定されていない場合、ＮＥＣＣＥ，ｑ，ｎ−ｋｉ１はサブフレームｎ−ｋｉ１においてその端末装置に設定されるＥＰＤＣＣＨ−ＰＲＢセットｑが設定されていると仮定して計算されるＥＣＣＥの数に等しい。通常のＣＰにおいて、もしサブフレームｎ−ｋｉ１がスペシャルサブフレーム設定０または５のスペシャルサブフレームである場合、ＮＥＣＣＥ、ｑ、ｎ−ｋｉ１は０に等しい。拡張のＣＰにおいて、もしサブフレームｎ−ｋｉ１がスペシャルサブフレーム設定０または４または７のスペシャルサブフレームである場合、ＮＥＣＣＥ，ｑ，ｎ−ｋｉ１は０に等しい。対応するＰＤＳＣＨ送信が生じるサービングセルにおいてＭ＝１のサブフレームｎかつ２つまでのトランスポートブロックをサポートする送信モードに対して、ＰＵＣＣＨリソースｎ（１）ＰＵＣＣＨ，ｊ＋１は次のように与えられる。
もしＥＰＤＣＣＨ−ＰＲＢセットｑに分散的送信が設定されている場合、ｎ（１）ＰＵＣＣＨ，ｊ＋１は数２に１を加算して求められる。
もしＥＰＤＣＣＨ−ＰＲＢセットｑに局所的送信が設定されている場合、ｎ（１）ＰＵＣＣＨ，ｊ＋１は数３に１を加算して求められる。
【０４６０】
これは、インプリシットなＰＵＣＣＨリソースを規定するに際し、通常のＣＰにおけるスペシャルサブフレーム設定０または５、あるいは拡張のＣＰにおけるスペシャルサブフレーム設定０または４または７は、ＤｗＰＴＳを構成するＯＦＤＭシンボル数が５個以下であるサブフレーム（１つのＰＲＢ中でＥＰＤＣＣＨ送信のためのＲＥ数が所定数より少なく、ＥＰＤＣＣＨ送信のために十分なＲＥ数が無いサブフレーム）である場合に、このサブフレームに対応するＰＵＣＣＨリソースをリザーブしない（このサブフレームに対応するＰＵＣＣＨリソース数を０と想定する）ことを意味している。これにより、上りリンクのリソースを効率的に利用することができる。なお、この想定は、ＥＰＤＣＣＨ送信に基づくＰＵＣＣＨリソースの規定（ＯＦＤＭシンボルベースのブロックインタリーブが適用されないインプリシットなＰＵＣＣＨリソースの規定）で用いられ、ＰＤＣＣＨ送信に基づくＰＵＣＣＨリソースの規定においては、これらのサブフレームに対応するＰＵＣＣＨリソースもリザーブされ、その他のサブフレームと区別されることなくＯＦＤＭシンボルベースのブロックインタリーブが適用される。
【０４６１】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。すなわち、通常のＣＰにおいて、もしサブフレームｎ−ｋｉ１がスペシャルサブフレーム設定０または５の下りリンク参照ＵＬ／ＤＬ設定におけるスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７の下りリンク参照ＵＬ／ＤＬ設定におけるスペシャルサブフレームである場合、ＮＥＣＣＥ，ｑ，ｎ−ｋｉ１は０に等しい。アンテナポートｐ１に対するＰＵＣＣＨリソースは下記により与えられる。ＵＬ参照ＵＬ／ＤＬ設定ではなくＤＬ参照ＵＬ／ＤＬ設定に基づくことにより、ＰＤＳＣＨが送信され得るスペシャルサブフレームに対するＰＵＣＣＨリソースをリザーブすることができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのＰＵＣＣＨリソースをリザーブするか（あるいは、しないか）が検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０４６２】
サブフレームｎ−ｋ（ここでｋはセカンダリセルのＫの１つ以上の要素）における対応するＰＤＣＣＨ／ＥＰＤＣＣＨの検出によって示されるＰＤＳＣＨ送信に対して、Ｍ＝２のサブフレームｎあるいはＭ＝１のサブフレームｎであって、かつ２つまでのトランスポートブロックをサポートするセカンダリセルにおける送信モードに対して、ｎ（１）ＰＵＣＣＨ，ｊの値とｎ（１）ＰＵＣＣＨ，ｊ＋１の値は上位層の設定と、ＰＵＣＣＨに対するＴＰＣコマンドフィールドの値と上位層で設定されたｎ（１）ＰＵＣＣＨの値との関係テーブルに基づいて決まる。対応するＰＤＣＣＨ／ＥＰＤＣＣＨのＤＣＩフォーマットにおけるそのＴＰＣフィールドは、上位層によって設定された４つのリソースの値の１つからＰＵＣＣＨリソースの値を決定するために用いられる。２つまでのトランスポートブロックをサポートするセカンダリセルにおける送信モードが設定されている端末装置かつＭ＝１のサブフレームｎ、あるいはＭ＝２のサブフレームに対して、関係テーブルにおけるＰＵＣＣＨリソースの値は、２つのＰＵＣＣＨリソースであるｎ（１）ＰＵＣＣＨ，ｊとｎ（１）ＰＵＣＣＨ，ｊ＋１にマップし、それ以外の場合はＰＵＣＣＨリソースの値は単一のＰＵＣＣＨリソースｎ（１）ＰＵＣＣＨ，ｊにマップする。端末装置は、サブフレームｎ−ｋ（ここでｋはセカンダリセルのＫの１つ以上の要素）内で、セカンダリセルにおけるすべてのＰＤＣＣＨ／ＥＰＤＣＣＨアサインメントのＴＰＣフィールドで、同じＨＡＲＱ−ＡＣＫのＰＵＣＣＨリソースの値が送信されるとものとして処理を行う。このようにして、セカンダリセルにおけるＰＤＳＣＨ送信に対して準定常的にＰＵＣＣＨリソースを用いることができる。この準定常的なＰＵＣＣＨリソースは、動的なＰＵＣＣＨリソースとは別の領域に確保しておくことにより、基地局装置が動的なＰＵＣＣＨリソースをスケジューリングする際に、スケジューリングの負荷を低減することができる。
【０４６３】
次に、チャネル選択のＰＵＣＣＨフォーマット１ｂのＴＤＤのＨＡＲＱ−ＡＣＫ多重、かつＭ＞２のサブフレームｎ、かつ２つの設定されたサービングセルに対して、ｎ（１）ＰＵＣＣＨ，ｉ（ただし０≦ｊ≦３）は、上りリンクサブフレームｎと関連するＭ個の下りリンクサブフレームにおける送信から得られたＰＵＣＣＨリソースとして示される。ｎ（１）ＰＵＣＣＨ，０とｎ（１）ＰＵＣＣＨ，１は、プライマリセルにおけるＰＤＳＣＨ送信あるいは下りリンクＳＰＳリリースを示すＰＤＣＣＨ／ＥＰＤＣＣＨ送信に関連し、ｎ（１）ＰＵＣＣＨ，０とｎ（１）ＰＵＣＣＨ，１は、セカンダリセルにおけるＰＤＳＣＨ送信に関連する。
【０４６４】
このとき、プライマリセルに対しては、以下の処理が行われる。
【０４６５】
サブフレームｎ−ｋ（ここでｋはＫの１つ以上の要素）において検出された対応するＰＤＣＣＨ／ＥＰＤＣＣＨが無いプライマリセルにおけるＰＤＳＣＨ送信に対して、次のようにＰＵＣＣＨリソースが決定される。
【０４６６】
ｎ（１）ＰＵＣＣＨ，０の値は上位層の設定と、ＰＵＣＣＨに対するＴＰＣコマンドフィールドの値と上位層で設定されたｎ（１）ＰＵＣＣＨの値との関係テーブルに基づいて決まる。
【０４６７】
サブフレームｎ−ｋｍ（ここでｋｍはＫの、ＰＤＣＣＨ中のＤＡＩ（Ｄｏｗｎｌｉｎｋ  Ａｓｓｉｇｎｍｅｎｔ  Ｉｎｄｅｘ）の値が１に等しい要素）における対応するＰＤＣＣＨの検出によって示されるプライマリセルにおけるＰＤＳＣＨ送信、あるいはサブフレームｎ−ｋｍ（ここでｋｍはＫの、ＰＤＣＣＨ中のＤＡＩの値が１に等しい要素）における下りリンクＳＰＳリリースを示すＰＤＣＣＨに対して、ＰＵＣＣＨリソースｎ（１）ＰＵＣＣＨ，１は、ｎ（１）ＰＵＣＣＨ，１＝（Ｍｐｒｉｍａｒｙ−ｍ−１）Ｎｃ＋ｍＮｃ＋１＋ｎＣＣＥ，ｍ＋Ｎ（１）ＰＵＣＣＨである。ここでｃは｛０、１、２、３｝の中からＮｃ≦ｎＣＣＥ≦Ｎｃ＋１かつＮｃ＝ｍａｘ｛０，ｆｌｏｏｒ（（ＮＤＬＲＢ（ＮＲＢＳＣｃ−４））／３６）｝となるものが選択され、ｎＣＣＥ，ｍはサブフレームｎ−ｋｍにおける対応するＰＤＣＣＨの送信に用いられる最初のＣＣＥの番号であり、Ｎ（１）ＰＵＣＣＨは上位層によって設定される。ここで、ＤＡＩとは、ＤＣＩフォーマット内のＤＡＩフィールドによって示される値であり、下りリンク関連セットの中で、ＰＤＳＣＨ送信あるいは下りリンクＳＰＳリリースを示すＰＤＣＣＨ／ＥＰＤＣＣＨが送信を伴うサブフレーム数（そのＤＡＩを有するＰＤＣＣＨ／ＥＰＤＣＣＨに関連する送信を含む）を示す。つまり、ＤＡＩの値が１であることは、そのＤＡＩを有するＰＤＣＣＨ／ＥＰＤＣＣＨの検出によって示されるＰＤＳＣＨ送信、あるいはそのＤＡＩを有する下りリンクＳＰＳリリースを示すＰＤＣＣＨ／ＥＰＤＣＣＨ送信を伴う下りリンクサブフレームが、下りリンク関連セットの中で、それらを伴う最初のサブフレームであることを示す。また、ＤＡＩの値が２以上であることは、そのＤＡＩを有するＰＤＣＣＨ／ＥＰＤＣＣＨの検出によって示されるＰＤＳＣＨ送信、あるいはそのＤＡＩを有する下りリンクＳＰＳリリースを示すＰＤＣＣＨ／ＥＰＤＣＣＨ送信を伴う下りリンクサブフレームが、下りリンク関連セットの中で、それらを伴う２番目以降のサブフレームであることを示す。
【０４６８】
サブフレームｎ−ｋｍ（ここでｋｍはＫの、ＰＤＣＣＨ中のＤＡＩの値が１に等しい要素）における、対応するＥＰＤＣＣＨの検出によって示されるＰＤＳＣＨ送信、あるいはサブフレームｎ−ｋｍ（ここでｋｍはＫの、ＰＤＣＣＨ中のＤＡＩの値が１に等しい要素）における下りリンクＳＰＳリリースを示すＥＰＤＣＣＨに対して、ＰＵＣＣＨリソースｎ（１）ＰＵＣＣＨ，ｊは下記のように与えられる。
もしＥＰＤＣＣＨ−ＰＲＢセットｑに分散的送信が設定されている場合、ｎ（１）ＰＵＣＣＨ，１は数２で求められる。
もしＥＰＤＣＣＨ−ＰＲＢセットｑに局所的送信が設定されている場合、ｎ（１）ＰＵＣＣＨ，１は数３で求められる。
ここで、ｎＥＣＣＥ，ｑはサブフレームｎーｋｍにおけるＥＰＤＣＣＨ−ＰＲＢセットｑ内の対応するＤＣＩアサインメントの送信のために用いられる最初のＣＣＥの番号（つまり、そのＥＰＤＣＣＨを構成するために用いられる最も低いＥＣＣＥインデクス）であり、ＥＰＤＣＣＨ−ＰＲＢセットｑにおけるＮ（ｅ１）ＰＵＣＣＨ，ｑは、上位層パラメータであるｐｕｃｃｈ−ＲｅｓｏｕｒｃｅＳｔａｒｔＯｆｆｓｅｔ−ｒ１１によって設定され、サブフレームｎ−ｋｍにおけるＥＰＤＣＣＨ−ＰＲＢセットｑに対するＮＥＣＣＥ，ｑＲＢは上述のＮＲＢＥＣＣＥと同義であるＰＲＢペアあたりのＥＣＣＥの数である。また、上述したように、ｎ’はサブフレームｎ−ｋｍにおいてＥＰＤＣＣＨ送信のために用いられたアンテナポートから決まる。もしｍ＝０なら、図３２で与えられるようにして、ΔＡＲＯは対応するＥＰＤＣＣＨＤＣＩフォーマットにおけるＨＡＲＱ−ＡＣＫリソースオフセットフィールドから決定される。もしｍ＞０なら、図３３で与えられるようにして、ΔＡＲＯは対応するＥＰＤＣＣＨＤＣＩフォーマットにおけるＨＡＲＱ−ＡＣＫリソースオフセットフィールドから決定される。もし端末装置に、サブフレームｎ−ｋｉ１においてＥＰＤＣＣＨをモニタすることが設定されている場合、ＮＥＣＣＥ，ｑ，ｎ−ｋｉ１はサブフレームｎ−ｋｉ１においてその端末装置に設定されるＥＰＤＣＣＨ−ＰＲＢセットｑにおけるＥＣＣＥの数に等しい。もし端末装置に、サブフレームｎ−ｋｉ１においてＥＰＤＣＣＨをモニタすることが設定されていない場合、ＮＥＣＣＥ，ｑ，ｎ−ｋｉ１はサブフレームｎ−ｋｉ１においてその端末装置に設定されるＥＰＤＣＣＨ−ＰＲＢセットｑが設定されていると仮定して計算されるＥＣＣＥの数に等しい。通常のＣＰにおいて、もしサブフレームｎ−ｋｉ１がスペシャルサブフレーム設定０または５のスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７のスペシャルサブフレームである場合、ＮＥＣＣＥ，ｑ，ｎ−ｋｉ１は０に等しい。
【０４６９】
これは、インプリシットなＰＵＣＣＨリソースを規定するに際し、通常のＣＰにけるスペシャルサブフレーム設定０または５、あるいは拡張のＣＰにけるスペシャルサブフレーム設定０または４または７は、ＤｗＰＴＳを構成するＯＦＤＭシンボル数が５個以下であるサブフレーム（１つのＰＲＢ中でＥＰＤＣＣＨ送信のためのＲＥ数が所定数より少なく、ＥＰＤＣＣＨ送信のために十分なＲＥ数が無いサブフレーム）である場合に、このサブフレームに対応するＰＵＣＣＨリソースをリザーブしない（このサブフレームに対応するＰＵＣＣＨリソース数を０と想定する）ことを意味している。 
【０４７０】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。すなわち、通常のＣＰにおいて、もしサブフレームｎ−ｋｉ１がスペシャルサブフレーム設定０または５の下りリンク参照ＵＬ／ＤＬ設定におけるスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７の下りリンク参照ＵＬ／ＤＬ設定におけるスペシャルサブフレームである場合、ＮＥＣＣＥ，ｑ，ｎ−ｋｉ１は０に等しい。アンテナポートｐ１に対するＰＵＣＣＨリソースは下記により与えられる。ＵＬ参照ＵＬ／ＤＬ設定ではなくＤＬ参照ＵＬ／ＤＬ設定に基づくことにより、ＰＤＳＣＨが送信され得るスペシャルサブフレームに対するＰＵＣＣＨリソースをリザーブすることができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのＰＵＣＣＨリソースをリザーブするか（あるいは、しないか）が検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０４７１】
ＨＡＲＱ−ＡＣＫ（０）は対応するＰＤＣＣＨ／ＥＰＤＣＣＨのないＰＤＳＣＨ送信に対するＡＣＫ／ＮＡＣＫ／ＤＴＸレスポンスである。１≦ｊ≦Ｍ−１に対して、もし対応するＰＤＣＣＨ／ＥＰＤＣＣＨを伴うＰＤＳＣＨ送信で、かつそのＰＤＣＣＨ／ＥＰＤＣＣＨ内のＤＡＩの値がｊに等しいＰＤＳＣＨ送信、あるいは下りリンクＳＰＳを示すＰＤＣＣＨ／ＥＰＤＣＣＨで、かつそのＰＤＣＣＨ／ＥＰＤＣＣＨ内のＤＡＩの値がｊに等しいＰＤＣＣＨ／ＥＰＤＣＣＨが受信された場合、ＨＡＲＱ−ＡＣＫ（ｊ）はそれに対応するＡＣＫ／ＮＡＣＫ／ＤＴＸレスポンスであり、それ以外の場合は、ＨＡＲＱ−ＡＣＫ（ｊ）はＤＴＸにセットされる。
【０４７２】
それ以外の場合、つまり、サブフレームｎ−ｋ（ここでｋはＫの１つ以上の要素）において検出された対応するＰＤＣＣＨ／ＥＰＤＣＣＨが無いプライマリセルにおけるＰＤＳＣＨ送信ではない場合は、次のようにＰＵＣＣＨリソースが決定される。
【０４７３】
サブフレームｎ−ｋｍ（ここでｋｍはＫの要素）における対応するＰＤＣＣＨの検出によって示されるプライマリセルにおけるＰＤＳＣＨ送信で、プライマリセルにおけるＴＤＤのＵＬ／ＤＬ設定が｛１、２、３、４、６｝に属しており、かつそのＰＤＣＣＨ中のＤＡＩ値が１か２のいずれかに等しいＰＤＳＣＨに対して、あるいはサブフレームｎ−ｋｍ（ここでｋｍはＫの要素）における下りリンクＳＰＳリリースを示すＰＤＣＣＨ送信で、プライマリセルにおけるＴＤＤのＵＬ／ＤＬ設定が｛１、２、３、４、６｝に属しており、かつそのＰＤＣＣＨ中のＤＡＩ値が１か２のいずれかに等しいＰＤＣＣＨに対して、ＰＵＣＣＨリソースｎ（１）ＰＵＣＣＨ，ｉは、ｎ（１）ＰＵＣＣＨ，ｉ＝（Ｍｐｒｉｍａｒｙ−ｍ−１）Ｎｃ＋ｍＮｃ＋１＋ｎＣＣＥ，ｍ＋Ｎ（１）ＰＵＣＣＨである。ここでｃは｛０、１、２、３｝の中からＮｃ≦ｎＣＣＥ≦Ｎｃ＋１かつＮｃ＝ｍａｘ｛０，ｆｌｏｏｒ（（ＮＤＬＲＢ（ＮＲＢＳＣｃ−４））／３６）｝となるものが選択され、ｎＣＣＥ，ｍはサブフレームｎ−ｋｍにおける対応するＰＤＣＣＨの送信に用いられる最初のＣＣＥの番号であり、Ｎ（１）ＰＵＣＣＨは上位層によって設定される。また、｛１、２、３、４、６｝に属するＴＤＤのＵＬ／ＤＬ設定のプライマリセルにおいて、ＤＡＩ値が１に等しい対応するＥＰＤＣＣＨに対してはｉ＝０であり、ＤＡＩ値が２に等しい対応するＥＰＤＣＣＨに対してはｉ＝１である。また、ＴＤＤのＵＬ／ＤＬ設定５のプライマリセルにおいて、対応するＥＰＤＣＣＨに対してｉ＝０である。
【０４７４】
サブフレームｎ−ｋｍ（ここでｋｍはＫの要素）における対応するＥＰＤＣＣＨの検出によって示されるプライマリセルにおけるＰＤＳＣＨ送信で、プライマリセルにおけるＴＤＤのＵＬ／ＤＬ設定が｛１、２、３、４、６｝に属しており、かつそのＥＰＤＣＣＨ中のＤＡＩ値が１か２のいずれかに等しいＰＤＳＣＨに対して、あるいはサブフレームｎ−ｋｍ（ここでｋｍはＫの要素）における下りリンクＳＰＳリリースを示すＥＰＤＣＣＨ送信で、プライマリセルにおけるＴＤＤのＵＬ／ＤＬ設定が｛１、２、３、４、６｝に属しており、かつそのＥＰＤＣＣＨ中のＤＡＩ値が１か２のいずれかに等しいＥＰＤＣＣＨに対して、ＰＵＣＣＨリソースｎ（１）ＰＵＣＣＨ，ｊは下記のように与えられる。
もしＥＰＤＣＣＨ−ＰＲＢセットｑに分散的送信が設定されている場合、ｎ（１）ＰＵＣＣＨ，ｉは数２で求められる。
もしＥＰＤＣＣＨ−ＰＲＢセットｑに局所的送信が設定されている場合、ｎ（１）ＰＵＣＣＨ，ｉは数３で求められる。
ここで、ｎＥＣＣＥ，ｑはサブフレームｎーｋｍにおけるＥＰＤＣＣＨ−ＰＲＢセットｑ内の対応するＤＣＩアサインメントの送信のために用いられる最初のＣＣＥの番号（つまり、そのＥＰＤＣＣＨを構成するために用いられる最も低いＥＣＣＥインデクス）であり、ＥＰＤＣＣＨ−ＰＲＢセットｑにおけるＮ（ｅ１）ＰＵＣＣＨ，ｑは、上位層パラメータであるｐｕｃｃｈ−ＲｅｓｏｕｒｃｅＳｔａｒｔＯｆｆｓｅｔ−ｒ１１によって設定され、サブフレームｎ−ｋｍにおけるＥＰＤＣＣＨ−ＰＲＢセットｑに対するＮＥＣＣＥ，ｑＲＢは上述のＮＲＢＥＣＣＥと同義であるＰＲＢペアあたりのＥＣＣＥの数である。また、上述したように、ｎ’はサブフレームｎ−ｋｍにおいてＥＰＤＣＣＨ送信のために用いられたアンテナポートから決まる。もしｍ＝０なら、図３２で与えられるようにして、ΔＡＲＯは対応するＥＰＤＣＣＨＤＣＩフォーマットにおけるＨＡＲＱ−ＡＣＫリソースオフセットフィールドから決定される。もしｍ＞０なら、図３３で与えられるようにして、ΔＡＲＯは対応するＥＰＤＣＣＨＤＣＩフォーマットにおけるＨＡＲＱ−ＡＣＫリソースオフセットフィールドから決定される。もし端末装置に、サブフレームｎ−ｋｉ１においてＥＰＤＣＣＨをモニタすることが設定されている場合、ＮＥＣＣＥ，ｑ，ｎ−ｋｉ１はサブフレームｎ−ｋｉ１においてその端末装置に設定されるＥＰＤＣＣＨ−ＰＲＢセットｑにおけるＥＣＣＥの数に等しい。もし端末装置に、サブフレームｎ−ｋｉ１においてＥＰＤＣＣＨをモニタすることが設定されていない場合、ＮＥＣＣＥ，ｑ，ｎ−ｋｉ１はサブフレームｎ−ｋｉ１においてその端末装置に設定されるＥＰＤＣＣＨ−ＰＲＢセットｑが設定されていると仮定して計算されるＥＣＣＥの数に等しい。通常のＣＰにおいて、もしサブフレームｎ−ｋｉ１がスペシャルサブフレーム設定０または５のスペシャルサブフレームである場合、ＮＥＣＣＥ，ｑ、ｎ−ｋｉ１は０に等しい。拡張のＣＰにおいて、もしサブフレームｎ−ｋｉ１がスペシャルサブフレーム設定０または４または７のスペシャルサブフレームである場合、ＮＥＣＣＥ，ｑ、ｎ−ｋｉ１は０に等しい。ここで、｛１、２、３、４、６｝に属するＴＤＤのＵＬ／ＤＬ設定のプライマリセルにおいて、ＤＡＩ値が１に等しい対応するＥＰＤＣＣＨに対してはｉ＝０であり、ＤＡＩ値が２に等しい対応するＥＰＤＣＣＨに対してはｉ＝１である。また、ＴＤＤのＵＬ／ＤＬ設定５のプライマリセルにおいて、対応するＥＰＤＣＣＨに対してｉ＝０である。
【０４７５】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。すなわち、通常のＣＰにおいて、もしサブフレームｎ−ｋｉ１がスペシャルサブフレーム設定０または５の下りリンク参照ＵＬ／ＤＬ設定におけるスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７の下りリンク参照ＵＬ／ＤＬ設定におけるスペシャルサブフレームである場合、ＮＥＣＣＥ，ｑ，ｎ−ｋｉ１は０に等しい。アンテナポートｐ１に対するＰＵＣＣＨリソースは下記により与えられる。ＵＬ参照ＵＬ／ＤＬ設定ではなくＤＬ参照ＵＬ／ＤＬ設定に基づくことにより、ＰＤＳＣＨが送信され得るスペシャルサブフレームに対するＰＵＣＣＨリソースをリザーブすることができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのＰＵＣＣＨリソースをリザーブするか（あるいは、しないか）が検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０４７６】
１≦ｊ≦Ｍ−１かつ｛１、２、３、４、６｝に属するＴＤＤのＵＬ／ＤＬ設定のプライマリセルに対して、もし対応するＰＤＣＣＨ／ＥＰＤＣＣＨを伴うＰＤＳＣＨ送信で、かつそのＰＤＣＣＨ／ＥＰＤＣＣＨ内のＤＡＩの値がｊ＋１に等しいＰＤＳＣＨ送信、あるいは下りリンクＳＰＳを示すＰＤＣＣＨ／ＥＰＤＣＣＨで、かつそのＰＤＣＣＨ／ＥＰＤＣＣＨ内のＤＡＩの値がｊ＋１に等しいＰＤＣＣＨ／ＥＰＤＣＣＨが受信された場合、ＨＡＲＱ−ＡＣＫ（ｊ）はそれに対応するＡＣＫ／ＮＡＣＫ／ＤＴＸレスポンスであり、それ以外の場合は、ＨＡＲＱ−ＡＣＫ（ｊ）はＤＴＸにセットされる。１≦ｊ≦Ｍ−１かつＴＤＤのＵＬ／ＤＬ設定０のプライマリセルに対して、もし対応するＰＤＣＣＨ／ＥＰＤＣＣＨを伴うＰＤＳＣＨ送信あるいは下りリンクＳＰＳを示すＰＤＣＣＨ／ＥＰＤＣＣＨが受信された場合、ＨＡＲＱ−ＡＣＫ（０）はそれに対応するＡＣＫ／ＮＡＣＫ／ＤＴＸレスポンスであり、それ以外の場合は、ＨＡＲＱ−ＡＣＫ（ｊ）はＤＴＸにセットされる。
【０４７７】
また、セカンダリセルに対しては、以下の処理が行われる。
【０４７８】
サブフレームｎ−ｋｍ（ここでｋｍはＫの要素）における、１または２に等しいＤＡＩ値を伴う、プライマリセルにおける対応するＰＤＣＣＨの検出によって示されるセカンダリセルにおけるＰＤＳＣＨ送信に対して、ＰＵＣＣＨリソースｎ（１）ＰＵＣＣＨ，ｉは、ｎ（１）ＰＵＣＣＨ，ｉ＝（Ｍｐｒｉｍａｒｙ−ｍ−１）Ｎｃ＋ｍＮｃ＋１＋ｎＣＣＥ，ｍ＋Ｎ（１）ＰＵＣＣＨである。ここでｃは｛０、１、２、３｝の中からＮｃ≦ｎＣＣＥ≦Ｎｃ＋１かつＮｃ＝ｍａｘ｛０，ｆｌｏｏｒ（（ＮＤＬＲＢ（ＮＲＢＳＣｃ−４））／３６）｝となるものが選択される。また、ＮＤＬＲＢはプライマリセルから決められ、ｎＣＣＥ，ｍはサブフレームｎ−ｋｍにおける対応するＰＤＣＣＨの送信に用いられる最初のＣＣＥの番号であり、Ｎ（１）ＰＵＣＣＨは上位層によって設定される。また、ＤＡＩ値が１に等しい対応するＰＤＣＣＨに対してはｉ＝２であり、ＤＡＩ値が２に等しい対応するＰＤＣＣＨに対してはｉ＝３である。 
【０４７９】
サブフレームｎ−ｋｍ（ここでｋｍはＫの要素）における、１または２に等しいＤＡＩ値を伴う、プライマリセルにおける対応するＥＰＤＣＣＨの検出によって示されるセカンダリセルにおけるＰＤＳＣＨ送信に対して、ＰＵＣＣＨリソースｎ（１）ＰＵＣＣＨ，ｊは下記のように与えられる。
もしＥＰＤＣＣＨ−ＰＲＢセットｑに分散的送信が設定されている場合、ｎ（１）ＰＵＣＣＨ，ｉは数２で求められる。
もしＥＰＤＣＣＨ−ＰＲＢセットｑに局所的送信が設定されている場合、ｎ（１）ＰＵＣＣＨ，ｉは数３で求められる。
ここで、ｎＥＣＣＥ，ｑはサブフレームｎーｋｍにおけるＥＰＤＣＣＨ−ＰＲＢセットｑ内の対応するＤＣＩアサインメントの送信のために用いられる最初のＣＣＥの番号（つまり、そのＥＰＤＣＣＨを構成するために用いられる最も低いＥＣＣＥインデクス）であり、ＥＰＤＣＣＨ−ＰＲＢセットｑにおけるＮ（ｅ１）ＰＵＣＣＨ，ｑは、上位層パラメータであるｐｕｃｃｈ−ＲｅｓｏｕｒｃｅＳｔａｒｔＯｆｆｓｅｔ−ｒ１１によって設定され、サブフレームｎ−ｋｍにおけるＥＰＤＣＣＨ−ＰＲＢセットｑに対するＮＥＣＣＥ，ｑＲＢは上述のＮＲＢＥＣＣＥと同義であるＰＲＢペアあたりのＥＣＣＥの数である。また、上述したように、ｎ’はサブフレームｎ−ｋｍにおいてＥＰＤＣＣＨ送信のために用いられたアンテナポートから決まる。もしｍ＝０なら、図３２で与えられるようにして、ΔＡＲＯは対応するＥＰＤＣＣＨＤＣＩフォーマットにおけるＨＡＲＱ−ＡＣＫリソースオフセットフィールドから決定される。もしｍ＞０なら、図３３で与えられるようにして、ΔＡＲＯは対応するＥＰＤＣＣＨＤＣＩフォーマットにおけるＨＡＲＱ−ＡＣＫリソースオフセットフィールドから決定される。もし端末装置に、サブフレームｎ−ｋｉ１においてＥＰＤＣＣＨをモニタすることが設定されている場合、ＮＥＣＣＥ，ｑ，ｎ−ｋｉ１はサブフレームｎ−ｋｉ１においてその端末装置に設定されるＥＰＤＣＣＨ−ＰＲＢセットｑにおけるＥＣＣＥの数に等しい。もし端末装置に、サブフレームｎ−ｋｉ１においてＥＰＤＣＣＨをモニタすることが設定されていない場合、ＮＥＣＣＥ，ｑ，ｎ−ｋｉ１はサブフレームｎ−ｋｉ１においてその端末装置に設定されるＥＰＤＣＣＨ−ＰＲＢセットｑが設定されていると仮定して計算されるＥＣＣＥの数に等しい。通常のＣＰにおいて、もしサブフレームｎ−ｋｉ１がスペシャルサブフレーム設定０または５のスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７のスペシャルサブフレームである場合、ＮＥＣＣＥ，ｑ，ｎ−ｋｉ１は０に等しい。ここで、ＤＡＩ値が１に等しい対応するＥＰＤＣＣＨに対してはｉ＝２であり、ＤＡＩ値が２に等しい対応するＥＰＤＣＣＨに対してはｉ＝３である。
【０４８０】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。すなわち、通常のＣＰにおいて、もしサブフレームｎ−ｋｉ１がスペシャルサブフレーム設定０または５の下りリンク参照ＵＬ／ＤＬ設定におけるスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７の下りリンク参照ＵＬ／ＤＬ設定におけるスペシャルサブフレームである場合、ＮＥＣＣＥ，ｑ，ｎ−ｋｉ１は０に等しい。アンテナポートｐ１に対するＰＵＣＣＨリソースは下記により与えられる。ＵＬ参照ＵＬ／ＤＬ設定ではなくＤＬ参照ＵＬ／ＤＬ設定に基づくことにより、ＰＤＳＣＨが送信され得るスペシャルサブフレームに対するＰＵＣＣＨリソースをリザーブすることができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのＰＵＣＣＨリソースをリザーブするか（あるいは、しないか）が検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０４８１】
サブフレームｎ−ｋ（ここでｋはＫの要素）における、１または２に等しいＤＡＩ値を伴う、セカンダリセルにおける対応するＰＤＣＣＨ／ＥＰＤＣＣＨの検出によって示されるＰＤＳＣＨ送信に対して、ｎ（１）ＰＵＣＣＨ，２の値およびｎ（１）ＰＵＣＣＨ，３の値は、上位層の設定と、ＰＵＣＣＨに対するＴＰＣコマンドフィールドの値と上位層で設定されたｎ（１）ＰＵＣＣＨの値との関係テーブルに基づいて決まる。対応するＰＤＣＣＨ／ＥＰＤＣＣＨのＤＣＩフォーマットにおけるそのＴＰＣフィールドは、上位層によって設定された４つのリソースの値の１つからＰＵＣＣＨリソースの値を決定するために用いられる。端末装置は、サブフレームｎ−ｋ（ここでｋはセカンダリセルのＫの１つ以上の要素）内で、セカンダリセルにおけるすべてのＰＤＣＣＨ／ＥＰＤＣＣＨアサインメントのＴＰＣフィールドで、同じＨＡＲＱ−ＡＣＫのＰＵＣＣＨリソースの値が送信されるとものとして処理を行う。
【０４８２】
１≦ｊ≦Ｍ−１に対して、もし対応するＰＤＣＣＨ／ＥＰＤＣＣＨを伴うＰＤＳＣＨ送信で、かつそのＰＤＣＣＨ／ＥＰＤＣＣＨ内のＤＡＩの値がｊ＋１に等しいＰＤＳＣＨ送信が受信された場合、ＨＡＲＱ−ＡＣＫ（ｊ）はそれに対応するＡＣＫ／ＮＡＣＫ／ＤＴＸレスポンスであり、それ以外の場合は、ＨＡＲＱ−ＡＣＫ（ｊ）はＤＴＸにセットされる。 
【０４８３】
端末装置はチャネル選択を行い、ＰＵＣＣＨフォーマット１ｂを用いて、アンテナポートｐにおけるリソースであるｎ（１，ｐ）ＰＵＣＣＨでｂ（０）とｂ（１）を送信する。ここで、アンテナポートｐ０に対して、サブフレームｎでｎ（１，ｐ）ＰＵＣＣＨ＝ｎ（１）ＰＵＣＣＨである。ｂ（０）とｂ（１）の値とＰＵＣＣＨリソースｎ（１）ＰＵＣＣＨは、それぞれＭ＝３および４における選択されたテーブルのセットに基づいて、チャネル選択により生成される。また、端末装置にチャネル選択のＰＵＣＣＨフォーマット１ｂに対して２つのアンテナポート送信が設定されているとき、アンテナポートｐ１に対してｎ（１，ｐ１）ＰＵＣＣＨである。ここで、ｎ（１，ｐ１）ＰＵＣＣＨは、ｎ（１）ＰＵＣＣＨをｎ（１，ｐ１）ＰＵＣＣＨに置き換え、ｎ（１）ＰＵＣＣＨ，ｉをｎ（１，ｐ１）ＰＵＣＣＨ，ｉに置き換えることによって、それぞれＭ＝３および４における選択された対応関係のセットに基づいて、上位層により設定されたＰＵＣＣＨリソースであるｎ（１，ｐ１）ＰＵＣＣＨ，ｉ（ただし、０≦ｉ≦３）から選択される。
【０４８４】
次に、ＰＵＣＣＨフォーマット３によるＴＤＤのＨＡＲＱ−ＡＣＫの手続きについて説明する。
【０４８５】
端末装置に１つのサービングセルが設定されている場合、あるいは端末装置に２つ以上のサービングセルが設定されており、すべてのサービングセルのＵＬ／ＤＬ設定が同じである場合は、Ｋは上述したような通常のＫであり、ＭはセットＫ内のエレメントの数である。もし、端末装置に２つ以上のサービングセルが設定されており、少なくとも２つのセルが異なるＵＬ／ＤＬ設定を有しているなら、その場合は、下記の説明のＫはＫｃであるものとすることができる。この場合も、ＭはセットＫ内のエレメントの数である。
【０４８６】
ＰＵＣＣＨフォーマット３でのＴＤＤのＨＡＲＱ−ＡＣＫ送信で、Ｍ≧１（ＭはセットＫの要素数）のサブフレームｎ、かつ２つ以上の設定されたサービングセルに対して、端末装置にアンテナポートｐに対してサブフレームｎでのＨＡＲＱ−ＡＣＫ送信のために、ＰＵＣＣＨリソースｎ（３，ｐ）ＰＵＣＣＨまたはｎ（１，ｐ）ＰＵＣＣＨを用いる。ここで、ｎ（３，ｐ）ＰＵＣＣＨまたはｎ（１，ｐ）ＰＵＣＣＨをは以下のようにして決められる。
【０４８７】
サブフレームｎ−ｋｍ（ここでｋｍはＫの１つ以上の要素）における対応するＰＤＣＣＨの検出によって示されるプライマリセルのみにおける単一のＰＤＳＣＨ送信、かつ｛１、２、３、４、５、６｝に属するＴＤＤのＵＬ／ＤＬ設定のプライマリセルで、そのＰＤＣＣＨ内のＤＡＩ値が１であるＰＤＳＣＨ送信に対して、あるいはサブフレームｎ−ｋｍにおける下りリンクＳＰＳリリースを示すＰＤＣＣＨ、かつ｛１、２、３、４、５、６｝に属するＴＤＤのＵＬ／ＤＬ設定のプライマリセルで、そのＰＤＣＣＨ内のＤＡＩ値が１であるＰＤＣＣＨに対して、端末装置はＰＵＣＣＨフォーマット１ａ／１ｂで、アンテナポートｐ０に対してｎ（１，ｐ０）ＰＵＣＣＨ＝（Ｍ−ｍ−１）Ｎｃ＋ｍＮｃ＋１＋ｎＣＣＥ，ｍ＋Ｎ（１）ＰＵＣＣＨであるＰＵＣＣＨリソースを用いる。ここで、Ｎ（１）ＰＵＣＣＨは上位層によって設定され、ｃは｛０、１、２、３｝の中からＮｃ≦ｎＣＣＥ≦Ｎｃ＋１かつＮｃ＝ｍａｘ｛０，ｆｌｏｏｒ（（ＮＤＬＲＢ（ＮＲＢＳＣｃ−４））／３６）｝となるものが選択され、ｎＣＣＥ，ｍはサブフレームｎ−ｋｍにおいて対応するＰＤＣＣＨの送信に用いられる最初のＣＣＥの番号である。ＰＵＣＣＨフォーマット１ａ／１ｂに対して２つのアンテナポート送信が設定されている場合、アンテナポートｐ１に対するＰＵＣＣＨリソースはｎ（１，ｐ１）ＰＵＣＣＨ＝ｎ（１，ｐ０）ＰＵＣＣＨ＋１で与えられる。
【０４８８】
サブフレームｎ−ｋｍ（ここでｋｍはＫの１つ以上の要素）における対応するＥＰＤＣＣＨの検出によって示されるプライマリセルのみにおける単一のＰＤＳＣＨ送信、かつ｛１、２、３、４、５、６｝に属するＴＤＤのＵＬ／ＤＬ設定のプライマリセルで、そのＥＰＤＣＣＨ内のＤＡＩ値が１であるＰＤＳＣＨ送信に対して、あるいはサブフレームｎ−ｋｍにおける下りリンクＳＰＳリリースを示すＥＰＤＣＣＨ、かつ｛１、２、３、４、５、６｝に属するＴＤＤのＵＬ／ＤＬ設定のプライマリセルで、そのＥＰＤＣＣＨ内のＤＡＩ値が１であるＥＰＤＣＣＨに対して、端末装置はＰＵＣＣＨフォーマット１ａ／１ｂで、下記によって得られるＰＵＣＣＨリソースｎ（１，ｐ）ＰＵＣＣＨを用いる。
もしＥＰＤＣＣＨ−ＰＲＢセットｑに分散的送信が設定されている場合、ｎ（１，ｐ）ＰＵＣＣＨは数２で求められる。
もしＥＰＤＣＣＨ−ＰＲＢセットｑに局所的送信が設定されている場合、ｎ（１，ｐ）ＰＵＣＣＨは数３で求められる。
ここで、ｎＥＣＣＥ，ｑはサブフレームｎーｋｍにおけるＥＰＤＣＣＨ−ＰＲＢセットｑ内の対応するＤＣＩアサインメントの送信のために用いられる最初のＣＣＥの番号（つまり、そのＥＰＤＣＣＨを構成するために用いられる最も低いＥＣＣＥインデクス）であり、ＥＰＤＣＣＨ−ＰＲＢセットｑにおけるＮ（ｅ１）ＰＵＣＣＨ，ｑは、上位層パラメータであるｐｕｃｃｈ−ＲｅｓｏｕｒｃｅＳｔａｒｔＯｆｆｓｅｔ−ｒ１１によって設定され、サブフレームｎ−ｋｍにおけるＥＰＤＣＣＨ−ＰＲＢセットｑに対するＮＥＣＣＥ，ｑＲＢは上述のＮＲＢＥＣＣＥと同義であるＰＲＢペアあたりのＥＣＣＥの数である。また、上述したように、ｎ’はサブフレームｎ−ｋｍにおいてＥＰＤＣＣＨ送信のために用いられたアンテナポートから決まる。もしｍ＝０なら、図３２で与えられるようにして、ΔＡＲＯは対応するＥＰＤＣＣＨＤＣＩフォーマットにおけるＨＡＲＱ−ＡＣＫリソースオフセットフィールドから決定される。もしｍ＞０なら、図３３で与えられるようにして、ΔＡＲＯは対応するＥＰＤＣＣＨＤＣＩフォーマットにおけるＨＡＲＱ−ＡＣＫリソースオフセットフィールドから決定される。もし端末装置に、サブフレームｎ−ｋｉ１においてＥＰＤＣＣＨをモニタすることが設定されている場合、ＮＥＣＣＥ，ｑ，ｎ−ｋｉ１はサブフレームｎ−ｋｉ１においてその端末装置に設定されるＥＰＤＣＣＨ−ＰＲＢセットｑにおけるＥＣＣＥの数に等しい。もし端末装置に、サブフレームｎ−ｋｉ１においてＥＰＤＣＣＨをモニタすることが設定されていない場合、ＮＥＣＣＥ，ｑ，ｎ−ｋｉ１はサブフレームｎ−ｋｉ１においてその端末装置に設定されるＥＰＤＣＣＨ−ＰＲＢセットｑが設定されていると仮定して計算されるＥＣＣＥの数に等しい。通常のＣＰにおいて、もしサブフレームｎ−ｋｉ１がスペシャルサブフレーム設定０または５のスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７のスペシャルサブフレームである場合、ＮＥＣＣＥ，ｑ，ｎ−ｋｉ１は０に等しい。ＰＵＣＣＨフォーマット１ａ／１ｂに対して２つのアンテナポート送信が設定されている場合、アンテナポートｐ１に対するＰＵＣＣＨリソースはｎ（１，ｐ１）ＰＵＣＣＨ＝ｎ（１，ｐ０）ＰＵＣＣＨ＋１で与えられる。
【０４８９】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。すなわち、通常のＣＰにおいて、もしサブフレームｎ−ｋｉ１がスペシャルサブフレーム設定０または５の下りリンク参照ＵＬ／ＤＬ設定におけるスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７の下りリンク参照ＵＬ／ＤＬ設定におけるスペシャルサブフレームである場合、ＮＥＣＣＥ，ｑ，ｎ−ｋｉ１は０に等しい。アンテナポートｐ１に対するＰＵＣＣＨリソースは下記により与えられる。ＵＬ参照ＵＬ／ＤＬ設定ではなくＤＬ参照ＵＬ／ＤＬ設定に基づくことにより、ＰＤＳＣＨが送信され得るスペシャルサブフレームに対するＰＵＣＣＨリソースをリザーブすることができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのＰＵＣＣＨリソースをリザーブするか（あるいは、しないか）が検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０４９０】
サブフレームｎ−ｋｍ（ここでｋｍはＫの１つ以上の要素）における対応するＰＤＣＣＨ／ＥＰＤＣＣＨの検出が無いプライマリセルのみにおける単一のＰＤＳＣＨ送信、かつサブフレームｎ−ｋｍにおける下りリンクＳＰＳリリースを示すＰＤＣＣＨ／ＥＰＤＣＣＨが無い場合のＰＤＳＣＨ送信に対して、端末装置はＰＵＣＣＨフォーマット１ａ／１ｂで、上位層の設定と、ＰＵＣＣＨに対するＴＰＣコマンドフィールドの値と上位層で設定されたｎ（１）ＰＵＣＣＨの値との関係テーブルに基づいて決まるｎ（１，ｐ）ＰＵＣＣＨの値を持つＰＵＣＣＨリソースｎ（１，ｐ）ＰＵＣＣＨを用いる。ＰＵＣＣＨフォーマット１ａ／１ｂに対して２つのアンテナポート送信が設定されている端末装置に対しては、関係テーブルにおける１つのＰＵＣＣＨリソースの値は、アンテナポートｐ０-に対する１つ目のＰＵＣＣＨリソースｎ（１，ｐ０）ＰＵＣＣＨとアンテナポートｐ-１に対する２つ目のＰＵＣＣＨリソースｎ（１，ｐ１）ＰＵＣＣＨの２つのＰＵＣＣＨリソースにマップし、それ以外の場合は、１つのＰＵＣＣＨリソースの値は、アンテナポートｐ０-に対する１つのＰＵＣＣＨリソースｎ（１，ｐ０）ＰＵＣＣＨにマップする。
【０４９１】
Ｍ＞１で、サブフレームｎ−ｋ（ここでｋはＫの１つ以上の要素）における対応するＰＤＣＣＨの検出が無いプライマリセルのみにおけるＰＤＳＣＨ送信、およびサブフレームｎ−ｋｍ（ここでｋｍはＫの１つ以上の要素）における対応するＰＤＣＣＨの検出によって示されるプライマリセルのみにおける追加のＰＤＳＣＨ送信かつそのＰＤＣＣＨ内のＤＡＩ値が１である追加のＰＤＳＣＨ送信、あるいはサブフレームｎ−ｋｍ（ここでｋｍはＫの１つ以上の要素）における下りリンクＳＰＳリリースを示すＰＤＣＣＨで、かつそのＰＤＣＣＨ内のＤＡＩ値が１であるＰＤＣＣＨに対して、端末装置は、Ａ＝２およびＡ＝３に対してそれぞれ第４の対応関係および第５の対応関係に基づき、Ａ個のリソースブロックｎ（１）ＰＵＣＣＨ，ｉ（ただし０≦ｉ≦Ａ−１）から選択されたＰＵＣＣＨリソースｎ（１）ＰＵＣＣＨにおいてＰＵＣＣＨフォーマット１ｂを用いて、サブフレームｎでｂ（０）とｂ（１）を送信する。プライマリセルにおいて２つまでのトランスポートをサポートする送信モードが設定されている端末装置に対してＡ＝３であり、それ以外（プライマリセルにおいて１つのトランスポートをサポートする送信モードが設定されている端末装置）はＡ＝２である。ここで、ＰＵＣＣＨリソースｎ（１）ＰＵＣＣＨ，０は上位層の設定と、ＰＵＣＣＨに対するＴＰＣコマンドフィールドの値と上位層で設定されたｎ（１）ＰＵＣＣＨの値との関係テーブルに基づいて決まる。また、ｎ（１）ＰＵＣＣＨ，１＝（Ｍ−ｍ−１）Ｎｃ＋ｍＮｃ＋１＋ｎＣＣＥ，ｍ＋Ｎ（１）ＰＵＣＣＨである。ここで、Ｎ（１）ＰＵＣＣＨは上位層によって設定され、ｃは｛０、１、２、３｝の中からＮｃ≦ｎＣＣＥ≦Ｎｃ＋１かつＮｃ＝ｍａｘ｛０，ｆｌｏｏｒ（（ＮＤＬＲＢ（ＮＲＢＳＣｃ−４））／３６）｝となるものが選択され、ｎＣＣＥ，ｍはサブフレームｎ−ｋｍにおいて対応するＰＤＣＣＨの送信に用いられる最初のＣＣＥの番号である。プライマリセルにおいて２つまでのトランスポートをサポートする送信モードが設定されている端末装置に対して、ＰＵＣＣＨリソースｎ（１）ＰＵＣＣＨ，２はｎ（１）ＰＵＣＣＨ，２＝ｎ（１）ＰＵＣＣＨ，１＋１で決められる。ＨＡＲＱ−ＡＣＫ（０）は、対応するＰＤＣＣＨのないＰＤＳＣＨ送信に対するＡＣＫ／ＮＡＣＫ／ＤＴＸレスポンスである。ＨＡＲＱ−ＡＣＫ（１）は、対応するＰＤＣＣＨの検出によって示されるＰＤＳＣＨでかつそのＰＤＣＣＨ内のＤＡＩ値が１であるのＰＤＳＣＨの１つ目のトランスポートブロックに対する、あるいはそのＰＤＣＣＨ内のＤＡＩ値が１であるの下りリンクＳＰＳリリースを示すＰＤＣＣＨに対するＡＣＫ／ＮＡＣＫ／ＤＴＸレスポンスである。ＨＡＲＱ−ＡＣＫ（２）は、対応するＰＤＣＣＨの検出によって示されるＰＤＳＣＨでかつそのＰＤＣＣＨ内のＤＡＩ値が１であるのＰＤＳＣＨの２つ目のトランスポートブロックに対するＡＣＫ／ＮＡＣＫ／ＤＴＸレスポンスである。
【０４９２】
Ｍ＞１で、サブフレームｎ−ｋ（ここでｋｍはＫの１つ以上の要素）における対応するＥＰＤＣＣＨの検出が無いプライマリセルのみにおけるＰＤＳＣＨ送信、およびサブフレームｎ−ｋｍ（ここでｋｍはＫの１つ以上の要素）における対応するＥＰＤＣＣＨの検出によって示されるプライマリセルのみにおける追加のＰＤＳＣＨ送信かつそのＥＰＤＣＣＨ内のＤＡＩ値が１である追加のＰＤＳＣＨ送信、あるいはサブフレームｎ−ｋｍ（ここでｋｍはＫの１つ以上の要素）における下りリンクＳＰＳリリースを示すＥＰＤＣＣＨで、かつそのＥＰＤＣＣＨ内のＤＡＩ値が１であるＥＰＤＣＣＨに対して、端末装置は、Ａ＝２およびＡ＝３に対してそれぞれ第４の対応関係および第５の対応関係に基づき、Ａ個のリソースブロックｎ（１）ＰＵＣＣＨ，ｉ（ただし０≦ｉ≦Ａ−１）から選択されたＰＵＣＣＨリソースｎ（１）ＰＵＣＣＨにおいてＰＵＣＣＨフォーマット１ｂを用いて、サブフレームｎでｂ（０）とｂ（１）を送信する。プライマリセルにおいて２つまでのトランスポートをサポートする送信モードが設定されている端末装置に対してＡ＝３であり、それ以外（プライマリセルにおいて１つのトランスポートをサポートする送信モードが設定されている端末装置）はＡ＝２である。ここで、ＰＵＣＣＨリソースｎ（１）ＰＵＣＣＨ，０は上位層の設定と、ＰＵＣＣＨに対するＴＰＣコマンドフィールドの値と上位層で設定されたｎ（１）ＰＵＣＣＨの値との関係テーブルに基づいて決まる。また、ｎ（１）ＰＵＣＣＨ，１は下記のように決められる。
もしＥＰＤＣＣＨ−ＰＲＢセットｑに分散的送信が設定されている場合、ｎ（１）ＰＵＣＣＨ，１は数２で求められる。
もしＥＰＤＣＣＨ−ＰＲＢセットｑに局所的送信が設定されている場合、ｎ（１）ＰＵＣＣＨ，１は数３で求められる。
ここで、ｎＥＣＣＥ，ｑはサブフレームｎーｋｍにおけるＥＰＤＣＣＨ−ＰＲＢセットｑ内の対応するＤＣＩアサインメントの送信のために用いられる最初のＣＣＥの番号（つまり、そのＥＰＤＣＣＨを構成するために用いられる最も低いＥＣＣＥインデクス）であり、ＥＰＤＣＣＨ−ＰＲＢセットｑにおけるＮ（ｅ１）ＰＵＣＣＨ，ｑは、上位層パラメータであるｐｕｃｃｈ−ＲｅｓｏｕｒｃｅＳｔａｒｔＯｆｆｓｅｔ−ｒ１１によって設定され、サブフレームｎ−ｋｍにおけるＥＰＤＣＣＨ−ＰＲＢセットｑに対するＮＥＣＣＥ，ｑＲＢは上述のＮＲＢＥＣＣＥと同義であるＰＲＢペアあたりのＥＣＣＥの数である。また、上述したように、ｎ’はサブフレームｎ−ｋｍにおいてＥＰＤＣＣＨ送信のために用いられたアンテナポートから決まる。もしｍ＝０なら、図３２で与えられるようにして、ΔＡＲＯは対応するＥＰＤＣＣＨＤＣＩフォーマットにおけるＨＡＲＱ−ＡＣＫリソースオフセットフィールドから決定される。もしｍ＞０なら、図３３で与えられるようにして、ΔＡＲＯは対応するＥＰＤＣＣＨＤＣＩフォーマットにおけるＨＡＲＱ−ＡＣＫリソースオフセットフィールドから決定される。もし端末装置に、サブフレームｎ−ｋｉ１においてＥＰＤＣＣＨをモニタすることが設定されている場合、ＮＥＣＣＥ，ｑ，ｎ−ｋｉ１はサブフレームｎ−ｋｉ１においてその端末装置に設定されるＥＰＤＣＣＨ−ＰＲＢセットｑにおけるＥＣＣＥの数に等しい。もし端末装置に、サブフレームｎ−ｋｉ１においてＥＰＤＣＣＨをモニタすることが設定されていない場合、ＮＥＣＣＥ，ｑ，ｎ−ｋｉ１はサブフレームｎ−ｋｉ１においてその端末装置に設定されるＥＰＤＣＣＨ−ＰＲＢセットｑが設定されていると仮定して計算されるＥＣＣＥの数に等しい。通常のＣＰにおいて、もしサブフレームｎ−ｋｉ１がスペシャルサブフレーム設定０または５のスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７のスペシャルサブフレームである場合、ＮＥＣＣＥ，ｑ，ｎ−ｋｉ１は０に等しい。プライマリセルにおいて２つまでのトランスポートをサポートする送信モードが設定されている端末装置に対して、ＰＵＣＣＨリソースｎ（１）ＰＵＣＣＨ、２はｎ（１）ＰＵＣＣＨ，２＝ｎ（１）ＰＵＣＣＨ，１＋１で決められる。ＨＡＲＱ−ＡＣＫ（０）は、対応するＥＰＤＣＣＨのないＰＤＳＣＨ送信に対するＡＣＫ／ＮＡＣＫ／ＤＴＸレスポンスである。ＨＡＲＱ−ＡＣＫ（１）は、対応するＥＰＤＣＣＨの検出によって示されるＰＤＳＣＨでかつそのＥＰＤＣＣＨ内のＤＡＩ値が１であるのＰＤＳＣＨの１つ目のトランスポートブロックに対する、あるいはそのＥＰＤＣＣＨ内のＤＡＩ値が１であるの下りリンクＳＰＳリリースを示すＥＰＤＣＣＨに対するＡＣＫ／ＮＡＣＫ／ＤＴＸレスポンスである。ＨＡＲＱ−ＡＣＫ（２）は、対応するＥＰＤＣＣＨの検出によって示されるＰＤＳＣＨでかつそのＥＰＤＣＣＨ内のＤＡＩ値が１であるのＰＤＳＣＨの２つ目のトランスポートブロックに対するＡＣＫ／ＮＡＣＫ／ＤＴＸレスポンスである。
【０４９３】
なお、ダイナミックＴＤＤが設定される場合、ここでいうスペシャルサブフレームは、上記第１から第３のＵＬ／ＤＬ設定のうち、少なくとも、そのセルにおける下りリンク参照ＵＬ／ＤＬ設定に基づくスペシャルサブフレームであることが好ましい。つまり、上りリンク参照ＵＬ／ＤＬ設定におけるスペシャルサブフレームであっても、下りリンク参照ＵＬ／ＤＬ設定においては下りリンクサブフレームであるサブフレームは、ここではスペシャルサブフレームではないものとして上記手続きが行われる。すなわち、通常のＣＰにおいて、もしサブフレームｎ−ｋｉ１がスペシャルサブフレーム設定０または５の下りリンク参照ＵＬ／ＤＬ設定におけるスペシャルサブフレームである場合、ＮＥＣＣＥ，ｑ，ｎ−ｋｉ１は０に等しい。拡張のＣＰにおいて、もしサブフレームｎ−ｋｉ１がスペシャルサブフレーム設定０または４または７の下りリンク参照ＵＬ／ＤＬ設定におけるスペシャルサブフレームである場合、ＮＥＣＣＥ，ｑ，ｎ−ｋｉ１は０に等しい。アンテナポートｐ１に対するＰＵＣＣＨリソースは下記により与えられる。ＵＬ参照ＵＬ／ＤＬ設定ではなくＤＬ参照ＵＬ／ＤＬ設定に基づくことにより、ＰＤＳＣＨが送信され得るスペシャルサブフレームに対するＰＵＣＣＨリソースをリザーブすることができる。また、端末装置が検出できない可能性がある明示的なレイヤ１の信号ではなく、ＲＲＣメッセージを用いて設定されるＤＬ参照ＵＬ／ＤＬ設定に基づくことにより、いずれのＰＵＣＣＨリソースをリザーブするか（あるいは、しないか）が検出の可否に依存しないようにすることができる。一方、ダイナミックＴＤＤが設定されていない場合、上りリンク参照ＵＬ／ＤＬ設定（つまり、基地局装置により、システムインフォメーションブロックタイプ１メッセージを用いて報知されるＵＬ／ＤＬ設定であって、ダイナミックＴＤＤが設定されていない（あるいはダイナミックＴＤＤのケイパビリティを有しない）端末装置で用いられるＵＬ／ＤＬ設定）におけるスペシャルサブフレームが、ここでいうスペシャルサブフレームであるものとして上記手続きが行われる。
【０４９４】
このようにして、ＰＵＣＣＨフォーマット３での送信が設定されている場合においても、プライマリセルのみでのＰＤＳＣＨ送信（あるいは下りリンクＳＰＳリリースを示すＰＤＣＣＨ／ＥＰＤＣＣＨ）が行われた場合、１つのサービングセルのみが設定されている場合と同様に、ＰＵＣＣＨフォーマット１ａ／１ｂあるいはチャネル選択のＰＵＣＣＨフォーマット１ｂを用いる。これをＰＵＣＣＨフォーマット３からＰＵＣＣＨフォーマット１ａ／１ｂあるいはチャネル選択のＰＵＣＣＨフォーマット１ｂへのフォールバックと呼び、これにより、セカンダリセルの品質が悪い場合においても、プライマリセルの送受信方法はシングルセルでの送受信方法と同様の方法となるため、強固な通信を確保できる。
【０４９５】
Ｍ＞１で、サブフレームｎ−ｋｍ（ここでｋｍはＫの１つ以上の要素）における対応するＰＤＣＣＨの検出によって示されるプライマリセルのみにおけるＰＤＳＣＨ送信で、そのＰＤＣＣＨ内のＤＡＩ値が１より大きいＰＤＳＣＨ送信、あるいはサブフレームｎ−ｋｍにおける下りリンクＳＰＳリリースを示すＰＤＣＣＨで、そのＰＤＣＣＨ内のＤＡＩ値が１より大きいＰＤＣＣＨに対して、端末装置はＰＵＣＣＨフォーマット３で、ＰＵＣＣＨリソースｎ（３）ＰＵＣＣＨを用いる。ここで、ｎ（３）ＰＵＣＣＨは、上位層の設定と、ＰＵＣＣＨに対するＴＰＣコマンドフィールドの値と上位層で設定されたｎ（３）ＰＵＣＣＨの値との関係テーブルに基づいて決まり、ＤＡＩ値が１より大きいＰＤＣＣＨアサインメント中のＴＰＣフィールドが、ｎ（３，ｐ）ＰＵＣＣＨの値を持つＰＵＣＣＨリソースｎ（１，ｐ）ＰＵＣＣＨを用い上位層によって設定された４つのＰＵＣＣＨリソース値のうちの１つからＰＵＣＣＨリソース値を決定するために用いられる。端末装置は、サブフレームｎ−ｋ（ここでｋはＫの１つ以上の要素）内で、ＰＵＣＣＨリソース値を決定するために用いられるＥＰＤＣＣＨアサインメントで、同じＨＡＲＱ−ＡＣＫのＰＵＣＣＨリソースの値が送信されるとものとして処理を行う。
【０４９６】
このようにして、ＰＵＣＣＨフォーマット３はＰＵＣＣＨフォーマット１ａ／１ｂとは異なるＰＵＣＣＨリソースであり，動的なＰＵＣＣＨフォーマット１ａ／１ｂとは異なる領域において，ＰＵＣＣＨフォーマット３用のリソースが設定される。これにより、動的なＰＵＣＣＨリソースのスケジューリングの複雑さを軽減することができる。
【０４９７】
もしすべてのサービングセルのＵＬ／ＤＬ設定が同じなら、サブフレームｎ−ｋ（ここでｋはＫの１つ以上の要素）における対応するＰＤＣＣＨ／ＥＰＤＣＣＨの検出によって示されるセカンダリセルにおけるＰＤＳＣＨ送信に対して、端末装置はＰＵＣＣＨフォーマット３で、ＰＵＣＣＨリソースｎ（３）ＰＵＣＣＨを用いる。ここで、ｎ（３）ＰＵＣＣＨの値は、上位層の設定と、ＰＵＣＣＨに対するＴＰＣコマンドフィールドの値と上位層で設定されたｎ（３）ＰＵＣＣＨの値との関係テーブルに基づいて決まり、対応するＰＤＣＣＨ／ＥＰＤＣＣＨ中のＴＰＣフィールドが、ｎ（３，ｐ）ＰＵＣＣＨの値を持つＰＵＣＣＨリソースｎ（１，ｐ）ＰＵＣＣＨを用い上位層によって設定された４つのＰＵＣＣＨリソース値のうちの１つからＰＵＣＣＨリソース値を決定するために用いられる。ＴＤＤのＵＬ／ＤＬ設定１から６に対して、もしサブフレームｎ−ｋ（ここでｋはＫの１つ以上の要素）におけるプライマリセル上のＰＤＳＣＨに対応するＰＤＣＣＨ、あるいはサブフレームｎ−ｋ（ここでｋはＫの１つ以上の要素）における下りリンクＳＰＳリリースを示すＰＤＣＣＨが検出されたなら、ＤＡＩ値が１より大きいＰＤＣＣＨ中のＴＰＣフィールドが、ｎ（３，ｐ）ＰＵＣＣＨの値を持つＰＵＣＣＨリソースｎ（１，ｐ）ＰＵＣＣＨを用い上位層によって設定された４つのＰＵＣＣＨリソース値のうちの１つからＰＵＣＣＨリソース値を決定するために用いられる。端末装置は、サブフレームｎ−ｋ（ここでｋはＫの１つ以上の要素）内で、ＰＵＣＣＨリソース値を決定するために用いられるプライマリセルとそれぞれのセカンダリセルにおけるすべてのＰＤＣＣＨアサインメントで、同じＨＡＲＱ−ＡＣＫのＰＵＣＣＨリソースの値が送信されるとものとして処理を行う。ＴＤＤのＵＬ／ＤＬ設定１から６に対して、もしサブフレームｎ−ｋ（ここでｋはＫの１つ以上の要素）におけるプライマリセル上のＰＤＳＣＨに対応するＥＰＤＣＣＨ、あるいはサブフレームｎ−ｋ（ここでｋはＫの１つ以上の要素）における下りリンクＳＰＳリリースを示すＥＰＤＣＣＨが検出されたなら、ＤＡＩ値が１より大きいＥＰＤＣＣＨ中のＨＡＲＱ−ＡＣＫリソースオフセット（ＡＲＯ）フィールドが、ｎ（３，ｐ）ＰＵＣＣＨの値を持つＰＵＣＣＨリソースｎ（１，ｐ）ＰＵＣＣＨを用い上位層によって設定された４つのＰＵＣＣＨリソース値のうちの１つからＰＵＣＣＨリソース値を決定するために用いられる。端末装置は、サブフレームｎ−ｋ（ここでｋはＫの１つ以上の要素）内で、ＰＵＣＣＨリソース値を決定するために用いられるプライマリセルとそれぞれのセカンダリセルにおけるすべてのＰＤＣＣＨアサインメントで、同じＨＡＲＱ−ＡＣＫのＰＵＣＣＨリソースの値が送信されるとものとして処理を行う。端末装置は、サブフレームｎ−ｋ（ここでｋはＫの１つ以上の要素）内で、ＰＵＣＣＨリソース値を決定するために用いられるプライマリセルとそれぞれのセカンダリセルにおけるすべてのＥＰＤＣＣＨアサインメントで、同じＨＡＲＱ−ＡＣＫのＰＵＣＣＨリソースの値が送信されるとものとして処理を行う。
【０４９８】
もし少なくとも２つのサービングセルのＵＬ／ＤＬ設定が異なるなら、サブフレームｎ−ｋ（ここでｋはＫの１つ以上の要素）における対応するＰＤＣＣＨ／ＥＰＤＣＣＨの検出によって示されるセカンダリセルにおけるＰＤＳＣＨ送信に対して、端末装置はＰＵＣＣＨフォーマット３で、ＰＵＣＣＨリソースｎ（３）ＰＵＣＣＨを用いる。ここで、ｎ（３）ＰＵＣＣＨは、上位層の設定と、ＰＵＣＣＨに対するＴＰＣコマンドフィールドの値と上位層で設定されたｎ（３）ＰＵＣＣＨの値との関係テーブルに基づいて決まり、対応するＰＤＣＣＨ／ＥＰＤＣＣＨ中のＴＰＣフィールドが、ｎ（３，ｐ）ＰＵＣＣＨの値を持つＰＵＣＣＨリソースｎ（１，ｐ）ＰＵＣＣＨを用い上位層によって設定された４つのＰＵＣＣＨリソース値のうちの１つからＰＵＣＣＨリソース値を決定するために用いられる。｛１、２、３、４、５、６｝に属するＴＤＤのＵＬ／ＤＬ設定のプライマリセルに対して、もしサブフレームｎ−ｋ（ここでｋはＫの１つ以上の要素）におけるプライマリセル上のＰＤＳＣＨに対応するＰＤＣＣＨ、あるいはサブフレームｎ−ｋ（ここでｋはＫの１つ以上の要素）における下りリンクＳＰＳリリースを示すＰＤＣＣＨが検出されたなら、ＤＡＩ値が１より大きいＰＤＣＣＨ中のＴＰＣフィールドが、ｎ（３，ｐ）ＰＵＣＣＨの値を持つＰＵＣＣＨリソースｎ（１，ｐ）ＰＵＣＣＨを用い上位層によって設定された４つのＰＵＣＣＨリソース値のうちの１つからＰＵＣＣＨリソース値を決定するために用いられる。端末装置は、サブフレームｎ−ｋ（ここでｋはＫの１つ以上の要素）内で、ＰＵＣＣＨリソース値を決定するために用いられるプライマリセルとそれぞれのセカンダリセルにおけるすべてのＰＤＣＣＨアサインメントで、同じＨＡＲＱ−ＡＣＫのＰＵＣＣＨリソースの値が送信されるとものとして処理を行う。｛１、２、３、４、５、６｝に属するＴＤＤのＵＬ／ＤＬ設定のプライマリセルに対して、もしサブフレームｎ−ｋ（ここでｋはＫの１つ以上の要素）におけるプライマリセル上のＰＤＳＣＨに対応するＥＰＤＣＣＨ、あるいはサブフレームｎ−ｋ（ここでｋはＫの１つ以上の要素）における下りリンクＳＰＳリリースを示すＥＰＤＣＣＨが検出されたなら、ＤＡＩ値が１より大きいＰＤＣＣＨ中のＨＡＲＱ−ＡＣＫリソースオフセットフィールドが、ｎ（３，ｐ）ＰＵＣＣＨの値を持つＰＵＣＣＨリソースｎ（１，ｐ）ＰＵＣＣＨを用い上位層によって設定された４つのＰＵＣＣＨリソース値のうちの１つからＰＵＣＣＨリソース値を決定するために用いられる。端末装置は、サブフレームｎ−ｋ（ここでｋはＫの１つ以上の要素）内で、ＰＵＣＣＨリソース値を決定するために用いられるプライマリセルとそれぞれのセカンダリセルにおけるすべてのＥＰＤＣＣＨアサインメントで、同じＨＡＲＱ−ＡＣＫのＰＵＣＣＨリソースの値が送信されるとものとして処理を行う。
【０４９９】
ＰＵＣＣＨフォーマット３で、ＰＵＣＣＨリソースｎ（３，ｐ）ＰＵＣＣＨかつ２つのアンテナポート送信が設定されている端末装置に対しては、関係テーブルにおける１つのＰＵＣＣＨリソースの値は、アンテナポートｐ０-に対する１つ目のＰＵＣＣＨリソースｎ（３，ｐ０）ＰＵＣＣＨとアンテナポートｐ-１に対する２つ目のＰＵＣＣＨリソースｎ（３，ｐ１）ＰＵＣＣＨの２つのＰＵＣＣＨリソースにマップし、それ以外の場合は、１つのＰＵＣＣＨリソースの値は、アンテナポートｐ０-に対する１つのＰＵＣＣＨリソースｎ（３，ｐ０）ＰＵＣＣＨにマップする。
【０５００】
なお、上記の説明において、／での２つの用語の併記は、「または」と解釈してもよい。また、ダイナミックＴＤＤが設定されるとは、基地局装置によって、専用ＲＲＣメッセージを用いて、ダイナミックＴＤＤ自体が端末装置に設定される場合を含む。この他にも、基地局装置によって、専用ＲＲＣメッセージを用いて、ダイナミックＴＤＤを行うためのパラメータ（例えば下りリンク参照設定を示すパラメータなど）が端末装置に設定される場合も含む。
【０５０１】
以下、本実施形態における装置の構成について説明する。
【０５０２】
図３４は、本実施形態における端末装置１の構成を示す概略ブロック図である。図示するように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、受信制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０５０３】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０５０４】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０５０５】
すなわち、無線リソース制御部１０１１は、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、第３のＵＬ−ＤＬ設定をセットする。
【０５０６】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０５０７】
上位層処理部１０１が備える受信制御部１０１５は、ＤＣＩフォーマットに付加されたＣＲＣパリティビットのスクランブルに用いられたＲＮＴＩに基づいてサブフレームを識別し、受信部１０５に対して、識別したサブフレームに基づいてＰＤＳＣＨをデコードするよう制御する。ここで、受信制御部１０１５の機能は、受信部１０５に含まれてもよい。
【０５０８】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０５０９】
受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０５１０】
無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０５１１】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０５１２】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０５１３】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０５１４】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０５１５】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。
【０５１６】
符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０５１７】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０５１８】
上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０５１９】
無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０５２０】
図３５は、本実施形態における基地局装置３の構成を示す概略ブロック図である。図示するように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、送信制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０５２１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０５２２】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０５２３】
すなわち、無線リソース制御部３０１１は、端末装置１各々に対して、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、第３のＵＬ−ＤＬ設定を設定する。
【０５２４】
上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０５２５】
上位層処理部３０１が備える送信制御部３０１５は、送信部３０７に対して、ＤＣＩフォーマットに付加されたＣＲＣパリティビットのスクランブルに用いられたＲＮＴＩに基づいてＰＤＳＣＨをリソースエレメントにマップし、該ＰＤＳＣＨでの送信を行うよう制御する。ここで、送信制御部３０１５の機能は、送信部３０７に含まれてもよい。
【０５２６】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０５２７】
受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０５２８】
無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０５２９】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０５３０】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０５３１】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０５３２】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０５３３】
符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０５３４】
下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０５３５】
無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０５３６】
より具体的には、本実施形態における端末装置１は、第１のＵＬ−ＤＬ設定（ＵＬ参照ＵＬ−ＤＬ設定）をセットし、第２のＵＬ−ＤＬ設定（ＤＬ参照ＵＬ−ＤＬ設定）をセットし、第３のＵＬ−ＤＬ設定をセットする制御部（無線リソース制御部１０１１）を備える。
【０５３７】
また、本実施形態における端末装置１は、第１のＵＬ−ＤＬ設定（ＵＬ参照ＵＬ−ＤＬ設定）に基づいてスペシャルサブフレームとして指示されたサブフレームを、ＨＡＲＱ−ＡＣＫのコードブックサイズの決定から除外するかどうかを、該サブフレームが第２のＵＬ−ＤＬ設定（ＤＬ参照ＵＬ−ＤＬ設定）に基づいてスペシャルサブフレームとして指示されたか、該サブフレームが第２のＵＬ−ＤＬ設定（ＤＬ参照ＵＬ−ＤＬ設定）に基づいて下りリンクサブフレームとして指示されたか、に少なくとも基づいて決定する制御部（制御部１０３）を備える。
【０５３８】
また、制御部（制御部１０３）は、該サブフレームが第２のＵＬ−ＤＬ設定（ＤＬ参照ＵＬ−ＤＬ設定）に基づいてスペシャルサブフレームとして指示された場合には、該サブフレームを、ＨＡＲＱ−ＡＣＫのコードブックサイズの決定から除外するかどうかを、ＣＰの長さ、および、スペシャルサブフレームの設定に基づいて決定する。
【０５３９】
また、制御部（制御部１０３）は、該サブフレームが第２のＵＬ−ＤＬ設定（ＤＬ参照ＵＬ−ＤＬ設定）に基づいて下りリンクサブフレームとして指示された場合には、ＣＰの長さ、および、スペシャルサブフレームの設定に関わらず、該サブフレームを、ＨＡＲＱ−ＡＣＫのコードブックサイズの決定から除外しない。すなわち、この場合においては、制御部（制御部１０３）は、該サブフレームを、ＨＡＲＱ−ＡＣＫのコードブックサイズの決定に用いる。
【０５４０】
また、本実施形態における端末装置１は、第３のＵＬ−ＤＬ設定に基づいて下りリンクサブフレームおよびスペシャルサブフレームとして指示されたサブフレームにおいてＰＤＳＣＨでの送信を期待する受信部（受信部１０５）を備え、該サブフレームが、第１のＵＬ−ＤＬ設定（ＵＬ参照ＵＬ−ＤＬ設定）に基づいてスペシャルサブフレームとして指示され、且つ、第２のＵＬ−ＤＬ設定（ＤＬ参照ＵＬ−ＤＬ設定）に基づいてスペシャルサブフレームとして指示された場合には、該サブフレームにおいてＰＤＳＣＨでの送信を期待するかどうかを、ＣＰの長さ、および、スペシャルサブフレームの設定に基づいて決定し、該サブフレームが、第１のＵＬ−ＤＬ設定（ＵＬ参照ＵＬ−ＤＬ設定）に基づいてスペシャルサブフレームとして指示され、且つ、第２のＵＬ−ＤＬ設定（ＤＬ参照ＵＬ−ＤＬ設定）に基づいて下りリンクサブフレームとして指示された場合には、ＣＰの長さ、および、スペシャルサブフレームの設定に関わらず、該サブフレームにおいてＰＤＳＣＨでの送信を期待する。
【０５４１】
また、本実施形態における端末装置１は、ＥＰＤＣＣＨをモニタするサブフレームを設定する制御部（無線リソース制御部１０１１）と、該設定されたサブフレームのうち、第３のＵＬ−ＤＬ設定に基づいて下りリンクサブフレームおよびスペシャルサブフレームとして指示されたサブフレームにおいて、ＥＰＤＣＣＨをモニタする受信部（受信部１０５）と、を備え、該設定および指示されたサブフレームが、第１のＵＬ−ＤＬ設定（ＵＬ参照ＵＬ−ＤＬ設定）に基づいてスペシャルサブフレームとして指示され、且つ、第２のＵＬ−ＤＬ設定（ＤＬ参照ＵＬ−ＤＬ設定）に基づいてスペシャルサブフレームとして指示された場合には、該設定および指示されたサブフレームにおいてＥＰＤＣＣＨをモニタするかどうかを、ＣＰの長さ、および、スペシャルサブフレームの設定に基づいて決定し、該設定および指示されたサブフレームが、第１のＵＬ−ＤＬ設定（ＵＬ参照ＵＬ−ＤＬ設定）に基づいてスペシャルサブフレームとして指示され、且つ、第２のＵＬ−ＤＬ設定（ＤＬ参照ＵＬ−ＤＬ設定）に基づいて下りリンクサブフレームとして指示された場合には、ＣＰの長さ、および、スペシャルサブフレームの設定に関わらず、該設定および指示されたサブフレームにおいてＥＰＤＣＣＨをモニタする。
【０５４２】
また、本実施形態における基地局装置３は、第１のＵＬ−ＤＬ設定（ＵＬ参照ＵＬ−ＤＬ設定）をセットし、第２のＵＬ−ＤＬ設定（ＤＬ参照ＵＬ−ＤＬ設定）をセットし、第３のＵＬ−ＤＬ設定をセットする制御部（無線リソース制御部３０１１）を備える。
【０５４３】
また、本実施形態における基地局装置３は、第１のＵＬ−ＤＬ設定（ＵＬ参照ＵＬ−ＤＬ設定）に基づいてスペシャルサブフレームとして指示したサブフレームを、ＨＡＲＱ−ＡＣＫのコードブックサイズの決定から除外するかどうかを、該サブフレームを第２のＵＬ−ＤＬ設定（ＤＬ参照ＵＬ−ＤＬ設定）に基づいてスペシャルサブフレームとして指示したか、該サブフレームを第２のＵＬ−ＤＬ設定（ＤＬ参照ＵＬ−ＤＬ設定）に基づいて下りリンクサブフレームとして指示したか、に少なくとも基づいて決定する制御部（制御部３０３）を備える。
【０５４４】
また、制御部（制御部３０３）は、該サブフレームを第２のＵＬ−ＤＬ設定（ＤＬ参照ＵＬ−ＤＬ設定）に基づいてスペシャルサブフレームとして指示した場合には、該サブフレームを、ＨＡＲＱ−ＡＣＫのコードブックサイズの決定から除外するかどうかを、ＣＰの長さ、および、スペシャルサブフレームの設定に基づいて決定する。
【０５４５】
また、制御部（制御部３０３）は、該サブフレームを第２のＵＬ−ＤＬ設定（ＤＬ参照ＵＬ−ＤＬ設定）に基づいて下りリンクサブフレームとして指示した場合には、ＣＰの長さ、および、スペシャルサブフレームの設定に関わらず、該サブフレームを、ＨＡＲＱ−ＡＣＫのコードブックサイズの決定から除外しない。すなわち、この場合においては、制御部（制御部３０３）は、該サブフレームを、ＨＡＲＱ−ＡＣＫのコードブックサイズの決定に用いる。
【０５４６】
あるいは、端末装置１において、第１のＵＬ−ＤＬ設定（ＵＬ参照ＵＬ−ＤＬ設定）や第２のＵＬ−ＤＬ設定（ＤＬ参照ＵＬ−ＤＬ設定）は上位層処理部１０１がセットしてもよい。
【０５４７】
ダイナミックＴＤＤが設定されていない場合、制御部１０３は、サブフレームが、第１のＵＬ−ＤＬ設定において、所定のスペシャルサブフレームであるか否かに基づいて、上りリンク制御チャネルリソースのインデクスを決定する際に、サブフレームにおける１つの拡張物理下りリンク制御チャネルセット内における拡張制御チャネル要素の数を０とセットするか否かを決定する。また、制御部１０３は、局所的な拡張物理下りリンク制御チャネルの送信に対して、サブフレームが、第１のＵＬ−ＤＬ設定において、所定のスペシャルサブフレームであるか否かに基づいて、拡張物理下りリンク制御チャネルのためのアンテナポートをセットする。また、制御部１０３は、サブフレームが、第１のＵＬ−ＤＬ設定において、所定のスペシャルサブフレームであるか否かに基づいて、拡張制御チャネル要素あたりの拡張リソースエレメントグループの数をセットする。送信部１０７は上りリンク制御チャネルを含む信号を送信する。ここで、多重部１０７５は、制御部１０３の指示の元で、上りリンク制御チャネルリソースに上りリンク制御チャネルをマッピングする。受信部１０５は拡張物理制御チャネルを含む信号を受信する。多重分離部１０５５は、制御部１０３の指示の元で、拡張物理制御チャネルを分離する。
【０５４８】
また、本実施形態における基地局装置３は、第３のＵＬ−ＤＬ設定に基づいて下りリンクサブフレームおよびスペシャルサブフレームとして指示したサブフレームにおいてＰＤＳＣＨでの送信を行う送信部（送信部３０７）を備え、該サブフレームを、第１のＵＬ−ＤＬ設定（ＵＬ参照ＵＬ−ＤＬ設定）に基づいてスペシャルサブフレームとして指示し、且つ、第２のＵＬ−ＤＬ設定（ＤＬ参照ＵＬ−ＤＬ設定）に基づいてスペシャルサブフレームとして指示した場合には、該サブフレームにおいてＰＤＳＣＨでの送信を行うかどうかを、ＣＰの長さ、および、スペシャルサブフレームの設定に基づいて決定し、該サブフレームを、第１のＵＬ−ＤＬ設定（ＵＬ参照ＵＬ−ＤＬ設定）に基づいてスペシャルサブフレームとして指示し、且つ、第２のＵＬ−ＤＬ設定（ＤＬ参照ＵＬ−ＤＬ設定）に基づいて下りリンクサブフレームとして指示した場合には、ＣＰの長さ、および、スペシャルサブフレームの設定に関わらず、該サブフレームにおいてＰＤＳＣＨでの送信を行う。
【０５４９】
また、本実施形態における基地局装置３は、端末装置１がＥＰＤＣＣＨをモニタするサブフレームを設定する制御部（無線リソース制御部３０１１）と、該設定したサブフレームのうち、第３のＵＬ−ＤＬ設定に基づいて下りリンクサブフレームおよびスペシャルサブフレームとして指示したサブフレームにおいて、ＥＰＤＣＣＨでの送信を行う送信部（送信部３０７）と、を備え、該設定および指示したサブフレームを、第１のＵＬ−ＤＬ設定（ＵＬ参照ＵＬ−ＤＬ設定）に基づいてスペシャルサブフレームとして指示し、且つ、第２のＵＬ−ＤＬ設定（ＤＬ参照ＵＬ−ＤＬ設定）に基づいてスペシャルサブフレームとして指示した場合には、該設定および指示したサブフレームにおいてＥＰＤＣＣＨでの送信を行うかどうかを、ＣＰの長さ、および、スペシャルサブフレームの設定に基づいて決定し、該設定および指示したサブフレームを、第１のＵＬ−ＤＬ設定（ＵＬ参照ＵＬ−ＤＬ設定）に基づいてスペシャルサブフレームとして指示し、且つ、第２のＵＬ−ＤＬ設定（ＤＬ参照ＵＬ−ＤＬ設定）に基づいて下りリンクサブフレームとして指示した場合には、ＣＰの長さ、および、スペシャルサブフレームの設定に関わらず、該設定および指示したサブフレームにおいてＥＰＤＣＣＨでの送信を行う。
【０５５０】
基地局装置３において、第１のＵＬ−ＤＬ設定（ＵＬ参照ＵＬ−ＤＬ設定）や第２のＵＬ−ＤＬ設定（ＤＬ参照ＵＬ−ＤＬ設定）は上位層処理部３０１が共通ＲＲＣメッセージや専用ＲＲＣメッセージによって端末装置１に設定してもよい。
【０５５１】
ダイナミックＴＤＤが設定されていない場合、制御部３０３は、サブフレームが、第１のＵＬ−ＤＬ設定において、所定のスペシャルサブフレームであるか否かに基づいて、上りリンク制御チャネルリソースのインデクスを決定する際に、サブフレームにおける１つの拡張物理下りリンク制御チャネルセット内における拡張制御チャネル要素の数を０とセットするか否かを決定する。また、制御部３０３は、局所的な拡張物理下りリンク制御チャネルの送信に対して、サブフレームが、第１のＵＬ−ＤＬ設定において、所定のスペシャルサブフレームであるか否かに基づいて、拡張物理下りリンク制御チャネルのためのアンテナポートをセットする。また、制御部３０３は、サブフレームが、第１のＵＬ−ＤＬ設定において、所定のスペシャルサブフレームであるか否かに基づいて、拡張制御チャネル要素あたりの拡張リソースエレメントグループの数をセットする。受信部３０５は上りリンク制御チャネルを含む信号を受信する。ここで、多重分離部３０５５は、制御部３０３の指示の元で、上りリンク制御チャネルリソースから上りリンク制御チャネルを取得する。送信部１０７は拡張物理制御チャネルを含む信号を送信する。多重部１０７５は、制御部３０３の指示の元で、拡張物理制御チャネルをマッピングする。
【０５５２】
上述したように、ＵＬ−参照ＵＬ−ＤＬ設定、ＤＬ参照ＵＬ−ＤＬ設定、第３の設定、ＣＰの長さ、および／または、サブフレームの設定に基づいて、ＰＤＳＣＨ、ＥＰＤＣＣＨ、または、ＰＵＣＣＨを用いた通信を行うことによって、無線リソースを効率的に使用することができる。
【０５５３】
例えば、上位層の信号を用いて設定されるパラメータのみに基づいて、ＰＤＳＣＨ、ＥＰＤＣＣＨ、または、ＰＵＣＣＨを用いた通信を行うことによって、よりロバストな通信を行うことが可能となり、結果として、無線リソースを効率的に使用することができる。
【０５５４】
また、例えば、上位層の信号を用いて設定されるパラメータ、および、物理層の信号を用いて設定されるパラメータに基づいて、ＰＤＳＣＨ、ＥＰＤＣＣＨ、または、ＰＵＣＣＨを用いた通信を行うことによって、より動的な通信を行うことが可能となり、結果として、無線リソースを効率的に使用することができる。
【０５５５】
また、上述したように、ＵＬ−参照ＵＬ−ＤＬ設定、ＤＬ参照ＵＬ−ＤＬ設定、第３の設定、ＣＰの長さ、および／または、サブフレームの設定に基づいて、ＥＰＤＣＣＨでの送信（ＥＰＤＣＣＨのモニタ）を制御することによって、端末装置１における動作を簡略化することができる。
【０５５６】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０５５７】
尚、上述した実施形態における端末装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０５５８】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０５５９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０５６０】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０５６１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０５６２】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０５６３】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０５６４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０５６５】
本発明は、携帯電話、パーソナル・コンピュータ、タブレット型コンピュータなどに適用できる。
【符号の説明】
【０５６６】
１（１Ａ、１Ｂ、１Ｃ）  端末装置
３  基地局装置
１０１、３０１  上位層処理部
１０３、３０３  制御部
１０５、３０５  受信部
１０７、３０７  送信部
１０９、３０９  アンテナ
１０１１、３０１１  無線リソース制御部
１０１３  スケジューリング情報解釈部
１０１５  受信制御部
１０５１、３０５１  復号化部
１０５３、３０５３  復調部
１０５５、３０５５  多重分離部
１０５７、３０５７  無線受信部
１０５９、３０５９  チャネル測定部
１０７１、３０７１  符号化部
１０７３、３０７３  変調部
１０７５、３０７５  多重部
１０７７、３０７７  無線送信部
１０７９  上りリンク参照信号生成部
３０１３  スケジューリング部
３０１５  送信制御部
３０７９  下りリンク参照信号生成部
【図１】
0006499976.tif 000007
【図２】
0006499976.tif 000008
【図３】
0006499976.tif 000009
【図４】
0006499976.tif 000010
【図５】
0006499976.tif 000011
【図６】
0006499976.tif 000012
【図７】
0006499976.tif 000013
【図８】
0006499976.tif 000014
【図９】
0006499976.tif 000015
【図１０】
0006499976.tif 000016
【図１１】
0006499976.tif 000017
【図１２】
0006499976.tif 000018
【図１３】
0006499976.tif 000019
【図１４】
0006499976.tif 000020
【図１５】
0006499976.tif 000021
【図１６】
0006499976.tif 000022
【図１７】
0006499976.tif 000023
【図１８】
0006499976.tif 000024
【図１９】
0006499976.tif 000025
【図２０】
0006499976.tif 000026
【図２１】
0006499976.tif 000027
【図２２】
0006499976.tif 000028
【図２３】
0006499976.tif 000029
【図２４】
0006499976.tif 000030
【図２５】
0006499976.tif 000031
【図２６】
0006499976.tif 000032
【図２７】
0006499976.tif 000033
【図２８】
0006499976.tif 000034
【図２９】
0006499976.tif 000035
【図３０】
0006499976.tif 000036
【図３１】
0006499976.tif 000037
【図３２】
0006499976.tif 000038
【図３３】
0006499976.tif 000039
【図３４】
0006499976.tif 000040
【図３５】
0006499976.tif 000041